(57)【特許請求の範囲】
【請求項１】
複数の内視鏡検査の検査スケジュール情報であって、検査室と、患者識別情報と、担当医師識別情報と、検査開始予定時刻情報と、検査終了予定時刻情報と、検査種別情報とを要素とする検査スケジュール情報を保持する検査スケジュール保持部と、
複数の内視鏡の洗浄スケジュール情報であって、洗浄機と、洗浄開始予定時刻情報と、洗浄終了予定時刻情報とを要素とする洗浄スケジュール情報を保持する洗浄スケジュール保持部と、
再スケジューリング処理により検査スケジュール情報が変更された場合に、変更前の検査スケジュール情報の要素と、変更後の検査スケジュール情報の要素とを対応付けた変更履歴を記録する検査変更履歴保持部と、
再スケジューリング処理により洗浄スケジュール情報が変更された場合に、変更前の洗浄スケジュール情報の要素と、変更後の洗浄スケジュール情報の要素とを対応付けた変更履歴を記録する洗浄変更履歴保持部と、
前記検査変更履歴保持部から、検査スケジュール情報の変更履歴を取得し、前記洗浄変更履歴保持部から、洗浄スケジュール情報の変更履歴を取得する変更内容取得部と、
前記変更内容取得部が取得した検査スケジュール情報の変更履歴と記憶した検査を担当する医療従事者の情報から、検査スケジュール変更の影響を受ける医療従事者を特定し、前記変更内容取得部が取得した洗浄スケジュール情報の変更履歴と記憶した洗浄を担当する医療従事者の情報から、洗浄スケジュール変更の影響を受ける医療従事者を特定して、変更内容の通知先を特定する通知先特定部と、
特定した通知先にもとづいて、変更内容を通知するタイミングを決定する通知タイミング決定部であって、検査スケジュール情報の変更内容の通知先として特定された医療従事者が担当する検査が実施されているか否かにもとづいて、検査スケジュール情報の変更内容を通知するタイミングを決定する通知タイミング決定部と、
決定したタイミングで、特定した通知先に検査スケジュール情報の変更内容または洗浄スケジュール情報の変更内容を通知する通知処理部と、
を備えることを特徴とする内視鏡検査業務支援システム。
【請求項２】
複数の内視鏡検査の検査スケジュール情報であって、検査室と、患者識別情報と、担当医師識別情報と、検査開始予定時刻情報と、検査終了予定時刻情報と、検査種別情報とを要素とする検査スケジュール情報を保持する検査スケジュール保持部と、
再スケジューリング処理により検査スケジュール情報が変更された場合に、変更前の検査スケジュール情報の要素と、変更後の検査スケジュール情報の要素とを対応付けた変更履歴を記録する検査変更履歴保持部と、
前記検査変更履歴保持部から、検査スケジュール情報の変更履歴を取得する変更内容取得部と、
前記変更内容取得部が取得した検査スケジュール情報の変更履歴と記憶した検査を担当する医療従事者の情報から、検査スケジュール変更の影響を受ける医療従事者を特定して、変更内容の通知先を特定する通知先特定部と、
特定された医療従事者が担当する検査が実施されているか否かにもとづいて、変更内容を通知するタイミングを決定する通知タイミング決定部と、
決定したタイミングで、特定した通知先に検査スケジュール情報の変更内容を通知する通知処理部と、を備え、
前記通知タイミング決定部は、検査が実施されていれば、当該検査が終了した後のタイミングを通知タイミングとして決定する、
ことを特徴とする内視鏡検査業務支援システム。
【請求項３】
１人の医療従事者に対して複数の検査のスケジュール情報が変更された場合に、前記通知タイミング決定部は、直近の検査スケジュール情報の変更内容を通知するタイミングを決定する、
ことを特徴とする請求項１または２に記載の内視鏡検査業務支援システム。
【請求項４】
前記通知タイミング決定部は、変更内容が確定したタイミングで検査が実施されていなければ、そのタイミングを検査スケジュール情報の変更内容を通知するタイミングとして決定する、
ことを特徴とする請求項１から３のいずれかに記載の内視鏡検査業務支援システム。
【請求項５】
複数の内視鏡の洗浄スケジュール情報であって、洗浄機と、洗浄開始予定時刻情報と、洗浄終了予定時刻情報とを要素とする洗浄スケジュール情報を保持する洗浄スケジュール保持部と、
再スケジューリング処理により洗浄スケジュール情報が変更された場合に、変更前の洗浄スケジュール情報の要素と、変更後の洗浄スケジュール情報の要素とを対応付けた変更履歴を記録する洗浄変更履歴保持部と、をさらに備え、
前記変更内容取得部は、前記洗浄変更履歴保持部から洗浄スケジュール情報の変更履歴を取得し、
前記通知先特定部は、前記変更内容取得部が取得した洗浄スケジュール情報の変更履歴と記憶した洗浄を担当する医療従事者の情報から、洗浄スケジュール変更の影響を受ける医療従事者を特定して、変更内容の通知先を特定し、
前記通知タイミング決定部は、変更内容を通知するタイミングを決定し、
前記通知処理部は、決定したタイミングで、特定した通知先に洗浄スケジュール情報の変更内容を通知する、
ことを特徴とする請求項２に記載の内視鏡検査業務支援システム。
【請求項６】
１人の医療従事者に対して複数の洗浄のスケジュール情報が変更された場合に、前記通知タイミング決定部は、直近の洗浄スケジュール情報の変更内容を通知するタイミングを決定する、
ことを特徴とする請求項１または５に記載の内視鏡検査業務支援システム。
【発明の詳細な説明】
【技術分野】
【０００１】
本発明は、内視鏡検査業務のスケジューリングを行う内視鏡検査業務支援技術に関する。
【背景技術】
【０００２】
内視鏡検査のオーダ（以下「検査オーダ」とも呼ぶ）は、例えばオーダリングシステム等の院内情報システムにおいて生成され、内視鏡部門システムに対して発行される。検査オーダには、検査の識別情報（検査ＩＤ）、患者の識別情報（患者ＩＤ）、検査種別情報、検査の担当医師識別情報（医師ＩＤ）、検査室情報など、内視鏡検査に関するオーダ情報が含まれる。医療施設では、複数の検査オーダにより内視鏡部門における１日の検査スケジュールが作成される。
【０００３】
特許文献１は、検査スケジュールにより特定される検査開始時刻と、洗浄スケジュールにより特定される洗浄終了時刻とにしたがって、各検査で使用すべきスコープが不足するか否か判定する技術を開示している。
【０００４】
特許文献２は、内視鏡プロセッサが内視鏡検査における進行状況を表す検査進行情報を洗浄管理サーバに伝送し、洗浄管理サーバは検査進行情報に基づいて洗浄機で使用済み内視鏡を洗浄機にセッティングする洗浄機使用予測時刻を推測し、該推測した洗浄機使用予測時刻から所定の時間前の洗浄機起動時刻を計算し、洗浄機待機時には洗浄機をオフまたはスリープモードとするとともに、洗浄作業時には洗浄機起動時刻に洗浄機が起動するように制御する内視鏡洗浄機管理システムを開示する。
【先行技術文献】
【特許文献】
【０００５】
【特許文献１】特開２０１０−３９５６０号公報
【特許文献２】特開２００９−２５４６８２号公報
【発明の概要】
【発明が解決しようとする課題】
【０００６】
医療施設では、検査スケジュールや、洗浄スケジュールが適切に設定されて、医師を含む医療従事者が、それぞれのスケジュールにしたがって検査関連業務および洗浄関連業務を実施することが好ましい。
【０００７】
しかしながら検査スケジュールおよび洗浄スケジュールを予め設定している場合であっても、実際に検査業務を開始すると、スケジュール通りに進行しないことが生じうる。たとえば検査が予定時間よりも長くかかると、当然のことながら以後のスケジュールに狂いが生じる。また外来患者の医療施設への到着が遅れたために、検査の前処置が検査開始予定時刻までに間に合わない場合や、そもそも患者が医療施設に来られなくなり検査自体がキャンセルとなる場合など、スケジュール通りに検査業務が進行しないケースには様々なものが想定される。
【０００８】
また検査スケジュールで使用を予定していた内視鏡が故障したり、担当医師が突発的な理由により検査を担当できなくなるような場合も、検査業務はスケジュール通りに進行しない。さらに洗浄機にトラブルが発生し、予定した時間内に内視鏡洗浄が終了しない場合に、その内視鏡を使用予定とする検査や、その後の洗浄スケジュールに遅れが生じることもある。そのため実際の検査、医師、内視鏡、洗浄機などの状況に応じて再スケジューリング処理を実行して、検査スケジュールおよび洗浄スケジュールの見直しを適切に行うことが好ましい。
【０００９】
１日の検査業務の開始前、医療従事者は、当日分のスケジュール表を見てスケジュールを確認する。業務開始後の諸々の事情によって再スケジューリング処理が実行され、検査スケジュールおよび／または洗浄スケジュールが変更されると、医療従事者が把握している予定にずれが生じるため、何らかの手段によって変更内容を知らせることが好ましい。たとえば当日分のスケジュールを大型モニタで表示している場合、変更があったスケジュール情報を強調表示することで、スケジュールの変更を知らせることも可能であるが、変更の影響を受ける担当者が大型モニタをいつでも見られるとは限らないため、スケジュールの変更内容を担当者に効率的に知らせる手段の実現が望まれる。
【００１０】
本発明はこうした状況に鑑みなされたものであり、その目的は、内視鏡検査業務においてスケジュールを再構成した場合に、変更後のスケジュール情報を効率的に担当者に知らせる技術を提供することにある。
【課題を解決するための手段】
【００１１】
上記課題を解決するために、本発明のある態様の内視鏡検査業務支援システムは、複数の内視鏡検査の検査スケジュール情報であって、検査室と、患者識別情報と、担当医師識別情報と、検査開始予定時刻情報と、検査終了予定時刻情報と、検査種別情報とを要素とする検査スケジュール情報を保持する検査スケジュール保持部と、再スケジューリング処理により検査スケジュール情報が変更された場合に、検査スケジュール情報の変更内容を取得する変更内容取得部と、変更内容取得部が取得した変更内容にもとづいて、変更内容の通知先を特定する通知先特定部と、特定した通知先にもとづいて、変更内容を通知するタイミングを決定する通知タイミング決定部と、決定したタイミングで、特定した通知先に検査スケジュール情報の変更内容を通知する通知処理部と、を備える。
【００１２】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１３】
本発明によれば、内視鏡検査業務においてスケジュールを再構成した場合に、変更後のスケジュール情報を効率的に担当者に知らせる技術を提供することができる。
【図面の簡単な説明】
【００１４】
【図１】本発明の実施形態にかかる内視鏡検査業務支援システムの構成を示す図である。
【図２】スケジュール情報の作成中に設定されるスコープの仮想的なステータスを説明するための図である。
【図３】スコープのスケジュール情報を生成する情報管理装置の構成を示す図である。
【図４】生成された検査スケジュールの一例を示す図である。
【図５】検査種別マスタテーブルの一例を示す図である。
【図６】所有スコープマスタテーブルの一例を示す図である。
【図７】スコープのスケジュール情報を生成する基本フローチャートを示す図である。
【図８】基本フローチャートのＳ１６に示す割当対象検査の抽出処理の詳細フローチャートを示す図である。
【図９】基本フローチャートのＳ１８に示すスコープ割当処理の詳細フローチャートを示す図である。
【図１０】Ｓ５０のステータス特定処理の詳細フローチャートを示す図である。
【図１１】Ｓ５２のスコープの検索処理の詳細フローチャートを示す図である。
【図１２】検査スケジュール管理部により更新された検査スケジュールを示す図である。
【図１３】基本フローチャートのＳ２０に示す洗浄機割当処理の詳細フローチャートを示す図である。
【図１４】洗浄スケジュール管理部により生成された洗浄スケジュールを示す図である。
【図１５】スコープの個体のスケジュール情報を示す図である。
【図１６】検査スケジュール管理部により生成された検査スケジュールおよび洗浄スケジュール管理部により生成された洗浄スケジュールを示す図である。
【図１７】検査スケジュール管理部により生成された検査スケジュールおよび洗浄スケジュール管理部により生成された洗浄スケジュールを示す図である。
【図１８】検査スケジュール管理部により生成された検査スケジュールおよび洗浄スケジュール管理部により生成された洗浄スケジュールを示す図である。
【図１９】スコープの個別スケジュールを示す図である。
【図２０】検査スケジュール管理部により生成された検査スケジュールおよび洗浄スケジュール管理部により生成された洗浄スケジュールを示す図である。
【図２１】１日分のスコープの個別スケジュールを示す図である。
【図２２】スコープ順位保持部に保持されたスコープ順位テーブルを示す図である。
【図２３】実施例１におけるスコープの検索処理の詳細フローチャートを示す図である。
【図２４】使用状況記憶部に記憶された使用状況テーブルを示す図である。
【図２５】図９に示すスコープ割当処理におけるＳ５６の詳細フローチャートを示す図である。
【図２６】洗浄機順位保持部に保持された洗浄機順位テーブルを示す図である。
【図２７】図１３に示す洗浄機割当処理におけるＳ１１０の詳細フローチャートを示す図である。
【図２８】図１３に示す洗浄機割当処理におけるＳ１１４の詳細フローチャートを示す図である。
【図２９】実施例３において洗浄スケジュール管理部により生成された洗浄スケジュールを示す図である。
【図３０】割当スコープ情報保持部に記憶された優先スコープテーブルを示す図である。
【図３１】図９に示すスコープ割当処理におけるＳ５６の詳細フローチャートを示す図である。
【図３２】検査スケジュール管理部により更新された検査スケジュールを示す図である。
【図３３】端末装置に表示される使用履歴情報の一例を示す図である。
【図３４】端末装置に表示される使用履歴情報の一例を示す図である。
【図３５】割当担当者情報保持部に記憶された優先担当者テーブルを示す図である。
【図３６】担当者割当処理のフローチャートを示す図である。
【図３７】洗浄スケジュール管理部により生成された洗浄スケジュールを示す図である。
【図３８】洗浄スケジュール管理部により更新された洗浄スケジュールを示す図である。
【図３９】端末装置に表示される洗浄履歴情報の一例を示す図である。
【図４０】端末装置に表示される洗浄履歴情報の一例を示す図である。
【図４１】検査スケジュールおよび洗浄スケジュールの例を示す図である。
【図４２】所有スコープマスタテーブルの一例を示す図である。
【図４３】再スケジューリング処理を実行する機能を備えた処理部の構成を示す図である。
【図４４】実際の検査が予定よりも遅延した例を示す図である。
【図４５】検査の検査開始予定時刻および検査終了予定時刻を遅らせた状態を示す図である。
【図４６】検査の検査開始予定時刻および検査終了予定時刻を遅らせた状態を示す図である。
【図４７】洗浄の洗浄開始予定時刻および洗浄終了予定時刻を遅らせた状態を示す図である。
【図４８】ディスプレイに表示される検査スケジュール表および洗浄スケジュール表を示す図である。
【図４９】ユーザが検査開始予定時刻を指定した状態を示す図である。
【図５０】再スケジューリング処理を施した検査スケジュールおよび洗浄スケジュールを示す図である。
【図５１】検査スケジュールから検査Ｅ２２を削除した状態を示す図である。
【図５２】実施例８における予約繰上げ処理のフローチャートを示す図である。
【図５３】Ｓ３０２に示す候補検査抽出処理の詳細フローチャートを示す図である。
【図５４】Ｓ３０６に示す繰上げ検査特定処理の詳細フローチャートを示す図である。
【図５５】検査Ｅ２４を、空き時間枠に移動した状態を示す図である。
【図５６】検査Ｅ２６を、空き時間枠に移動した状態を示す図である。
【図５７】検査Ｅ２８を、空き時間枠に移動した状態を示す図である。
【図５８】再構成した検査スケジュールを示す図である。
【図５９】再構成した洗浄スケジュールを示す図である。
【図６０】内視鏡検査が実施される医療施設のレイアウト例を示す図である。
【図６１】スケジュールの変更内容を通知する機能を実現するための構成を示す図である。
【図６２】検査変更履歴保持部に保持された検査スケジュール情報の変更履歴を示す図である。
【図６３】担当者テーブルを示す図である。
【図６４】医師の検査スケジュールを示す図である。
【図６５】医師の携帯端末に表示される表示内容を示す図である。
【図６６】看護師の携帯端末に表示される表示内容を示す図である。
【図６７】洗浄変更履歴保持部に保持された洗浄スケジュール情報の変更履歴を示す図である。
【図６８】洗浄スタッフの携帯端末に表示される表示内容を示す図である。
【発明を実施するための形態】
【００１５】
図１は、本発明の実施形態にかかる内視鏡検査業務支援システム１の構成を示す図である。内視鏡検査業務支援システム１は、内視鏡検査業務を支援するためのシステムであり、内視鏡（以下、単に「スコープ」とも呼ぶ）３０の個体の使用予定および洗浄予定を適切にスケジューリングする機能を実現する。内視鏡検査業務支援システム１は、情報管理装置１０、端末装置１２、保管庫１４、内視鏡観察装置２２ａ〜２２ｄ、第１洗浄機５０ａ〜第４洗浄機５０ｄを備え、それらはＬＡＮ（ローカルエリアネットワーク）などのネットワーク２によって相互接続される。
【００１６】
複数の検査室のそれぞれに、内視鏡観察装置が設置される。この例では、第１検査室２０ａが内視鏡観察装置２２ａを、第２検査室２０ｂが内視鏡観察装置２２ｂを、第３検査室２０ｃが内視鏡観察装置２２ｃを、第４検査室２０ｄが内視鏡観察装置２２ｄをそれぞれ備えている。医療施設において検査室は、上部検査と下部検査とで使い分けられることが多い。図１に示す例では、第１検査室２０ａ、第２検査室２０ｂ、第３検査室２０ｃが上部検査のために使用され、第４検査室２０ｄが下部検査のために使用される。以下、第１検査室２０ａ〜第４検査室２０ｄを特に区別しない場合には、「検査室２０」と呼ぶことがあり、また内視鏡観察装置２２ａ〜２２ｄを特に区別しない場合には、「内視鏡観察装置２２」と呼ぶこともある。内視鏡観察装置２２にはスコープ３０が接続され、医師による内視鏡検査が行われる。
【００１７】
大病院や内視鏡センターなどの医療施設は、１日に数多くの内視鏡検査を実施するために、多種の内視鏡（スコープ）を所有し、また繁用する機種について複数の個体を所有している。たとえば上部検査用のスコープの機種としては、ルーチン検査に使用される上部ルーチン機、高解像度の画像を提供できる上部高画質機、鼻孔から挿入される上部経鼻機、粘膜表面における微細な血管の走行形態や腺管等による構造パターン等を観察できる上部拡大機、処置機能を有する上部処置機などが存在する。また下部検査用のスコープの機種としては、ルーチン検査に使用される下部ルーチン機、粘膜表面における微細な血管の走行形態や腺管等による構造パターン等を観察できる下部拡大機、処置機能を有する下部処置機などが存在する。医療施設において、所有されるスコープは、データベースに登録されて管理されている。
【００１８】
洗浄室４０には、複数の洗浄機が設置され、この例では、第１洗浄機５０ａ、第２洗浄機５０ｂ、第３洗浄機５０ｃおよび第４洗浄機５０ｄが設けられる。以下、第１洗浄機５０ａ〜第４洗浄機５０ｄを特に区別しない場合には、「洗浄機５０」と呼ぶこともある。この例では、４台の洗浄機５０が１つの洗浄室４０に設置されているが、複数の洗浄室に分散して設置されていてもよい。
【００１９】
洗浄機５０は機種によって、異なる薬液を洗浄に使用することが一般的である。たとえば洗浄に使用される薬液としては、過酢酸、フタラール、強酸性電解水などが代表的であり、洗浄機５０は、所定の薬液のみを使用するように設計されている。つまり洗浄機５０の機種と、使用する薬液とは一対一に対応付けられており、洗浄機５０が、定められた薬液以外の薬液を使用することは推奨されていない。また洗浄機５０の機種によって、洗浄時間が異なることもあり、このように洗浄機５０は機種固有の特性を有している。
【００２０】
保管庫１４は、スコープ３０を保管する。１日の内視鏡検査業務が開始される前、全てのスコープ３０は保管庫１４に保管されており、技師などの検査準備者は、保管庫１４からスコープ３０を取り出して検査室２０に運び、内視鏡観察装置２２に接続する。医師による検査が終了すると、検査準備者は、使用済みのスコープ３０を洗浄室４０に運んで、洗浄機５０の洗浄槽に入れて洗浄を行い、洗浄終了したスコープ３０を、また検査室に運んで、医師が、新たな検査に再使用する。
【００２１】
医療施設において、スコープ３０の個体には、他の個体と区別するための個体名称が付与されることが一般的である。たとえば同種のスコープ３０については、その形状が同じであるために、個体名称を付与して、それぞれを管理する。スコープ３０には、個体名称で区別できるように、個体名称を印字したシールなどが貼り付けられ、これにより医師や検査準備者は、各個体を区別できるようになる。また、近年は内視鏡本体にＲＦＩＤタグ等が内蔵され、内視鏡観察装置２２のカメラコントロールユニット（ＣＣＵ）への接続時やタグの読取手段を用いた読み取りにより各個体を電子的に識別できるようになっている。このようなスコープ３０に対しては、ＣＣＵへの接続時や洗浄機での洗浄開始前または終了後等にＲＦＩＤタグ内の個体識別情報を取得することにより、シールを用いた場合と同様の区別をすることが可能である。
【００２２】
実施形態の内視鏡検査業務支援システム１は、スコープ３０の各個体に対して、どの検査で使用するか、またどの洗浄機で洗浄するか、などを定めたスケジュール情報を設定する。これにより検査準備者は、スケジュール情報をみて、どの検査室２０に運び込めばよいか、またどの洗浄機５０で洗浄すればよいかを知ることができる。その際、スコープ３０に貼り付けられたシールに印字された個体名称により、検査準備者は、スケジュール情報にしたがってスコープ３０を適切に移動し、また洗浄できる。
【００２３】
スコープ３０のスケジュール情報は、情報管理装置１０により生成される。スケジュール情報の生成タイミングは、１日の内視鏡検査業務の開始前であり、検査準備者は、端末装置１２の画面に表示されるスケジュール情報をみて、スコープ３０の扱いを判断できる。端末装置１２は、据置型のパーソナルコンピュータであってもよい。なお内視鏡検査業務支援システム１は、誰もがみることのできる大型ディスプレイを有し、大型ディスプレイにスケジュール情報が表示されてもよい。
【００２４】
なお医師や検査準備者などの医療従事者は、携帯端末６０を保有し、情報管理装置１０から必要な通知を受けることができる。携帯端末６０は携帯可能な、たとえばＰＤＡ（Personal Digital Assistant）やタブレットなどの端末装置であってよく、医療施設内に設置されているアクセスポイント（以下、「ＡＰ」とも呼ぶ）３との間で無線ＬＡＮを構築して、情報管理装置１０との間でデータを送受信可能とする。施設内で医療従事者のそれぞれには携帯端末６０が貸与されて、携帯端末６０と医療従事者とは対応付けて管理されている。そのため情報管理装置１０は、特定の医療従事者に情報を送信する場合、医療従事者に対応付けられた携帯端末６０を特定して、かかる携帯端末６０に必要な情報を送信できる。
【００２５】
情報管理装置１０は、スケジュール情報を生成する際、あるタイミングを開始予定とする検査に対して、どのスコープ３０を割り当てるか決定するが、そのタイミングで使用予定となっているスコープ３０や、洗浄予定となっているスコープ３０は、当然のことながら検査に割り当てることはできない。そのため情報管理装置１０は、スケジューリング処理に際して各スコープ３０に対して仮想的なステータスを設定し、任意のタイミングにおける各スコープ３０のステータスを確認できるようにする。
【００２６】
図２は、スケジュール情報の作成中に設定されるスコープ３０の仮想的なステータスを説明するための図である。スコープ３０は、「使用中」（ＳＴ１）、「使用済」（ＳＴ２）、「洗浄中」（ＳＴ３）、「待機中」（ＳＴ４）のうち、いずれかのステータスをとる。図２において示される矢印は、ステータスの遷移方向を示す。情報管理装置１０は、任意のタイミングにおける全てのスコープ３０のステータスを把握することで、当該タイミングにおいて検査に、適切なスコープ３０を割り当てる。
【００２７】
図２に示す４つのステータスにおいて、検査に割当可能なスコープ３０は、そのステータスが「待機中」となっているスコープであり、他のステータスにあるスコープ３０を検査に割り当てることはできない。なお保管庫１４に保管されているスコープ３０のステータスは「待機中」であり、したがってスケジュール情報の生成処理を開始する際には、全てのスコープ３０のステータスが「待機中」であることを前提とする。
【００２８】
図３は、スコープ３０のスケジュール情報を生成する情報管理装置１０の構成を示す。情報管理装置１０は、処理部１００および記憶部２００を備え、処理部１００は、検査スケジュール管理部１１０、第１割当処理部１２０、洗浄スケジュール管理部１３０、第２割当処理部１４０、表示処理部１５０、表示内容導出部１５２、期間指定部１５４、使用状況監視部１６０および履歴管理部１６２を有する。
【００２９】
情報管理装置１０の各構成は、ハードウェア的には、任意のコンピュータのＣＰＵ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００３０】
検査オーダは、例えばオーダリングシステム等の院内情報システムにおいて生成され、内視鏡部門システムに対して発行される。情報管理装置１０は、１日の内視鏡検査業務の開始前に、院内情報システムにおいて生成された１日分の検査オーダを取得して、医療施設内で所有するスコープ３０の各個体の使用予定および洗浄予定をスケジューリングする。取得された１日分の検査オーダは、オーダ情報記憶部２０２に記憶される。たとえばスケジューリングのタイミングは、検査当日の最初の検査が行われる前であってよく、また前日の検査業務終了後であってもよく、いずれにしても１日分の検査オーダが確定しているタイミングであればよい。
【００３１】
検査オーダには、検査開始予定時刻情報、検査終了予定時刻情報、患者の識別情報（患者ＩＤ）、検査種別情報、検査の担当医師、検査室など、内視鏡検査に関するオーダ情報が含まれる。図１に示す内視鏡検査業務支援システム１において、第１検査室２０ａ、第２検査室２０ｂ、第３検査室２０ｃが、上部検査のために使用され、第４検査室２０ｄが下部検査のために使用されるように定められており、したがって上部検査オーダには、検査室として、第１検査室２０ａ、第２検査室２０ｂ、第３検査室２０ｃのいずれかが割り当てられており、また下部検査オーダには、第４検査室２０ｄが割り当てられている。
【００３２】
スケジューリング処理の開始時、まず検査スケジュール管理部１１０は、オーダ情報記憶部２０２から１日分の複数のオーダ情報を取得し、検査スケジュールを生成する。具体的に検査スケジュール管理部１１０は、内視鏡検査を実施する検査室と、検査開始予定時刻情報および検査終了予定時刻情報と、内視鏡検査の検査内容に関する検査種別情報と、担当医師を含む複数の内視鏡検査の検査スケジュールを生成して、管理する。検査スケジュール管理部１１０は、生成した検査スケジュールを、検査スケジュール保持部２０６に格納する。その後、これから説明するように、検査スケジュール管理部１１０は、各検査に対して第１割当処理部１２０により割り当てられたスコープ３０の情報を検査スケジュールに登録して、検査スケジュールを更新する。
【００３３】
図４は、生成された検査スケジュールの一例を示す。検査スケジュール管理部１１０は、オーダ情報記憶部２０２からオーダ情報を取得すると、検査開始予定時刻の早いものから順に、検査番号を設定する。図４において１日分の検査数は４１であり、各検査に対して検査番号がＥ１〜Ｅ４１として設定されている。ここで検査番号Ｅ１の検査スケジュールは、検査室が第１検査室２０ａ、検査開始予定時刻が９：００、検査終了予定時刻が９：１０、検査種別が「上部ルーチン検査」、担当医師が「医師Ｂ」であることが示される。
【００３４】
なお本実施形態において、図４に示す検査スケジュールは、１日分の複数の検査オーダから自動的に導出されることとしているが、オーダ情報に、検査開始予定時刻情報や検査終了予定時刻情報、担当医師および検査室の情報が含まれていない場合には、検査スケジュール管理部１１０が、検査スケジュールを生成してもよい。
【００３５】
たとえば記憶部２００は、検査種別ごとの検査予定時間を記憶した検査種別マスタテーブルと、担当医師を記憶した担当医師マスタテーブルと、検査室で実施される検査条件（つまり上部検査であるか下部検査であるかを特定する情報）とを記憶する。検査オーダには、患者の識別情報（患者ＩＤ）および検査種別情報が含まれており、検査スケジュール管理部１１０は、１日分の検査オーダを取得すると、検査種別マスタテーブル、担当医師マスタテーブルおよび検査条件を参照して、検査スケジュールを生成する。
【００３６】
図５は、検査種別マスタテーブル２１０の一例を示す。検査種別マスタテーブル２１０には、各検査種別ごとに、検査予定時間が記録されている。検査オーダに患者の識別情報（患者ＩＤ）および検査種別情報が含まれている場合、検査スケジュール管理部１１０は、まず検査オーダに含まれる各検査の検査種別情報を参照して、検査室ごとに１つの検査を割り当てる。ここで検査室の検査条件を参照して、検査種別情報が上部検査を指定していれば、その検査を、第１検査室２０ａ、第２検査室２０ｂ、第３検査室２０ｃのいずれかに割り当て、検査種別情報が下部検査を指定していれば、その検査を第４検査室２０ｄに割り当てる。また検査スケジュール管理部１１０は、検査間のインターバルとして所定の準備時間（たとえば５分）を設定する。
【００３７】
検査種別マスタテーブル２１０においては、たとえば検査種別番号１の「上部ルーチン検査」の検査予定時間が１０分であること、また検査種別番号２の「上部経鼻検査」の検査予定時間が１５分であること、などが記録されている。なお検査種別番号１６の「下部ルーチン検査（経験３年）」の検査予定時間は、検査種別番号９の「下部ルーチン検査」の検査予定時間よりも５分長く設定されているが、これは、経験３年未満の医師（若手医師）が検査した場合には、経験３年以上の医師（ベテラン医師）よりも５分程多く要することを、予め予定時間として組み込んでいることを示す。なお、若手医師がベテラン医師よりも多くの時間を要することは、担当医師マスタテーブルにおいて設定されていてもよい。検査スケジュール管理部１１０は、検査種別マスタテーブル２１０にしたがって、各検査室２０に１つの検査を割り当てて、検査開始予定時刻および検査終了予定時刻を設定する。
【００３８】
次に、第１割当処理部１２０における医師割当部１２９が、各検査室２０の検査に対して、医師を割り当てる。このとき医師割当部１２９は、同じ時間帯に、同じ担当医師が重複することのないように、担当医師を検査に割り当てる。このように検査スケジュール管理部１１０が各検査室２０に１つの検査を割り当て、医師割当部１２９が、割り当てられた検査に対して医師を割り当てることで、検査スケジュールが生成される。医師割当部１２９が検査に医師を割り当てると、検査スケジュール管理部１１０は、未処理の検査オーダに含まれる各検査の検査種別情報を参照して、再び検査室ごとに１つの検査を割り当て、医師割当部１２９が、割り当てられた検査に対して医師を割り当てる。これを繰り返すことで、図４に示す検査スケジュールが生成される。
【００３９】
なお図４に示した検査スケジュールにおいて、検査番号Ｅ１２で示す下部ルーチン検査の検査予定時間は、２０分に設定されている。これは医師割当部１２９により検査番号Ｅ１２で示す下部ルーチン検査に医師Ｅが割り当てられたところ、当該医師Ｅが経験３年未満の若手医師であるために、検査番号Ｅ１２で示す検査の予定時間が、通常の下部ルーチン検査の検査予定時間（１５分）よりも５分長く設定される。検査スケジュール管理部１１０が、検査番号Ｅ１２で示す下部ルーチン検査を第４検査室２０ｄに割り当てた際には、通常通り検査予定時間を１５分に設定しつつ、医師割当部１２９が、当該検査に対して医師Ｅを割り当てたときに、検査スケジュール管理部１１０は、図５に示す検査種別番号１６の検査予定時間を参照して、検査予定時間を５分長くして、検査終了予定時刻を再設定する。
【００４０】
このように、オーダ情報に検査室情報、検査開始予定時刻情報、検査終了予定時刻情報、担当医師情報などが含まれていない場合に、検査にスコープ３０を割り当てる前提として、検査スケジュール管理部１１０が、上記したように検査種別マスタテーブル２１０等を参照して、検査を行う検査室、検査開始予定時刻、検査終了予定時刻を設定し、医師割当部１２９が、検査に対して医師を割り当てることで、処理部１００が検査スケジュールを自動生成する機能を有してよい。
【００４１】
所有スコープ情報記憶部２２０は、医療施設が所有するスコープ３０に関する情報およびデータを記憶しており、所有スコープマスタテーブル２２２、使用状況記憶部２２４、洗浄機順位保持部２２６、割当スコープ情報保持部２２８、割当担当者情報保持部２３０、履歴記録部２３２を備える。所有スコープマスタテーブル２２２は、医療施設が所有するスコープ３０を管理するためのデータベースであり、医療施設が所有する全てのスコープ３０の情報が登録されている。
【００４２】
図６は、所有スコープマスタテーブル２２２の一例を示す。所有スコープマスタテーブル２２２は、医療施設内で設定した内視鏡番号と、機種名、および医療施設内における個体名称とを対応付けて登録している。ここでは上部検査用のスコープ機種として、ルーチン検査に使用される上部ルーチン機、高解像度の画像を提供できる上部高画質機、鼻孔から挿入される上部経鼻機、粘膜表面における微細な血管の走行形態や腺管等による構造パターン等を観察できる上部拡大機、処置機能を有する上部処置機が登録されている。
【００４３】
医療施設において上部ルーチン機は６本所有されて、それぞれにＧ−Ｒ−１、Ｇ−Ｒ−２、Ｇ−Ｒ−３、Ｇ−Ｒ−４、Ｇ−Ｒ−５、Ｇ−Ｒ−６の個体名称が付されている。また上部高画質機は３本所有されて、それぞれにＧ−Ｈ−１、Ｇ−Ｈ−２、Ｇ−Ｈ−３の個体名称が付され、上部経鼻機は１本所有されて、Ｇ−Ｎ−１の個体名称が付され、上部拡大機は２本所有されて、それぞれにＧ−Ｚ−１、Ｇ−Ｚ−２の個体名称が付され、上部処置機は２本所有されて、それぞれにＧ−Ｔ−１、Ｇ−Ｔ−２の個体名称が付されている。
【００４４】
また下部検査用のスコープの機種としては、ルーチン検査に使用される下部ルーチン機、粘膜表面における微細な血管の走行形態や腺管等による構造パターン等を観察できる下部拡大機、処置機能を有する下部処置機が登録されている。下部ルーチン機は３本所有されて、それぞれにＣ−Ｒ−１、Ｃ−Ｒ−２、Ｃ−Ｒ−３の個体名称が付され、下部拡大機は１本所有されて、Ｃ−Ｚ−１の個体名称が付され、下部処置機は１本所有されて、Ｃ−Ｔ−１の個体名称が付されている。
【００４５】
各スコープ３０には、それぞれの個体名称を印字したテープなどが貼り付けられて、医師や検査準備者が、目視で個体を特定できるようにされている。個体の識別表示の手段は、テープに限るものではないが、特に同機種のスコープ３０が複数存在する場合には、同機種内での区別ができるように、個体を目視で特定できるような手当がなされていることが好ましい。
【００４６】
以下、スコープ３０のスケジュール情報を生成する処理について説明する。なおスコープ３０のスケジュール情報を生成することは、スコープ３０を検査に割り当て、また検査に使用したスコープ３０を洗浄機に割り当てることを意味し、その結果として、検査スケジュールおよび洗浄スケジュールが生成されるとともに、スコープ３０の個体のスケジュールも生成されるようになる。
【００４７】
図７は、スコープ３０のスケジュール情報を生成する基本フローチャートを示す。検査スケジュール管理部１１０が、オーダ情報記憶部２０２から１日分の複数のオーダ情報を取得する（Ｓ１０）。検査スケジュール管理部１１０は、複数のオーダ情報の検査開始予定時刻を参照して、検査開始予定時刻の早いものから順に検査番号を設定し（Ｓ１２）、検査スケジュールを生成する（Ｓ１４）。なお検査開始予定時刻を同一とする複数の検査に関しては、検査室番号の小さいものから順に検査番号を設定してもよい。なお検査室番号は、第１検査室２０ａが「１」、第２検査室２０ｂが「２」、第３検査室２０ｃが「３」、第４検査室２０ｄが「４」と設定されている。Ｓ１４で生成される検査スケジュールは、図４に示したものであり、時間軸を縦軸とし、検査室を横軸にとって、検査開始予定時刻情報および検査終了予定時刻情報で指定される時間枠内に検査オーダを割り当てたものとなる。
【００４８】
なお検査開始予定時刻情報および検査終了予定時刻情報は、時分を示す時刻そのものの情報であってよいが、５分刻みの時間帯を示すものであってもよい。たとえば内視鏡部門において、スケジューリングが５分を１単位として行われる場合には、５分を１単位とするコマを基準として、検査開始予定時刻情報および検査終了予定時刻情報が、それぞれ検査開始予定時刻および検査終了予定時刻を指定してもよい。
【００４９】
スコープ３０のスケジュール情報は、検査スケジュールにおける検査に対してスコープ３０を割り当て、割り当てたスコープ３０に対して検査終了予定時刻以後に洗浄を行う洗浄機を割り当てることで生成される。そのため最初に、各検査室においてスコープ３０を割り当てる対象となる検査を抽出するための処理が実行される（Ｓ１６）。割当対象検査抽出処理により、各検査室の検査が抽出されると、抽出された検査に対して、第１割当処理部１２０によりスコープ３０を割り当てるための処理が実行される（Ｓ１８）。スコープ割当処理により検査に対してスコープ３０が割り当てられると、割り当てられたスコープ３０の情報が検査スケジュールに登録され、続いて当該割り当てられたスコープ３０に対して、洗浄する洗浄機５０を割り当てるための処理が第２割当処理部１４０により実行される（Ｓ２０）。スコープ３０に割り当てられた洗浄機５０の情報は、洗浄スケジュールに登録される。Ｓ１６〜Ｓ２０のステップは、全ての検査について完了するまで繰り返され（Ｓ２２のＮ）、全検査に対して割当処理が完了すると（Ｓ２２のＹ）、スコープ３０のスケジューリング処理が終了する。
【００５０】
Ｓ１６〜Ｓ２０のステップを実行すると、各検査室２０の検査に対してスコープ３０が割り当てられ、割り当てられたスコープ３０に対して洗浄機５０が割り当てられる。このようにしてスコープ３０の使用予定、洗浄予定が定められると、洗浄機５０を割り当てた第２割当処理部１４０が、当該スコープ３０を割り当てられた検査の検査番号に対して、処理済みのフラグを設定する。検査にスコープ３０を割り当てる第１割当処理部１２０は、各検査番号のフラグを参照して、全ての検査番号のフラグが処理済みとなるまで（Ｓ２２のＮ）、Ｓ１６のステップを実行し、全ての検査番号のフラグが処理済みとなっていれば（Ｓ２２のＹ）、Ｓ１６のステップには戻らずに、スコープ３０のスケジューリング処理を終了する。
【００５１】
図３に戻って、第１割当処理部１２０は、検査スケジュールの検査に対して、スコープ３０を割り当てる処理を行う。具体的に第１割当処理部１２０は、基本フローチャートにおけるＳ１６、Ｓ１８のステップを実行する機能を有し、検査抽出部１２２、スコープ特定部１２４、スコープ割当部１２６、スコープ割当可否確認部１２８および医師割当部１２９を備える。なお既述したように医師割当部１２９は、検査スケジュールの生成に際して医師を検査に割り当てる処理を担当する。
【００５２】
図８は、基本フローチャートのＳ１６に示す割当対象検査の抽出処理の詳細フローチャートを示す。第１割当処理部１２０において、検査抽出部１２２が、検査スケジュールにおける各検査室２０の検査のうち、スコープ３０をまだ割り当てておらず、且つ最も検査開始予定時刻の早い検査を抽出する（Ｓ３０）。図４に示す検査スケジュールにおいては、まだ、どの検査にもスコープ３０は割り当てておらず、したがって検査抽出部１２２は、各検査室２０において最も検査開始予定時刻の早い検査をそれぞれ抽出する。ここで第１検査室２０ａからは検査番号Ｅ１の検査、第２検査室２０ｂからは検査番号Ｅ２の検査、第３検査室２０ｃからは検査番号Ｅ３の検査、第４検査室２０ｄからは検査番号Ｅ４の検査を抽出する。以下、説明の便宜上、検査番号Ｅ１の検査を「検査Ｅ１」、検査番号Ｅ２の検査を「検査Ｅ２」などと呼ぶこともある。
【００５３】
続いて検査抽出部１２２は、「Ｎ＝１」をセットして（Ｓ３２）、第Ｎ検査室以外の検査室から抽出した検査の次の検査の検査開始予定時刻が、第Ｎ検査室から抽出した検査の検査開始予定時刻よりも遅いか否かを判定する（Ｓ３４）。ここでは、第１検査室２０ａから抽出した検査Ｅ１の検査開始予定時刻と、第２検査室２０ｂ、第３検査室２０ｃ、第４検査室２０ｄから抽出した検査Ｅ２、Ｅ３、Ｅ４の次の検査、つまり検査Ｅ６、Ｅ７、Ｅ８の検査開始予定時刻とを比較して、検査Ｅ６、Ｅ７、Ｅ８の検査開始予定時刻の全てが、検査Ｅ１の検査開始予定時刻よりも遅いか否かが判定される。図４に示す検査スケジュールでは、検査Ｅ６、Ｅ７、Ｅ８の検査開始予定時刻の全てが、検査Ｅ１の検査開始予定時刻よりも遅いため（Ｓ３４のＹ）、検査抽出部１２２は、検査Ｅ１を、スコープ３０を割り当てる対象となる検査として特定する（Ｓ３６）。なお、もし検査Ｅ６、Ｅ７、Ｅ８の検査開始予定時刻のいずれか１つでも、検査Ｅ１の検査開始予定時刻よりも早い場合には（Ｓ３４のＮ）、検査抽出部１２２は、検査Ｅ１を、スコープ３０を割り当てる対象となる検査から除外する（Ｓ３８）。
【００５４】
続いて、Ｎが検査室総数（この例では、検査室総数＝４）と同じか判定され（Ｓ４０）、Ｎが検査室総数に達していなければ（Ｓ４０のＮ）、Ｎを１インクリメントして（Ｓ４２）、Ｓ３４に戻る。
【００５５】
Ｓ３４においては、第２検査室２０ｂから抽出した検査Ｅ２の検査開始予定時刻と、第１検査室２０ａ、第３検査室２０ｃ、第４検査室２０ｄから抽出した検査Ｅ１、Ｅ３、Ｅ４の次の検査、つまり検査Ｅ５、Ｅ７、Ｅ８の検査開始予定時刻とを比較して、検査Ｅ５、Ｅ７、Ｅ８の検査開始予定時刻の全てが、検査Ｅ１の検査開始予定時刻よりも遅いか否かが判定される。図４に示す検査スケジュールでは、検査Ｅ５、Ｅ７、Ｅ８の検査開始予定時刻の全てが、検査Ｅ２の検査開始予定時刻よりも遅いため（Ｓ３４のＹ）、検査抽出部１２２は、検査Ｅ２を、スコープ３０を割り当てる対象となる検査として特定する（Ｓ３６）。
【００５６】
以上のように、Ｓ３４の判定処理は、Ｓ３０で各検査室２０から抽出した全ての検査に関して実行される。ここでは、Ｓ３０で各検査室２０から抽出した検査番号Ｅ１、Ｅ２、Ｅ３、Ｅ４の全ての検査が、スコープ３０を割り当てる対象となる検査として特定され（Ｓ３６）、その時点でＮが検査室総数に達しているため（Ｓ４０のＹ）、割当対象検査の抽出処理が終了する。図７に示す基本フローチャートを参照して、Ｓ１６の割当対象検査の抽出処理が終了すると、Ｓ１８のスコープ割当処理が開始される。
【００５７】
図９は、基本フローチャートのＳ１８に示すスコープ割当処理の詳細フローチャートを示す。第１割当処理部１２０において、スコープ割当部１２６が、検査スケジュール管理部１１０でスケジュール管理されている各々の内視鏡検査に対し、所有する複数のスコープ３０の中から使用するスコープを割り当てる処理を行う。
【００５８】
このスコープ割当処理を行う前提として、まずスコープ特定部１２４が、スコープの割当対象として抽出された検査の開始予定時刻における全てのスコープ３０のステータスを特定する（Ｓ５０）。図２に関して説明したように、スコープ３０のステータスは、ＳＴ１〜ＳＴ４のいずれかで特定される。
【００５９】
図１０は、Ｓ５０のステータス特定処理の詳細フローチャートを示す。まずスコープ特定部１２４は、割当対象となる検査の検査開始予定時刻を設定する（Ｓ７０）。検査Ｅ１〜Ｅ４の検査開始予定時刻は、いずれも９：００であるため、ここでは時刻が９：００にセットされる。スコープ特定部１２４は、所有スコープマスタテーブル２２２に記録されている内視鏡番号１〜１９の全てのスコープの設定時刻におけるステータスを特定する。
【００６０】
スコープ３０のスケジュール情報を参照して、設定時刻（９：００）が、割り当てられた検査の時間内であれば（Ｓ７２のＹ）、当該スコープ３０のステータスは、「使用中」と特定される（Ｓ７４）。また設定時刻が、検査時間外であって（Ｓ７２のＮ）、割り当てられた検査の終了後、洗浄開始前であれば（Ｓ７６のＹ）、当該スコープ３０のステータスは、「使用済」と特定される（Ｓ７８）。また設定時刻が、検査終了後、洗浄開始前ではなく（Ｓ７６のＮ）、洗浄時間内であれば（Ｓ８０のＹ）、当該スコープ３０のステータスは、「洗浄中」と特定される（Ｓ８２）。なお、設定時刻が洗浄時間内でもなければ（Ｓ８０のＮ）、当該スコープ３０のステータスは、「待機中」と特定される（Ｓ８４）。このようにスコープ特定部１２４は、全てのスコープに関して、設定時刻におけるステータスを特定することで、検査開始予定時刻に「待機中」つまりは割当可能なスコープがどれであるかを把握できる。
【００６１】
図９に戻って、スコープ特定部１２４は、所有するスコープの検索処理を実行して、使用可能なスコープ３０を特定する（Ｓ５２）。ここでスコープ特定部１２４は、Ｓ５０において「待機中」と特定したスコープに絞って、検索処理を実行する。「待機中」以外のステータス、つまり「使用中」、「使用済」、「洗浄中」ステータスのスコープ３０は、その時点で検査に割り当てることはできないため、これらを検索対象から外すことで、検索効率を高められる。
【００６２】
図１１は、Ｓ５２のスコープの検索処理の詳細フローチャートを示す。スコープ特定部１２４は、「待機中」のステータスをもつ全てのスコープ３０に関して、検索処理を実行する。ここでスコープ特定部１２４は、割当対象となる検査の検査種別を特定する。ここでは、割当対象となる全ての検査Ｅ１〜Ｅ４の検査開始予定時刻が９：００であり、Ｓ５０において、９：００において全てのスコープ３０のステータスが「待機中」であることが特定されている。そこでスコープ特定部１２４は、検査Ｅ１、Ｅ２、Ｅ３、Ｅ４のそれぞれについて、「待機中」ステータスを有するスコープ３０が、検査種別に対応しているか否かを判定する（Ｓ９０）。
【００６３】
実施形態においてスコープ特定部１２４は、割当対象となる内視鏡検査の検査種別情報にもとづいて、使用可能なスコープ３０を特定する。なお実施形態では、検査種別は、上部検査であるか、または下部検査であるかで区別される。したがってＳ９０では、検査の検査種別情報が上部検査を示す場合に、上部検査用スコープであれば対応しており、下部検査用スコープであれば対応していないことが判定される。また同様に、検査の検査種別情報が下部検査を示す場合に、下部検査用スコープであれば対応しており、上部検査用スコープであれば対応していないことが判定される。
【００６４】
図６に示す所有スコープマスタテーブル２２２および図４に示す検査スケジュールを参照して、スコープ特定部１２４は、検査番号Ｅ１、Ｅ２、Ｅ３の上部検査に対しては、上部検査用スコープである内視鏡番号１〜１４のスコープを候補スコープとして決定し（Ｓ９２）、一方、下部検査用スコープである内視鏡番号１５〜１９のスコープを、検査番号Ｅ１、Ｅ２、Ｅ３の検査には割当不能として決定する（Ｓ９４）。またスコープ特定部１２４は、検査番号Ｅ４の下部検査に対しては、下部検査用スコープである内視鏡番号１５〜１９のスコープを候補スコープとして決定し（Ｓ９２）、一方、上部検査用スコープである内視鏡番号１〜１４のスコープを、検査番号Ｅ４の検査には割当不能として決定する（Ｓ９４）。スコープ特定部１２４は、特定した候補スコープと検査番号との対応を、スコープ割当部１２６に通知する。
【００６５】
図９に戻って、スコープ割当部１２６は、スコープ特定部１２４により特定された候補スコープに基づいて、検査スケジュール管理部１１０で管理されている各々の検査に対し、使用するスコープ３０を割り当てる。具体的にスコープ割当部１２６は、スコープ特定部１２４により特定された候補スコープのうちの１つを、内視鏡検査に割り当てる。以下の例では、複数の候補スコープのうち、図６に示す所有スコープマスタテーブル２２２に設定された内視鏡番号の小さいものから検査に対して割り当てることとするが、この順番に限定することを意図するものではない。
【００６６】
まずスコープ割当部１２６は、検査Ｅ１に対して割当可能なスコープがあることを判定する（Ｓ５４のＹ）。ここでスコープ特定部１２４により検査Ｅ１、Ｅ２、Ｅ３に対して内視鏡番号１〜１４のスコープが割当可能であることが通知されており、したがってスコープ割当部１２６は、検査Ｅ１に対して、内視鏡番号１のスコープＧ−Ｒ−１を割り当てる（Ｓ５６）。なお、同じスコープＧ−Ｒ−１が他の検査に割り当てられないように、スコープ割当部１２６は、スコープＧ−Ｒ−１のステータスを「使用中」に設定する（Ｓ５８）。ステータスを「使用中」に設定すると、そのスコープＧ−Ｒ−１は、次のスコープ割当部１２６による割当の際に、候補スコープから外される。
【００６７】
次にスコープ割当部１２６は、検査Ｅ２に対して割当可能なスコープがあることを判定し（Ｓ５４のＹ）、検査Ｅ２に対して、内視鏡番号２のスコープＧ−Ｒ−２を割り当て（Ｓ５６）、スコープＧ−Ｒ−２のステータスを「使用中」に設定する（Ｓ５８）。同様にスコープ割当部１２６は、検査Ｅ３に対して、内視鏡番号３のスコープＧ−Ｒ−３を割り当て（Ｓ５６）、スコープＧ−Ｒ−３のステータスを「使用中」に設定する（Ｓ５８）。
【００６８】
次にスコープ割当部１２６は、検査Ｅ４に対して割当可能なスコープがあることを判定する（Ｓ５４のＹ）。ここでスコープ特定部１２４により検査Ｅ４に対して内視鏡番号１５〜１９のスコープが割当可能であることが通知されており、したがってスコープ割当部１２６は、検査Ｅ４に対して、内視鏡番号１５のスコープＣ−Ｒ−１を割り当て（Ｓ５６）、スコープＣ−Ｒ−１のステータスを「使用中」に設定する（Ｓ５８）。
【００６９】
Ｓ５４において、検査に対して割当可能なスコープがない場合には（Ｓ５４のＮ）、スコープ割当部１２６は、ユーザに対して、割当不能であることを通知する（Ｓ６０）。なお、この通知のタイミングは、全検査に対してスコープ３０の割当処理が完了した後であってよい。少なくともユーザは、１日の内視鏡検査業務の開始前に、スコープ３０を割り当てられていない検査が存在することを認識する必要がある。
【００７０】
スコープ割当部１２６による割当処理は、抽出した全ての割当対象となる検査についてスコープ３０の割当が完了するまで繰り返され（Ｓ６２のＮ）、全ての検査（ここではＥ１〜Ｅ４）についてスコープ３０が割り当てられると（Ｓ６２のＹ）、このスコープ割当処理が終了する。スコープ割当部１２６による割当結果は、検査スケジュール管理部１１０に通知される。
【００７１】
図１２は、検査スケジュール管理部１１０により更新された検査スケジュールを示す。検査スケジュール管理部１１０は、スコープ割当部１２６から割当結果を通知されると、該当する検査に、割り当てられたスコープ３０を登録する。ここでは検査Ｅ１にスコープＧ−Ｒ−１が使用されること、検査Ｅ２にスコープＧ−Ｒ−２が使用されること、検査Ｅ３にスコープＧ−Ｒ−３が使用されること、検査Ｅ４にスコープＣ−Ｒ−１が使用されること、が登録されている。検査スケジュール管理部１１０は、更新した検査スケジュールを、検査スケジュール保持部２０６に記録する。このようにして、スコープＧ−Ｒ−１、Ｇ−Ｒ−２、Ｇ−Ｒ−３、Ｃ−Ｒ−１のスケジュール情報が生成される。
【００７２】
図７に戻って、Ｓ１８のスコープ割当処理が終了すると、Ｓ２０の洗浄機割当処理が開始される。
図３において、洗浄スケジュール管理部１３０は、洗浄機５０と、洗浄開始予定時刻情報および洗浄終了予定時刻情報を含む複数のスコープの洗浄スケジュールを管理する。第２割当処理部１４０は、複数の洗浄機５０の中から、各々の内視鏡検査で使用されるスコープ３０を洗浄するための洗浄機５０を割り当てる。洗浄スケジュール管理部１３０は、第２割当処理部１４０によりスコープ３０に対して割り当てられた洗浄機５０に基づいて、スコープ３０の洗浄スケジュールを生成して、洗浄スケジュール保持部２０８に記録する。
【００７３】
図１３は、基本フローチャートのＳ２０に示す洗浄機割当処理の詳細フローチャートを示す。第２割当処理部１４０は、洗浄機特定部１４２、洗浄機割当部１４４、終了時刻判定部１４６、洗浄機割当可否確認部１４８および担当者割当部１４９を備える。
【００７４】
洗浄機特定部１４２が、Ｓ１８で割り当てられたスコープ３０のそれぞれに対して、所有する洗浄機５０の検索処理を実行して、使用可能な洗浄機５０を特定する（Ｓ１１０）。なお洗浄機５０の使用が制限されない場合、つまりスコープ３０に対して全ての洗浄機５０の使用が許可されている場合には、洗浄機特定部１４２は、全ての第１洗浄機５０ａ〜第４洗浄機５０ｄが使用可能であることを特定する。このとき洗浄機特定部１４２は、洗浄スケジュール保持部２０８に保持されている洗浄スケジュールを参照して、各洗浄機５０について、使用可能な時間帯を取得する。なお使用可能な時間帯とは、洗浄予定のない時間帯を意味する。なお第２割当処理部１４０が最初に洗浄機割当処理を実行する際には、洗浄スケジュールはブランクであり、つまり、いずれの洗浄機５０にも洗浄予定は登録されておらず、したがって全ての時間帯が使用可能となっている。使用可能な洗浄機５０およびその使用可能な時間帯は、洗浄機割当部１４４に通知される。
【００７５】
洗浄機割当部１４４は、複数の使用可能な洗浄機５０の中から、各々の内視鏡検査で使用されるスコープ３０を洗浄するための洗浄機５０を割り当てる。ここで洗浄機割当部１４４は、スコープ割当部１２６により内視鏡検査に対して割り当てられたスコープ３０の検査終了予定時刻以後の時刻が洗浄開始予定時刻となるように、当該スコープ３０を洗浄するための洗浄機５０を割り当てる。なお本実施形態では、業務効率化の観点から、検査終了予定時刻と同じ時刻を洗浄開始予定時刻に設定可能としているが、検査終了予定時刻と洗浄開始予定時刻の間には、所定時間のインターバルを設けてもよい。また本実施形態では、洗浄機５０が１本のスコープ３０を洗浄することを前提とするが、仕様によっては洗浄機５０が複数本（たとえば２本）のスコープ３０を洗浄でき、洗浄機割当部１４４が、複数本のスコープ３０に対して洗浄機５０を割り当ててもよい。
【００７６】
洗浄機割当部１４４は、洗浄機５０を割り当てる対象となる複数のスコープ３０、すなわちＳ１８において検査に割り当てられた複数のスコープ３０のうち、検査終了予定時刻の早いものから順に、洗浄機５０を割り当てる。ここで検査Ｅ１〜Ｅ３の検査終了予定時刻は９：１０であり、検査Ｅ４の検査終了予定時刻は９：１５であるため、洗浄機割当部１４４は、検査Ｅ１、Ｅ２、Ｅ３、Ｅ４の順番で、使用されるスコープに対して洗浄機５０を割り当てる。なお本実施形態においては、スコープ３０に対して、割当可能な洗浄機５０が常に存在している（Ｓ１１２のＹ）ことを前提としているが、割当可能な洗浄機５０が存在していない場合（Ｓ１１２のＮ）には、スコープ３０に洗浄機５０を割当不能であることが通知される（Ｓ１１６）。
【００７７】
洗浄機割当部１４４は、検査Ｅ１で使用するスコープＧ−Ｒ−１に対して、第１洗浄機５０ａを割り当てる（Ｓ１１４）。なお実施形態において、全ての洗浄機５０の洗浄予定時間を２０分と設定するが、洗浄機５０ごとに洗浄予定時間は異なってもよく、また洗浄機５０における洗浄モードによって洗浄予定時間が異なってもよい。洗浄機割当部１４４は、検査Ｅ１の終了予定時刻を、洗浄開始予定時刻に設定し、その２０分後を洗浄終了予定時刻に設定する（Ｓ１１８）。この割当により、第１洗浄機５０ａは、９：１０〜９：３０の間は、「使用中」のステータスが設定される。洗浄機５０のステータスは、「使用中」または「待機中」のいずれかをとり、スケジュール情報の生成処理を開始する際には、全ての洗浄機５０のステータスが「待機中」であることを前提とする。なおスコープＧ−Ｒ−１の９：１０〜９：３０の間のステータスは「洗浄中」となる。
【００７８】
次に洗浄機割当部１４４は、検査Ｅ２で使用するスコープＧ−Ｒ−２に対して、第２洗浄機５０ｂを割り当てる（Ｓ１１４）。洗浄機割当部１４４は、検査Ｅ２の終了予定時刻を、洗浄開始予定時刻（９：１０）に設定し、その２０分後である９：３０を洗浄終了予定時刻に設定する（Ｓ１１８）。この割当により、第２洗浄機５０ｂは、９：１０〜９：３０の間は、「使用中」のステータスが設定される。
【００７９】
次に洗浄機割当部１４４は、検査Ｅ３で使用するスコープＧ−Ｒ−３に対して、第３洗浄機５０ｃを割り当てる（Ｓ１１４）。洗浄機割当部１４４は、検査Ｅ３の終了予定時刻を、洗浄開始予定時刻（９：１０）に設定し、その２０分後である９：３０を洗浄終了予定時刻に設定する（Ｓ１１８）。この割当により、第３洗浄機５０ｃは、９：１０〜９：３０の間は、「使用中」のステータスが設定される。
【００８０】
最後に洗浄機割当部１４４は、検査Ｅ４で使用するスコープＣ−Ｒ−１に対して、第４洗浄機５０ｄを割り当てる（Ｓ１１４）。洗浄機割当部１４４は、検査Ｅ４の終了予定時刻を、洗浄開始予定時刻（９：１５）に設定し、その２０分後である９：３５を洗浄終了予定時刻に設定する（Ｓ１１８）。この割当により、第４洗浄機５０ｄは、９：１５〜９：３５の間は、「使用中」のステータスが設定される。
【００８１】
このように洗浄機割当処理は、検査で使用する全てのスコープ３０について洗浄機５０が割り当てられるまで（Ｓ１２０のＮ）、繰り返される。検査で使用する全てのスコープ３０について洗浄機５０を割り当てると（Ｓ１２０のＹ）、洗浄機割当処理を終了する。洗浄機割当部１４４による割当結果は、洗浄スケジュール管理部１３０に通知される。
【００８２】
図１４は、洗浄スケジュール管理部１３０により生成された洗浄スケジュールを示す。ここでは洗浄機割当部１４４による割当結果が洗浄スケジュールに反映されており、具体的には９：１０〜９：３０の間に、第１洗浄機５０ａでスコープＧ−Ｒ−１が洗浄されること、第２洗浄機５０ｂでスコープＧ−Ｒ−２が洗浄されること、第３洗浄機５０ｃでスコープＧ−Ｒ−３が洗浄されること、９：１５〜９：３５の間に第４洗浄機５０ｄでスコープＣ−Ｒ−１が洗浄されること、が登録されている。洗浄スケジュール管理部１３０は、更新した洗浄スケジュールを、洗浄スケジュール保持部２０８に記録する。
【００８３】
図１５は、スコープ３０の個体のスケジュール情報を示す。ここでは理解を容易にするために、上記した処理が終了した段階で表示処理部１５０が個体スケジュールを表示する例を示しているが、実際には、全てのスケジューリングを終了した段階で、表示処理部１５０は、個体スケジュールを表示する。なお、図１５において、Ｃ１は第１洗浄機５０ａ、Ｃ２は第２洗浄機５０ｂ、Ｃ３は第３洗浄機５０ｃ、Ｃ４は第４洗浄機５０ｄで洗浄中であることを示している。またＥ１、Ｅ２等は、使用中の検査の検査番号を示す。かかる個体スケジュールにより示される情報は、各個体のスケジュール情報となる。
【００８４】
図７に戻って、Ｓ２０の洗浄機割当処理が終了すると、全検査番号の検査について処理が完了したかを判定し（Ｓ２２）、完了していなければ、Ｓ１６に戻って、基本フローが繰り返される。
以下、Ｓ１６〜Ｓ２０のステップを繰り返し実行して、スコープ３０のスケジュール情報を生成するプロセスを説明する。なお、検査Ｅ１〜Ｅ４に関して上記したＳ１６〜Ｓ２０のステップは、１回目の処理となる。
【００８５】
＜２回目：Ｓ１６〜Ｓ２０＞
Ｓ１６において、検査抽出部１２２が、第１検査室２０ａから検査Ｅ５、第２検査室２０ｂから検査Ｅ６、第３検査室２０ｃから検査Ｅ７、第４検査室２０ｄから検査Ｅ８を抽出して、検査Ｅ５〜Ｅ８を、スコープ３０を割り当てる対象となる検査として特定する。
【００８６】
Ｓ１８において、スコープ特定部１２４が、検査Ｅ５、Ｅ６、Ｅ７に対して、上部検査用スコープである内視鏡番号４〜１４のスコープを候補スコープとして決定し、検査Ｅ８に対して、下部検査用スコープである内視鏡番号１６〜１９のスコープを候補スコープとして決定する。なお検査Ｅ５、Ｅ６、Ｅ７の検査開始予定時刻（９：１５）において、内視鏡番号１〜３のスコープのステータスは「洗浄中」であるため、検査Ｅ５、Ｅ６、Ｅ７の候補スコープとはならない。また検査Ｅ８の検査開始予定時刻（９：２０）において、内視鏡番号１５のスコープのステータスは「洗浄中」であるため、検査Ｅ８の候補スコープとはならない。特定された候補スコープは、スコープ割当部１２６に通知される。
【００８７】
スコープ特定部１２４からの通知を受けて、スコープ割当部１２６は、検査Ｅ５に対して内視鏡番号４のスコープＧ−Ｒ−４を、検査Ｅ６に対して内視鏡番号５のスコープＧ−Ｒ−５を、検査Ｅ７に対して内視鏡番号６のスコープＧ−Ｒ−６を割り当てる。またスコープ割当部１２６は、検査Ｅ８に対して内視鏡番号１６のスコープＣ−Ｒ−２を割り当てる。
【００８８】
Ｓ２０において、洗浄機割当部１４４は、検査Ｅ５のスコープＧ−Ｒ−４に対して第１洗浄機５０ａを割り当て、検査Ｅ６のスコープＧ−Ｒ−５に対して第２洗浄機５０ｂを割り当て、検査Ｅ７のスコープＧ−Ｒ−６に対して第３洗浄機５０ｃを割り当て、検査Ｅ８のスコープＣ−Ｒ−２に対して第４洗浄機５０ｄを割り当てる。なお洗浄機割当部１４４は、スコープＧ−Ｒ−４、Ｇ−Ｒ−５、Ｇ−Ｒ−６の洗浄開始予定時刻を９：３０、洗浄終了予定時刻を９：５０に設定し、スコープＣ−Ｒ−２の洗浄開始予定時刻を９：３５、洗浄終了予定時刻を９：５５に設定する。
【００８９】
図１６は、検査スケジュール管理部１１０により生成された検査スケジュールおよび洗浄スケジュール管理部１３０により生成された洗浄スケジュールを示す。ここではスコープ特定部１２４による割当結果が検査スケジュールに反映され、洗浄機割当部１４４による割当結果が洗浄スケジュールに反映されている。
【００９０】
＜３回目：Ｓ１６〜Ｓ２０＞
Ｓ１６において、検査抽出部１２２が、第１検査室２０ａから検査Ｅ９、第２検査室２０ｂから検査Ｅ１０、第３検査室２０ｃから検査Ｅ１１、第４検査室２０ｄから検査Ｅ１２を抽出して、検査Ｅ９〜Ｅ１２を、スコープ３０を割り当てる対象となる検査として特定する。
【００９１】
Ｓ１８において、スコープ特定部１２４が、検査Ｅ９、Ｅ１０、Ｅ１１に対して、上部検査用スコープである内視鏡番号１〜３、７〜１４のスコープを候補スコープとして決定し、検査Ｅ１２に対して、下部検査用スコープである内視鏡番号１５、１７〜１９のスコープを候補スコープとして決定する。なお検査Ｅ９、Ｅ１０、Ｅ１１の検査開始予定時刻（９：３０）において、内視鏡番号４〜６のスコープのステータスは「洗浄中」であるため、検査Ｅ９、Ｅ１０、Ｅ１１の候補スコープとはならない。また検査Ｅ１２の検査開始予定時刻（９：４０）において、内視鏡番号１６のスコープのステータスは「洗浄中」であるため、検査Ｅ１２の候補スコープとはならない。特定された候補スコープは、スコープ特定部１２４に通知される。
【００９２】
なお内視鏡番号１〜３のスコープは、９：３０が洗浄終了予定時刻であり、９：３０の時点で洗浄が終了しているため、ステータスは「待機中」であり、検査Ｅ９、Ｅ１０、Ｅ１１の候補スコープとなる。また内視鏡番号１５のスコープは、９：３５が洗浄終了予定時刻であり、９：４０の時点でステータスは「待機中」であり、検査Ｅ１２の候補スコープとなる。
【００９３】
スコープ特定部１２４からの通知を受けて、スコープ割当部１２６は、検査Ｅ９に対して内視鏡番号１のスコープＧ−Ｒ−１を、検査Ｅ１０に対して内視鏡番号２のスコープＧ−Ｒ−２を、検査Ｅ１１に対して内視鏡番号３のスコープＧ−Ｒ−３を割り当てる。またスコープ割当部１２６は、検査Ｅ１２に対して内視鏡番号１５のスコープＣ−Ｒ−１を割り当てる。
【００９４】
このようにスコープ割当部１２６は、検査開始予定時刻において洗浄が終了して「待機中」となっているスコープを、当該検査に再割り当てできる。つまりスケジューリング処理においては、スコープ割当部１２６は、洗浄機割当部１４４によりスコープ３０に対して割り当てられた洗浄機５０による洗浄終了予定時刻以後の時刻が、検査開始予定時刻となるように、内視鏡検査に対しスコープ３０を割り当てることができる。この３回目のステップにおいては、洗浄機割当部１４４が効率的に洗浄機５０をスコープ３０に割り当てていることで、スコープＧ−Ｒ−１、Ｇ−Ｒ−２、Ｇ−Ｒ−３、Ｃ−Ｒ−１がそれぞれの洗浄終了予定時刻以後に開始される検査に再割り当てされており、スコープ３０の効率的なスケジューリングが可能となっている。
【００９５】
Ｓ２０において、洗浄機割当部１４４は、検査Ｅ９のスコープＧ−Ｒ−１に対して第１洗浄機５０ａを割り当て、検査Ｅ１０のスコープＧ−Ｒ−２に対して第２洗浄機５０ｂを割り当て、検査Ｅ１１のスコープＧ−Ｒ−３に対して第３洗浄機５０ｃを割り当て、検査Ｅ１２のスコープＣ−Ｒ−１に対して第１洗浄機５０ａを割り当てる。なお洗浄機割当部１４４は、スコープＧ−Ｒ−１、Ｇ−Ｒ−２、Ｇ−Ｒ−３の洗浄開始予定時刻を９：５０、洗浄終了予定時刻を１０：１０に設定し、スコープＣ−Ｒ−１の洗浄開始予定時刻を１０：１０、洗浄終了予定時刻を１０：３０に設定する。
【００９６】
図１７は、検査スケジュール管理部１１０により生成された検査スケジュールおよび洗浄スケジュール管理部１３０により生成された洗浄スケジュールを示す。ここではスコープ特定部１２４による割当結果が検査スケジュールに反映され、洗浄機割当部１４４による割当結果が洗浄スケジュールに反映されている。
【００９７】
検査スケジュールに示されるように、スコープＣ−Ｒ−１が使用される検査Ｅ１２は、その検査終了予定時刻が１０：００であり、一方で、第４洗浄機５０ｄの洗浄スケジュールによると、第４洗浄機５０ｄは、９：５５以降は使用可能となっている。そのため洗浄機割当部１４４は、検査Ｅ１２のスコープＣ−Ｒ−１に、１０：００から第４洗浄機５０ｄを割り当てることも可能であるが、第４洗浄機５０ｄに５分の未使用時間が生じてしまうため、洗浄機割当部１４４は、スコープＣ−Ｒ−１に、第１洗浄機５０ａを割り当てている。
【００９８】
＜４回目：Ｓ１６〜Ｓ２０＞
Ｓ１６において、検査抽出部１２２が、第１検査室２０ａから検査Ｅ１４、第２検査室２０ｂから検査Ｅ１５、第３検査室２０ｃから検査Ｅ１３、第４検査室２０ｄから検査Ｅ１９を抽出する。ここで図８のＳ３４のステップを実行すると、第３検査室２０ｃにおける検査Ｅ１３の次の検査Ｅ１６の検査開始予定時刻（１０：００）は、第４検査室２０ｄにおける検査Ｅ１９の検査開始予定時刻（１０：０５）よりも早い（Ｓ３４のＮ）。つまり第４検査室２０ｄから抽出された検査Ｅ１９は、まだ抽出されていない第３検査室２０ｃの検査Ｅ１６よりも後に開始される。そのため検査抽出部１２２は、検査Ｅ１６の前に、検査Ｅ１９にスコープを割り当てるべきでないと判断し、検査Ｅ１９をスコープを割り当てる対象となる検査から外す（Ｓ３８）。なお検査Ｅ１３、Ｅ１４、Ｅ１５については、スコープ３０を割り当てる対象となる検査として特定する。
【００９９】
Ｓ１８において、スコープ特定部１２４が、検査開始予定時刻を９：４５とする検査Ｅ１３に対して、上部検査用スコープである内視鏡番号７〜１４のスコープを候補スコープとして決定する。この検査開始予定時刻（９：４５）において、内視鏡番号１〜３のスコープのステータスは「使用済」であり、内視鏡番号４〜６のスコープのステータスは「洗浄中」であるため、検査Ｅ１３の候補スコープとはならない。またスコープ特定部１２４は、検査開始予定時刻を９：５０とする検査Ｅ１４、Ｅ１５に対して、上部検査用スコープである内視鏡番号４〜１４のスコープを候補スコープとして決定する。この検査開始予定時刻（９：５０）において、内視鏡番号１〜３のスコープのステータスは「洗浄中」であるため、検査Ｅ１３の候補スコープとはならない。特定された候補スコープは、スコープ特定部１２４に通知される。
【０１００】
スコープ特定部１２４からの通知を受けて、スコープ割当部１２６は、検査Ｅ１３に対して内視鏡番号７のスコープＧ−Ｈ−１を、検査Ｅ１４に対して内視鏡番号４のスコープＧ−Ｒ−４を、検査Ｅ１５に対して内視鏡番号５のスコープＧ−Ｒ−５を割り当てる。スコープＧ−Ｒ−４、Ｇ−Ｒ−５は、９：５０に洗浄を終了した後、再度検査に割り当てられている。
【０１０１】
Ｓ２０において、洗浄機割当部１４４は、検査Ｅ１３のスコープＧ−Ｈ−１に対して第４洗浄機５０ｄを割り当て、検査Ｅ１４のスコープＧ−Ｒ−４に対して第２洗浄機５０ｂを割り当て、検査Ｅ１５のスコープＧ−Ｒ−５に対して第３洗浄機５０ｃを割り当てる。なお洗浄機割当部１４４は、スコープＧ−Ｈ−１の洗浄開始予定時刻を９：５５、洗浄終了予定時刻を１０：１５に設定し、Ｇ−Ｒ−４、Ｇ−Ｒ−５の洗浄開始予定時刻を１０：１０、洗浄終了予定時刻を１０：３０に設定する。
【０１０２】
図１８は、検査スケジュール管理部１１０により生成された検査スケジュールおよび洗浄スケジュール管理部１３０により生成された洗浄スケジュールを示す。ここではスコープ特定部１２４による割当結果が検査スケジュールに反映され、洗浄機割当部１４４による割当結果が洗浄スケジュールに反映されている。
【０１０３】
図１９は、スコープ３０の個別スケジュールを示す。このように基本フローチャートにおけるＳ１６〜Ｓ２０を４回繰り返すことで、スコープ３０の個別スケジュール情報が図１９に示すように作成されている。
【０１０４】
以上のように、Ｓ１６〜Ｓ２０の処理を最後の検査に対する割当処理が完了するまで繰り返す。
図２０は、検査スケジュール管理部１１０により生成された検査スケジュールおよび洗浄スケジュール管理部１３０により生成された洗浄スケジュールを示す。ここではスコープ特定部１２４による割当結果が検査スケジュールに反映され、洗浄機割当部１４４による割当結果が洗浄スケジュールに反映されている。このように全ての検査に対して、スコープ３０の割り当てが完了し、またスコープ３０に対して洗浄機５０の割り当てが完了することで、スコープ３０のスケジュール情報の生成処理が終了する。
【０１０５】
図２１は、１日分のスコープ３０の個別スケジュールを示す。
スコープ割当部１２６によるスコープ３０の割当結果および／または洗浄機割当部１４４による洗浄機５０の割当結果は、表示処理部１５０により端末装置１２のディスプレイに表示される。
たとえば表示処理部１５０は、検査スケジュール保持部２０６から検査スケジュール情報を読み出して、図２０に示す検査スケジュール表を端末装置１２に表示してもよい。また表示処理部１５０は、洗浄スケジュール保持部２０８から洗浄スケジュール情報を読み出して、図２０に示す洗浄スケジュール表を端末装置１２に表示してもよい。また表示処理部１５０は、検査スケジュール表および洗浄スケジュール表を、同一画面に表示してもよい。これにより医師および検査準備者は、検査にどのスコープ３０を使用するかを容易に認識でき、また検査準備者は、使用済みのスコープ３０をどの洗浄機５０で洗浄するかを容易に認識できるようになる。
【０１０６】
また表示処理部１５０は、検査スケジュール保持部２０６から検査スケジュール情報を読み出し、また洗浄スケジュール保持部２０８から洗浄スケジュール情報を読み出して、スコープ３０の個別スケジュール表を端末装置１２に表示してもよい。この個別スケジュール表は、図２１に示したものであり、かかる個別スケジュール表を生成することで、検査準備者は、スコープ３０の各個体のスケジュールを知ることができる。検査準備者は、ある時点におけるスコープ３０の状況を知りたい場合に、個別スケジュール表により、スコープ３０が洗浄中であるのか、または検査使用中であるのかなどの状況を知ることができる。
【０１０７】
なお図２１に示すように、スコープＣ−Ｒ−１は、１２：３０〜１２：５０まで洗浄予定となっている。医療施設にもよるが、検査準備者の昼休みがたとえば１２：３０〜１３：３０と定められているような場合には、この洗浄処理は、勤務時間外であることが通知されてもよい。
【０１０８】
終了時刻判定部１４６は、洗浄機割当部１４４によりスコープ３０に洗浄機５０を割り当てた結果、洗浄終了予定時刻が基準時刻（１２：３０）以後となるか否かを判定する。終了時刻判定部１４６により洗浄終了予定時刻が基準時刻以後となることが判定された場合に、洗浄機割当可否確認部１４８は、洗浄機割当の可否をユーザ（たとえば操作者）に確認する通知を行ってもよい。たとえば、この通知のタイミングは、全検査に対してスコープ３０の割当処理が完了した後であってよい。なお図２１を参照して、スコープＧ−Ｈ−１の洗浄終了予定時刻は１２：３５であるため、この洗浄予定に対しても、洗浄機割当可否確認部１４８は、洗浄機割当の可否をユーザに確認する。
【０１０９】
なお医師のスケジュールは、検査オーダによって定められており、医師は、検査スケジュール表により、次の検査の開始予定時刻および検査室などを把握する。同様に情報管理装置１０は検査準備者に対して、スケジュールを設定してもよい。このスケジュールでは、検査準備者が、検査開始前にスコープ３０を検査室２０に運び込み、また検査終了後にスコープ３０を洗浄室４０に運び込むことなどが設定されてよく、また検査室内で検査補助することなどが設定されていてもよい。
【０１１０】
以下、実施形態の情報管理装置１０によるスケジューリング処理に関する様々な態様について説明する。
＜実施例１＞
実施形態では、図１１に示すスコープの検索処理において、スコープ特定部１２４が、割当対象となる内視鏡検査の検査種別情報にもとづいて、使用可能なスコープ３０を特定した。このとき検査種別は、上部検査であるか、または下部検査であるかで区別していたが、実施例１では、さらに詳細な検査内容を示す検査種別情報にもとづいて、スコープ特定部１２４が、使用可能なスコープ３０を特定する。
【０１１１】
図２２は、スコープ順位保持部２０４に保持されたスコープ順位テーブルを示す。スコープ順位テーブルは、検査種別に対して、優先的に割り当てるべきスコープ機種を対応付けて記録する。ここで「優先スコープ機種１」は、最も優先的に割り当てられるべき機種に関する情報であり、「優先スコープ機種２」は、２番目に優先的に割り当てられるべき機種に関する情報である。スコープ特定部１２４は、「優先スコープ機種１」で指定されるスコープ３０が「待機中」であれば、そのスコープ３０を候補スコープとして特定する。一方、スコープ特定部１２４は、「優先スコープ機種１」で指定されるスコープ３０が「待機中」ではなく、「優先スコープ機種２」で指定されるスコープ３０が「待機中」であれば、「優先スコープ機種２」のスコープ３０を候補スコープとして特定する。このようにスコープ順位保持部２０４は、内視鏡検査の検査種別に対して、割り当てるスコープ３０の機種の優先順位を保持し、スコープ特定部１２４は、優先順位の高い機種のスコープ３０を候補スコープとして特定する。
【０１１２】
図２３は、実施例１におけるスコープの検索処理の詳細フローチャートを示す。スコープ特定部１２４は、「待機中」のステータスをもつ全てのスコープ３０に関して、検索処理を実行する。スコープ特定部１２４は、割当対象となる内視鏡検査の検査種別情報にもとづいて、使用可能なスコープ３０を特定する。Ｓ９０では、検査の検査種別情報が上部検査を示す場合に、上部検査用スコープであれば対応しており、下部検査用スコープであれば対応していないことが判定される。また同様に、検査の検査種別情報が下部検査を示す場合に、下部検査用スコープであれば対応しており、上部検査用スコープであれば対応していないことが判定される。
【０１１３】
実施形態における１回目のＳ１６〜Ｓ２０のステップに関して説明すると、スコープ特定部１２４は、検査Ｅ１、Ｅ２、Ｅ３に対しては、上部検査用スコープである内視鏡番号１〜１４のスコープが対応しているスコープと判定し、検査Ｅ４に対しては、下部検査用スコープである内視鏡番号１５〜１９のスコープが対応しているスコープと判定する（Ｓ９０）。
【０１１４】
検査Ｅ１、Ｅ２、Ｅ３の検査種別は「上部ルーチン検査」であり、スコープ特定部１２４は、スコープ順位保持部２０４に保持されたスコープ順位情報を参照して、優先順位が最も高い機種（優先スコープ機種１）が「上部ルーチン機」であることを認識する。そこでスコープ特定部１２４は、対応するスコープに、「上部ルーチン機」が含まれているかを判定する（Ｓ９６）。ここでは上部ルーチン機として、内視鏡番号１〜６のスコープが存在するため（Ｓ９６のＹ）、スコープ特定部１２４は、内視鏡番号１〜６のスコープを候補スコープとして決定する（Ｓ９２）。
【０１１５】
また検査Ｅ４の検査種別は「下部ルーチン検査」であり、スコープ特定部１２４は、スコープ順位保持部２０４に保持されたスコープ順位情報を参照して、優先順位が最も高い機種（優先スコープ機種１）が「下部ルーチン機」であることを認識する。そこでスコープ特定部１２４は、対応するスコープに、「下部ルーチン機」が含まれているかを判定する（Ｓ９６）。ここでは下部ルーチン機として、内視鏡番号１５〜１７のスコープが存在するため（Ｓ９６のＹ）、スコープ特定部１２４は、内視鏡番号１５〜１７のスコープを候補スコープとして決定する（Ｓ９２）。
【０１１６】
なお検査Ｅ１〜Ｅ３に関して、対応するスコープに、優先スコープ機種１のスコープが含まれていない場合（Ｓ９６のＮ）、スコープ特定部１２４は、スコープ順位保持部２０４に保持されたスコープ順位情報を参照して、優先順位が２番目に高い機種（優先スコープ機種２）が「上部高画質機」であることを認識する。そこでスコープ特定部１２４は、対応するスコープに、「上部高画質機」が含まれているかを判定し（Ｓ９８）、含まれていれば（Ｓ９８のＹ）、スコープ特定部１２４は、上部高画質機のスコープを候補スコープとして決定する（Ｓ９２）。
【０１１７】
なお対応するスコープに、優先スコープ機種２のスコープも含まれていない場合（Ｓ９８のＮ）には、スコープ特定部１２４は、Ｓ９０において検査種別に対応していると判定されたスコープのうち、優先スコープ機種以外の機種のスコープを、候補スコープとして決定する（Ｓ９２）。スコープ特定部１２４は、特定した候補スコープをスコープ割当部１２６に通知し、スコープ割当部１２６は、実施形態で説明したように、検査に対してスコープ３０を割り当てる。
【０１１８】
なおスコープ特定部１２４が、優先順位の低い機種のスコープ３０を特定し、スコープ割当部１２６が、内視鏡検査に、特定されたスコープを割り当てるときには、スコープ割当可否確認部１２８が、スコープ割当の可否をユーザに確認することが好ましい。たとえばスコープ割当可否確認部１２８は、優先スコープ機種１が割り当てられない場合には、優先順位の低い機種が割り当てられたとして、ユーザ確認を行ってもよいが、スコープ順位保持部２０４で設定されている機種が割り当てられていれば（たとえば優先スコープ機種２が割り当てられている）、ユーザ確認を行わなくてもよい。つまりスコープ特定部１２４が、優先スコープ機種以外の機種を候補スコープとして決定し、スコープ割当部１２６が、その候補スコープを検査に対して割り当てた場合に限って、スコープ割当可否確認部１２８が、スコープ割当の可否をユーザに確認するようにしてもよい。なおスコープ特定部１２４が、優先スコープ機種を候補スコープとして決定できない場合には（Ｓ９８のＮ）、候補スコープなしであることを決定して、スコープ割当可否確認部１２８が、その旨をユーザに通知してもよい。
【０１１９】
この確認のタイミングは、全検査に対してスコープ３０の割当処理が完了した後であってよい。少なくともユーザは、１日の内視鏡検査業務の開始前に、適切なスコープ３０を割り当てられていない検査が存在することを認識する必要がある。
【０１２０】
実施形態と実施例１とを比較すると、たとえば実施形態では、図１７に示すように、上部経鼻検査である検査Ｅ９に対して、上部ルーチン機であるスコープＧ−Ｒ−１が割り当てられている。しかしながら実施例１によると、スコープ特定部１２４が、スコープ順位保持部２０４に保持されたスコープ順位情報を参照して、検査Ｅ９の優先順位が最も高い機種（優先スコープ機種１）が「上部経鼻機」であることを認識することで、スコープ特定部１２４は、検査Ｅ９に対する候補スコープとして、内視鏡番号１０のスコープＧ−Ｎ−１を特定することになる。同様に、上部精査検査である検査Ｅ１０に対してスコープ特定部１２４は、候補スコープとして、上部高画質機である内視鏡番号７〜９のスコープＧ−Ｈ−１〜Ｇ−Ｈ−３を特定する。したがってスコープ割当部１２６は、検査Ｅ９に対してスコープＧ−Ｎ−１を割り当て、また検査Ｅ１０に対してスコープＧ−Ｈ−１を割り当てる。このように実施形態と比較すると、実施例１では、内視鏡検査に対して、優先順位の高い、すなわち検査に適したスコープ３０を割り当てられるため、検査スケジュールの完成度を高めることができる。
【０１２１】
＜実施例２＞
内視鏡検査業務支援システム１において、消耗や老朽化が進んだスコープは、機能劣化や、故障が生じやすくなる。一般に、スコープの消耗や老朽化が突出して進むケースは、そのスコープの使用回数や使用時間が他のスコープよりも極端に多い場合であるため、実施例２では、複数のスコープ３０の使用回数や使用時間を均等にすることを目的とする。
【０１２２】
図３に戻って、使用状況記憶部２２４は、所有する複数のスコープ３０の過去の使用状況を記憶する。
図２４は、使用状況記憶部２２４に記憶された使用状況テーブルを示す。使用状況テーブルは、各スコープ３０に対して、過去の使用状況を対応付けて記録している。この使用状況は、あくまでも過去のものであり、実際に使用されたときに、使用状況が更新されるようになっている。ここで使用状況は、「使用回数」と「使用時間」であり、「使用時間」は検査に使用された累積回数を、「使用時間」は検査に使用された累積時間を示す。
【０１２３】
図１を参照して、検査を開始する際、スコープ３０は、内視鏡観察装置２２に接続されるが、このときスコープ３０の識別情報（スコープＩＤ）がネットワーク２を介して情報管理装置１０に送信される。検査を終了する際、内視鏡観察装置２２において検査の終了ボタンが操作されると（またはスコープ３０が内視鏡観察装置２２から引き抜かれると）、検査の終了通知が情報管理装置１０に送信される。情報管理装置１０において、使用状況監視部１６０は、内視鏡観察装置２２から送信される情報を監視し、スコープＩＤが送信されてから、検査終了通知が送信されるまでの時間を、検査使用時間として導出する。検査終了通知が送信されると、使用状況監視部１６０は、使用状況テーブルにおける該当するスコープ３０の使用回数を１つ増やし、また使用時間に、今回導出した検査使用時間を加算して、使用状況テーブルを更新し、使用状況記憶部２２４に記録する。以上のようにして、使用状況テーブルが作成されている。
【０１２４】
なお図２４に示す使用状況テーブルは、あくまでも理解を容易にするために示した例である。図２４において、たとえば内視鏡番号１〜６の上部ルーチン機の使用回数や使用時間が大きく異なっているが、実施例２では、このような状況が発生しないように、複数スコープの使用回数や使用時間を平準化（均等化）するための技術を提案するものである。そのため図２４に示す使用状況テーブルは、あくまでも使用状況の例示にすぎないことにご留意いただきたい。
【０１２５】
実施例２において、スコープ割当部１２６は、検査スケジュール管理部１１０が管理する各々の内視鏡検査に割り当て可能なスコープ３０が複数存在する場合に、使用状況記憶部２２４に記憶された使用状況を参照して、過去の使用回数または過去の使用時間が相対的に少ないスコープ３０を優先して内視鏡検査に割り当てる。
【０１２６】
図２５は、図９に示すスコープ割当処理におけるＳ５６の詳細フローチャートを示す。スコープ割当部１２６は、スコープ特定部１２４から通知された候補スコープのうち、使用状況記憶部２２４に記憶された使用状況を参照して、過去の使用回数が最も少ない候補スコープを特定する（Ｓ１３０）。
【０１２７】
以下、実施例１において説明したスコープ検索処理により、検査Ｅ１、Ｅ２、Ｅ３の候補スコープを特定した例で説明する。実施例１ではスコープ特定部１２４が、検査Ｅ１、Ｅ２、Ｅ３の候補スコープとして、内視鏡番号１〜６のスコープを特定し、スコープ割当部１２６に通知している。
【０１２８】
スコープ割当部１２６は、使用状況記憶部２２４に記憶された内視鏡番号１〜６のスコープ使用状況を参照して、検査Ｅ１に対して、内視鏡番号１〜６のスコープのうち、使用回数が最も少ないスコープとして、内視鏡番号３のスコープＧ−Ｒ−３を特定する（Ｓ１３０）。スコープＧ−Ｒ−３の使用回数は４０回であり、スコープＧ−Ｒ−１、Ｇ−Ｒ−２、Ｇ−Ｒ−４、Ｇ−Ｒ−５、Ｇ−Ｒ−６の使用回数よりも相対的に少なく、また使用回数を４０回とするスコープは他にないため（Ｓ１３２のＹ）、スコープ割当部１２６は、検査Ｅ１に対して、スコープＧ−Ｒ−３を割り当てる（Ｓ１３６）。スコープ割当部１２６は、最も使用回数の少ないＧ−Ｒ−３を検査Ｅ１に優先して割り当てることで、スコープの使用回数の均等化に貢献する。
【０１２９】
なおスコープ割当部１２６は、検査にスコープを割り当てると、当該スコープの使用状況として、仮の使用回数および使用時間（仮の使用状況）を設定する（Ｓ１３８）。ここでは内視鏡番号３の使用回数を、仮に１増やし、また図５に示す検査種別マスタテーブル２１０を参照して、使用時間を仮に１０分（上部ルーチン検査の検査予定時間が１０分）増やす。これにより内視鏡番号３の仮の使用回数は「４１」となり、また仮の使用時間は「６６０分」となる。この仮の使用状況は、図２５に示す割当実行処理において、以後使用されることになる。
【０１３０】
なお仮の使用回数および使用時間は、使用状況記憶部２２４の使用状況テーブルに反映させない。仮の使用状況は、スコープ３０のスケジューリングに使用するための目的でのみ設定され、全ての検査に対してスコープ３０のスケジューリングが行われると、破棄されてよい。
【０１３１】
次にスコープ割当部１２６は、使用状況記憶部２２４に記憶された内視鏡番号１、２、４〜６のスコープ使用状況を参照して、検査Ｅ２に対して、内視鏡番号１、２、４〜６のスコープのうち、使用回数が最も少ないスコープとして、内視鏡番号２のスコープＧ−Ｒ−２と内視鏡番号４のスコープＧ−Ｒ−４を特定する（Ｓ１３０）。スコープＧ−Ｒ−２、Ｇ−Ｒ−４の使用回数は５０回であり、スコープＧ−Ｒ−１、Ｇ−Ｒ−５、Ｇ−Ｒ−６の使用回数よりも相対的に少ないが、同じ使用回数の２本のスコープが特定されている（Ｓ１３２のＮ）。ここでスコープ割当部１２６は、２本のスコープのうち、使用状況記憶部２２４に記憶された内視鏡番号２、４のスコープ使用状況を参照し、使用時間が最も少ないスコープとして、内視鏡番号２のスコープＧ−Ｒ−２を特定し（Ｓ１３４）、検査Ｅ２に対して、スコープＧ−Ｒ−２を割り当てる（Ｓ１３６）。スコープ割当部１２６は、候補スコープのうち、最も使用回数の少なく、且つ最も使用時間が少ないＧ−Ｒ−２を検査Ｅ２に優先して割り当てることで、スコープの使用時間の均等化に貢献する。スコープ割当部１２６は、内視鏡番号２のスコープの使用状況として、仮の使用回数および使用時間（仮の使用状況）を設定する（Ｓ１３８）。つまり、内視鏡番号２の仮の使用回数は「５１」となり、また仮の使用時間は「５１０分」となる。
【０１３２】
次にスコープ割当部１２６は、使用状況記憶部２２４に記憶された内視鏡番号１、４〜６のスコープ使用状況を参照して、検査Ｅ３に対して、内視鏡番号１、４〜６のスコープのうち、使用回数が最も少ないスコープとして、内視鏡番号４のスコープＧ−Ｒ−４を特定する（Ｓ１３０）。Ｇ−Ｒ−４の使用回数は５０回であり、スコープＧ−Ｒ−１、Ｇ−Ｒ−５、Ｇ−Ｒ−６の使用回数よりも相対的に少ないため、検査Ｅ３に対して、スコープＧ−Ｒ−４を割り当てる（Ｓ１３６）。スコープ割当部１２６は、候補スコープのうち、最も使用回数の少ないＧ−Ｒ−４を検査Ｅ３に優先して割り当てることで、スコープの使用回数の均等化に貢献する。スコープ割当部１２６は、内視鏡番号４のスコープの使用状況として、仮の使用回数および使用時間（仮の使用状況）を設定する（Ｓ１３８）。
【０１３３】
以上のように、スコープ割当部１２６は、各々の内視鏡検査に割り当て可能なスコープ３０が複数存在する場合に、使用状況記憶部２２４に記憶された使用状況を参照して、過去の使用回数または過去の使用時間が相対的に少ないスコープ３０を優先して内視鏡検査に割り当てることで、使用回数または使用時間の平準化に寄与する。なお図２５においては、Ｓ１３０で使用回数が最も少ない候補スコープを特定し、Ｓ１３４で使用時間が最も少ない候補スコープを特定しているが、この順番は逆であってもよい。また使用回数および使用時間が同じである複数の候補スコープが存在する場合には、スコープ割当部１２６は、いずれの候補スコープを内視鏡検査に割り当ててもよい。
【０１３４】
以上の実施例１〜２は、検査スケジュールにおけるスコープ３０の割当態様について説明した。以下の実施例３では、洗浄スケジュールにおける洗浄機５０の割当態様について説明する。
＜実施例３＞
図３に戻って、洗浄機順位保持部２２６は、スコープ３０に対して、割り当てる洗浄機５０の優先順位を保持する。
図２６は、洗浄機順位保持部２２６に保持された洗浄機順位テーブルを示す。洗浄機順位テーブルは、スコープ３０に対して、割り当てる洗浄機５０の優先順位を対応付けて記録する。この洗浄機順位テーブルでは、縦軸に各スコープを、横軸に各洗浄機を記録して、スコープと洗浄機との組み合わせに対して、優先順位が設定されている。なお、この例では、第１洗浄機５０ａおよび第２洗浄機５０ｂが薬液Ａを使用し、第３洗浄機５０ｃが薬液Ｂを使用し、第４洗浄機５０ｄが薬液Ｃを使用するものとする。なお、洗浄機順位テーブルは、スコープ個体に対してではなく、スコープ機種に対して、割り当てる洗浄機５０の優先順位を対応付けていてもよい。
【０１３５】
実施例３において、第１洗浄機５０ａおよび第２洗浄機５０ｂは、同一機種であってもよいが、別機種であってもよい。第１洗浄機５０ａおよび第２洗浄機５０ｂと、第３洗浄機５０ｃ、第４洗浄機５０ｄは、異なる薬液を使用し、したがってこれらの機種は異なっている。このように複数の洗浄機５０が異なる機種により構成されている場合、洗浄機順位保持部２２６は、洗浄機機種に関する優先順位を保持する。
【０１３６】
図２６に示す洗浄機順位テーブルにおいて、設定値１は、優先順位が最も高いことを示し、設定値２は、優先順位が２番目に高いことを示す。また設定値３は、優先順位が３番目に高いことを示す。なお設定値０は、スコープ３０に割り当てられることが禁止されていることを示す。
【０１３７】
図２６に示す洗浄機順位テーブルでは、薬液Ｃを使用する第４洗浄機５０ｄに、設定値０が与えられている。これは、たとえば薬液Ｃがスコープ部材を劣化させやすい、強いアタック性を有しているため、医療施設において、多くのスコープ３０の洗浄に使用することを禁止している事情による。この例では、上部処置機であるＧ−Ｔ−１、Ｇ−Ｔ−２、下部処置機であるＣ−Ｔ−１に対して、設定値２が与えられているものの、他のスコープに対しては設定値０が与えられて、使用が禁止されている。たとえば薬液Ｃは強酸性電解水であってよい。
【０１３８】
このように図２６に示す例では、割り当てる洗浄機５０の優先順位が、洗浄機５０において使用される洗浄薬液のアタック性にもとづいて設定されている。洗浄機順位テーブルは、医療施設のポリシーによって適宜作成されるものであり、アタック性の強弱に依存して洗浄機順位テーブルを作成することで、スコープ３０の長寿命化を期待できる。一方で、たとえば強酸性電解水は、洗浄薬液としては非常に安価であるというメリットを有している。そのため、薬液にかかるコスト面に着目したポリシーによると、強酸性電解水を使用する洗浄機５０に対して、設定値０以外の設定値を与えることも可能である。このように洗浄機順位保持部２２６で保持される洗浄機５０の優先順位は、洗浄機５０において使用される薬液にもとづいて設定されることになる。
【０１３９】
図２７は、図１３に示す洗浄機割当処理におけるＳ１１０の詳細フローチャートを示す。Ｓ１１０において、洗浄機特定部１４２は、Ｓ１８（図７参照）のスコープ割当処理により割り当てられたスコープ３０のそれぞれに対して、所有する洗浄機５０の検索処理を実行して、使用可能な洗浄機５０を特定する。
【０１４０】
以下、実施形態において説明したスコープ割当処理により、検査Ｅ１、Ｅ２、Ｅ３、Ｅ４に対して、それぞれスコープＧ−Ｒ−１、Ｇ−Ｒ−２、Ｇ−Ｒ−３、Ｃ−Ｒ−１が割り当てられた例で説明する。つまり図１２に示す検査スケジュールが設定された状態で、洗浄機割当処理を開始する。
【０１４１】
図３に戻って、第２割当処理部１４０において洗浄機特定部１４２は、洗浄機順位保持部２２６に保持された洗浄機順位情報を参照して、スコープＧ−Ｒ−１、Ｇ−Ｒ−２、Ｇ−Ｒ−３、Ｃ−Ｒ−１に関し、設定値０以外の洗浄機５０を抽出する（Ｓ１５０）。Ｓ１５０では、使用が禁止されていない洗浄機５０を抽出している。ここで上部ルーチン機であるスコープＧ−Ｒ−１、Ｇ−Ｒ−２、Ｇ−Ｒ−３については、第１洗浄機５０ａ、第２洗浄機５０ｂ、第３洗浄機５０ｃの設定値が０ではなく、また同様に下部ルーチン機であるスコープＣ−Ｒ−１についても、洗浄機５０ａ、第２洗浄機５０ｂ、第３洗浄機５０ｃの設定値が０ではない。したがって洗浄機特定部１４２は、検査Ｅ１〜Ｅ４の各々に対して、第１洗浄機５０ａ、第２洗浄機５０ｂ、第３洗浄機５０ｃを候補洗浄機として特定する（Ｓ１５２）。特定された候補洗浄機は、洗浄機割当部１４４に通知される。
【０１４２】
図２８は、図１３に示す洗浄機割当処理におけるＳ１１４の詳細フローチャートを示す。Ｓ１１４において、洗浄機割当部１４４は、スコープ３０に対して、洗浄機５０を割り当てる。
【０１４３】
最初に洗浄機割当部１４４は、検査Ｅ１のスコープＧ−Ｒ−１に対する洗浄機割当を行う。洗浄機割当部１４４は、洗浄スケジュール保持部２０８に保持されている洗浄スケジュールを参照して、候補洗浄機のうち、最先で割当可能な洗浄機５０を特定する（Ｓ１６０）。なお実施形態で説明したように、洗浄機特定部１４２により、候補洗浄機の使用可能な時間帯が洗浄機割当部１４４に通知される場合には、洗浄機割当部１４４は、通知された時間帯を参照して、最先で割当可能な洗浄機５０を特定してもよい。
【０１４４】
ここで候補洗浄機、つまり第１洗浄機５０ａ、第２洗浄機５０ｂ、第３洗浄機５０ｃは、その初期状態において、全時間帯が使用可能であり、つまり全時間帯のステータスが「待機中」となっている。そこで洗浄機割当部１４４は、第１洗浄機５０ａ、第２洗浄機５０ｂ、第３洗浄機５０ｃの全てが最先で割当可能であることを特定し（Ｓ１６０）、最先で割当可能な洗浄機が複数あることを判定する（Ｓ１６２のＹ）。ここで洗浄機割当部１４４は、洗浄機順位保持部２２６に保持された優先順位を参照して、検査Ｅ１のスコープＧ−Ｒ−１に対して第１洗浄機５０ａおよび第２洗浄機５０ｂに設定値１が与えられていることを認識する（Ｓ１６４）。これにより洗浄機割当部１４４は、スコープＧ−Ｒ−１に対して第１洗浄機５０ａを割り当てる（Ｓ１６６）。このようにして洗浄機割当部１４４は、優先順位の高い第１洗浄機５０ａを、スコープＧ−Ｒ−１に割り当て、これによりスコープに適した洗浄機で洗浄することが可能となる。なお、この洗浄開始予定時刻は９：１０、洗浄終了予定時刻は９：３０に設定されて、洗浄スケジュールに登録される。これにより第１洗浄機５０ａの９：１０〜９：３０の間のステータスは「使用中」となる。
【０１４５】
次に洗浄機割当部１４４は、検査Ｅ２のスコープＧ−Ｒ−２に対する洗浄機割当を行う。洗浄機割当部１４４は、洗浄スケジュール保持部２０８に保持されている洗浄スケジュールを参照して、候補洗浄機のうち、最先で割当可能な洗浄機５０を特定する（Ｓ１６０）。ここで第１洗浄機５０ａには、９：１０〜９：３０の使用予定が設定されているため、洗浄機割当部１４４は、第２洗浄機５０ｂ、第３洗浄機５０ｃが最先で割当可能であることを特定し（Ｓ１６０）、最先で割当可能な洗浄機が複数あることを判定する（Ｓ１６２のＹ）。ここで洗浄機割当部１４４は、洗浄機順位保持部２２６に保持された優先順位を参照して、検査Ｅ２のスコープＧ−Ｒ−２に対して第２洗浄機５０ｂに設定値１が与えられていることを認識する（Ｓ１６４）。これにより洗浄機割当部１４４は、スコープＧ−Ｒ−２に対して第２洗浄機５０ｂを割り当てる。このようにして洗浄機割当部１４４は、優先順位の高い第２洗浄機５０ｂを、スコープＧ−Ｒ−２に割り当てる。なお、この洗浄開始予定時刻は９：１０、洗浄終了予定時刻は９：３０に設定されて、洗浄スケジュールに登録される。
【０１４６】
次に洗浄機割当部１４４は、検査Ｅ３のスコープＧ−Ｒ−３に対する洗浄機割当を行う。洗浄機割当部１４４は、洗浄スケジュール保持部２０８に保持されている洗浄スケジュールを参照して、候補洗浄機のうち、最先で割当可能な洗浄機５０を特定する（Ｓ１６０）。ここで第１洗浄機５０ａ、第２洗浄機５０ｂには、９：１０〜９：３０の使用予定が設定されているため、洗浄機割当部１４４は、第３洗浄機５０ｃが最先で割当可能であることを特定し（Ｓ１６０）、特定した洗浄機５０が１つであることを判定する（Ｓ１６２のＮ）。これにより洗浄機割当部１４４は、スコープＧ−Ｒ−３に対して第３洗浄機５０ｃを割り当てる。この洗浄開始予定時刻は９：１０、洗浄終了予定時刻は９：３０に設定されて、洗浄スケジュールに登録される。
【０１４７】
なおスコープＧ−Ｒ−３に関して、第３洗浄機５０ｃの設定値は２であり、優先順位は第１洗浄機５０ａ、第２洗浄機５０ｂと比べて低い。そのためスコープＧ−Ｒ−３に対して、第１洗浄機５０ａまたは第２洗浄機５０ｂが使用可能となる時刻で、第１洗浄機５０ａまたは第２洗浄機５０ｂを割り当てることも可能である。しかしながら、そのような場合には、スコープＧ−Ｒ−３の洗浄が遅くなり、作業効率の観点から好ましくない。そこで洗浄機割当部１４４は、割当が禁止されていない限りにおいて、優先順位が低い洗浄機５０であっても、積極的に割り当てるようにしている。
【０１４８】
次に洗浄機割当部１４４は、検査Ｅ４のスコープＣ−Ｒ−１に対する洗浄機割当を行う。洗浄機割当部１４４は、洗浄スケジュール保持部２０８に保持されている洗浄スケジュールを参照して、候補洗浄機のうち、最先で割当可能な洗浄機５０を特定する（Ｓ１６０）。ここで第１洗浄機５０ａ、第２洗浄機５０ｂ、第３洗浄機５０ｃには、９：１０〜９：３０の使用予定が設定されており、洗浄機割当部１４４は、第１洗浄機５０ａ、第２洗浄機５０ｂ、第３洗浄機５０ｃの全てが最先で割当可能であることを特定し（Ｓ１６０）、最先で割当可能な洗浄機が複数あることを判定する（Ｓ１６２のＹ）。
【０１４９】
ここで洗浄機割当部１４４は、洗浄機順位保持部２２６に保持された優先順位を参照して、検査Ｅ４のスコープＣ−Ｒ−１に対して第１洗浄機５０ａおよび第２洗浄機５０ｂに設定値１が与えられていることを認識する（Ｓ１６４）。これにより洗浄機割当部１４４は、スコープＣ−Ｒ−１に対して第１洗浄機５０ａを割り当てる（Ｓ１６６）。このようにして洗浄機割当部１４４は、優先順位の高い第１洗浄機５０ａを、スコープＣ−Ｒ−１に割り当て、これによりスコープに適した洗浄機で洗浄することが可能となる。なお、この洗浄開始予定時刻は９：３０、洗浄終了予定時刻は９：５０に設定されて、洗浄スケジュールに登録される。
【０１５０】
図２９は、実施例３において洗浄スケジュール管理部１３０により生成された洗浄スケジュールを示す。ここでは洗浄機割当部１４４による割当結果が洗浄スケジュールに反映されており、具体的には９：１０〜９：３０の間に、第１洗浄機５０ａでスコープＧ−Ｒ−１が洗浄されること、第２洗浄機５０ｂでスコープＧ−Ｒ−２が洗浄されること、第３洗浄機５０ｃでスコープＧ−Ｒ−３が洗浄されること、９：３０〜９：５０の間に第１洗浄機５０ａでスコープＣ−Ｒ−１が洗浄されること、が登録されている。洗浄スケジュール管理部１３０は、更新した洗浄スケジュールを、洗浄スケジュール保持部２０８に記録する。
【０１５１】
実施形態で説明した図１４と比較すると、図２９に示す洗浄スケジュールでは、第４洗浄機５０ｄが使用されていない。これはスコープＣ−Ｒ−１に対して第４洗浄機５０ｄの使用、換言すると薬液Ｃの使用が禁止されているために、第４洗浄機５０ｄに対してスコープが割り当てられない状態となっている。なお図２６において、スコープＧ−Ｔ−１、Ｇ−Ｔ−２、Ｃ−Ｔ−１に対しては、第４洗浄機５０ｄの設定値は２となっており、したがって、これらのスコープの洗浄スケジューリングに際して、第４洗浄機５０ｄが割り当てられることがある。
【０１５２】
以上は、洗浄機順位保持部２２６において設定値が０の第４洗浄機５０ｄの使用を禁止する場合について説明したが、この制限を緩めて洗浄スケジュールの生成処理を運用してもよい。上記した使用禁止の運用では、第４洗浄機５０ｄが通常は使用されず、スコープ３０の洗浄処理が効率よく進まずに、洗浄待ちのスコープ３０が多くなるという状況が想定されるためである。そこで設定値０の洗浄機５０は、スコープ３０に割り当てることを禁止するという厳しい制限ではなく、スコープ３０に割り当てることをできるだけ避ける、という緩やかな制限が採用されてもよい。この厳しい制限と緩やかな制限は、たとえばスケジューリングのモードによって定められてもよく、洗浄処理の効率化を促進する場合には、ユーザが、緩やかな制限のモードを選択することで、設定値０の洗浄機５０を、スコープ３０に割当可能としてもよい。
【０１５３】
なお、この場合には、使用状況記憶部２２４（または後述する履歴記録部２３２）が、設定値０の洗浄機５０で洗浄した回数を、スコープ３０ごとに記憶しておくことが好ましい。洗浄機割当部１４４は、設定値０の洗浄機５０で洗浄した回数がスコープ３０によって突出して多くなることがないように、つまりは設定値０の洗浄機５０で洗浄した回数が等しくなるように、スコープ３０に対して洗浄機５０を割り当てることが好ましい。なお設定値０の洗浄機５０で洗浄する回数には上限（たとえば２０回）が設定されていてもよく、洗浄機割当部１４４は、この上限を超えて、設定値０の洗浄機５０を割り当てないようにしてもよい。
【０１５４】
＜実施例４＞
実施例４では、スコープ３０のスケジューリングに際して、あるスコープ３０が、できるだけ特定の医師により使用されるような割当処理を行う。スコープ３０と、それを使用する医師とをセットにすることで、たとえば長く良好な状態を維持しているスコープ３０については、使用頻度の高い医師が上手に操作していることが分析でき、一方で、故障が生じやすいスコープ３０などは、使用頻度の高い医師の操作に何かしらの問題があるなどの分析もできる。
【０１５５】
図３に戻って、割当スコープ情報保持部２２８は、医師に対して優先的に割り当てるスコープに関する優先スコープ情報を保持する。
図３０は、割当スコープ情報保持部２２８に記憶された優先スコープテーブルを示す。優先スコープテーブルは、内視鏡検査を担当する各医師に対して、割り当てるスコープ３０の優先順位を定めた優先スコープ情報を、スコープ機種ごとに記録している。ここで優先順位は、医療施設が、同じ機種の複数のスコープ３０を所有していることを前提として付与されるものであり、割当スコープ情報保持部２２８は、同じ機種の複数のスコープ３０のうち、医師に対して優先的に割り当てるスコープを、優先スコープ情報として保持している。図３０において、「優先スコープ１」は、割当優先順位が１番のスコープであり、「優先スコープ２」は、割当優先順位が２番のスコープであり、「優先スコープ３」は、割当優先順位が３番のスコープである。
【０１５６】
たとえば医師Ａは、上部ルーチン機に関して、スコープＧ−Ｒ−２の割当優先順位が１番であり、スコープＧ−Ｒ−１の割当優先順位が２番に設定されている。この優先スコープ情報は、あくまでも、優先スコープが医師に割当可能な場合に、優先的に割り当てることを指定する情報であり、必ず優先スコープが医師に割り当てられなければいけないわけではない。たとえば、医師Ａが行う予定の検査において、検査開始予定時刻にスコープＧ−Ｒ−２、Ｇ−Ｒ−１のステータスが「待機中」でなければ、スコープ割当部１２６は、他の上部ルーチン機を割り当てて、検査に遅延が生じないようにする。
【０１５７】
実施例４において、スコープ割当部１２６は、割当スコープ情報保持部２２８に保持された優先スコープ情報と、検査スケジュール管理部１１０が管理する内視鏡検査の担当医師に関する情報とにもとづいて、内視鏡検査に割り当てるスコープ３０を決定する。
【０１５８】
図３１は、図９に示すスコープ割当処理におけるＳ５６の詳細フローチャートを示す。スコープ割当部１２６は、内視鏡検査の担当医師にもとづいて、割当スコープ情報保持部２２８の保持された優先スコープ情報を取得する（Ｓ１８０）。
【０１５９】
以下、実施例１において説明したスコープ検索処理により、検査Ｅ１、Ｅ２、Ｅ３、Ｅ４の候補スコープを特定した例で説明する。実施例１ではスコープ特定部１２４が、検査Ｅ１、Ｅ２、Ｅ３の候補スコープとして内視鏡番号１〜６のスコープを特定し、検査Ｅ４の候補スコープとして内視鏡番号１５〜１７のスコープを特定して、スコープ割当部１２６に通知している。
【０１６０】
スコープ割当部１２６は、検査Ｅ１、Ｅ２、Ｅ３、Ｅ４のそれぞれの担当医師情報にもとづいて、各検査について割当スコープ情報保持部２２８から、使用するスコープ機種に関する優先スコープ情報を取得する（Ｓ１８０）。
【０１６１】
図４の検査スケジュールを参照して、検査Ｅ１は医師Ｂが担当医であり、スコープ割当部１２６は、優先スコープテーブルを参照して、上部ルーチン機の優先スコープ１がＧ−Ｒ−３、優先スコープ２がＧ−Ｒ−１、優先スコープ３がＧ−Ｒ−２であることを認識する。検査Ｅ２は医師Ｃが担当医であり、スコープ割当部１２６は、上部ルーチン機の優先スコープ１がＧ−Ｒ−１、優先スコープ２がＧ−Ｒ−５、優先スコープ３がＧ−Ｒ−４であることを認識する。検査Ｅ３は医師Ｅが担当医であり、スコープ割当部１２６は、上部ルーチン機の優先スコープ１がＧ−Ｒ−５、優先スコープ２がＧ−Ｒ−６、優先スコープ３がＧ−Ｒ−４であることを認識する。また検査Ｅ４は医師Ｄが担当医であり、スコープ割当部１２６は、下部ルーチン機の優先スコープ１がＣ−Ｒ−３であることを認識する。
【０１６２】
検査Ｅ１に関し、スコープ割当部１２６は、優先スコープ１であるスコープＧ−Ｒ−３が、内視鏡番号１〜６の候補スコープに含まれていることを判定し（Ｓ１８２のＹ）、したがって検査Ｅ１に対して、スコープＧ−Ｒ−３を割り当てる（Ｓ１８６）。これにより医師Ｂが、検査Ｅ１にて、スコープＧ−Ｒ−３を使用するようになる。
【０１６３】
次に検査Ｅ２に関し、スコープ割当部１２６は、優先スコープ１であるスコープＧ−Ｒ−１が、内視鏡番号１、２、４〜６の候補スコープに含まれていることを判定し（Ｓ１８２のＹ）、したがって検査Ｅ２に対して、スコープＧ−Ｒ−１を割り当てる（Ｓ１８６）。これにより医師Ｃが、検査Ｅ２にて、スコープＧ−Ｒ−１を使用するようになる。
【０１６４】
次に検査Ｅ３に関し、スコープ割当部１２６は、優先スコープ１であるスコープＧ−Ｒ−５が、内視鏡番号２、４〜６の候補スコープに含まれていることを判定し（Ｓ１８２のＹ）、したがって検査Ｅ３に対して、スコープＧ−Ｒ−５を割り当てる（Ｓ１８６）。これにより医師Ｅが、検査Ｅ３にて、スコープＧ−Ｒ−５を使用するようになる。
【０１６５】
最後に検査Ｅ４に関し、スコープ割当部１２６は、優先スコープ１であるスコープＣ−Ｒ−３が、内視鏡番号１５〜１７の候補スコープに含まれていることを判定し（Ｓ１８２のＹ）、したがって検査Ｅ４に対して、スコープＣ−Ｒ−３を割り当てる（Ｓ１８６）。これにより医師Ｄが、検査Ｅ４にて、スコープＣ−Ｒ−３を使用するようになる。
【０１６６】
このように候補スコープのなかに、優先スコープが複数存在する場合には、スコープ割当部１２６は、優先順位の高い優先スコープを検査に割り当てる。なお候補スコープのなかに、優先スコープが含まれない場合、つまり優先スコープ１、優先スコープ２、優先スコープ３のいずれもが含まれない場合（Ｓ１８２のＮ）、スコープ割当部１２６は、優先スコープ以外の候補スコープを特定して（Ｓ１８４）、検査に割り当てる（Ｓ１８６）。このように検査開始予定時刻において、割当可能な優先スコープが存在しなければ、その優先スコープが使用可能になるのを待つのではなく、別のスコープを割り当てて、効率的な検査スケジュールを作成するのが好ましい。なお候補スコープが存在しない場合には、その旨をユーザに知らせることが好ましい。
【０１６７】
図３２は、検査スケジュール管理部１１０により更新された検査スケジュールを示す。検査スケジュール管理部１１０は、スコープ割当部１２６から割当結果を通知されると、該当する検査に、割り当てられたスコープ３０を登録する。ここでは検査Ｅ１にスコープＧ−Ｒ−３が使用されること、検査Ｅ２にスコープＧ−Ｒ−１が使用されること、検査Ｅ３にスコープＧ−Ｒ−５が使用されること、検査Ｅ４にスコープＣ−Ｒ−３が使用されること、が登録されている。検査スケジュール管理部１１０は、更新した検査スケジュールを、検査スケジュール保持部２０６に記録する。
【０１６８】
実施例４においてスコープ割当部１２６は、特定の医師が担当する検査に、できるだけ特定のスコープ３０を優先的に割り当てるため、当該スコープ３０は、その医師による使用頻度が高くなる。
【０１６９】
使用状況監視部１６０は、実際に実施された内視鏡検査で使用されたスコープ３０の使用状況を監視し、履歴記録部２３２に記録する。これにより履歴記録部２３２は、実際の内視鏡検査で使用されたスコープ３０の使用履歴情報を記録する。履歴記録部２３２は、スコープ３０に関して、スコープ３０が使用された検査室、使用した医師、使用日時情報（検査開始時間、検査終了時間）、使用した患者の識別情報、検査種別情報などを対応付けて記録する。なお履歴記録部２３２は、これらの情報をスコープ３０に関する使用履歴情報として記録する必要はなく、検査スケジュール管理部１１０が管理する内視鏡検査を実施した検査室、医師、患者およびスコープ３０を対応付けた実施情報を記録してもよい。
【０１７０】
なお履歴記録部２３２は、スコープ３０の故障に関する履歴も記録する。たとえば故障履歴は、故障したときに操作していた医師、検査種別情報、および日時情報を含んでもよい。
【０１７１】
表示処理部１５０は、履歴記録部２３２に記録された複数のスコープ３０の使用履歴情報を、比較可能な形式で表示する。なお、このとき表示内容導出部１５２は、履歴記録部２３２に記録された使用履歴情報にもとづいて、統計量を算出する。ここで統計量とは、スコープ３０に関して、医師ごとに算出される使用回数、使用時間などであり、表示内容導出部１５２は、表示する内容に応じた統計量を導出する機能をもつ。表示処理部１５０は、表示内容導出部１５２が算出した統計量を表示する。
【０１７２】
期間指定部１５４は、使用履歴情報の期間を指定する。この期間は、端末装置１２の画面上に設けられた入力枠に、ユーザが入力することで特定される。期間指定部１５４が期間を指定すると、表示内容導出部１５２は、その期間の使用履歴情報を履歴記録部２３２から抽出して、表示するべき統計量を算出し、表示処理部１５０は、指定された期間の使用履歴情報、つまり表示内容導出部１５２より算出された統計量を端末装置１２のディスプレイに表示する。
【０１７３】
図３３は、端末装置１２に表示される使用履歴情報の一例を示す。表示期間として、ユーザが２０１３／１１／１〜２０１４／１０／３０までの期間を入力すると、期間指定部１５４が、この期間を指定し、表示内容導出部１５２は、この期間の使用履歴情報を履歴記録部２３２から抽出する。ここで表示内容導出部１５２は、各医師ごとの上部ルーチン機の使用回数を算出して、使用回数表を作成し、表示処理部１５０が、端末装置１２のディスプレイに表示する。なお、表示内容導出部１５２は、この期間における故障履歴の一覧を作成して故障回数を算出し、表示処理部１５０が、あわせて故障回数や故障履歴を表示してもよい。
【０１７４】
この使用回数表により、ユーザは、どのスコープの故障が少なく、また、そのスコープの使用頻度の高い医師を特定できる。また逆に、ユーザは、どのスコープの故障が多く、そのスコープの使用頻度の高い医師を特定できる。このようにスコープ割当部１２６が、特定の医師が特定のスコープを優先的に使用するようにスコープ割当処理を行うことで、実際にスコープ３０が使用された履歴情報は、故障分析などを行う際に有用な情報となる。また表示処理部１５０が、複数のスコープ３０の使用履歴情報を、比較可能な形式で表示することで、ユーザは、一目でスコープ３０の使用状態の違いを認識できるようになる。
【０１７５】
図３４は、端末装置１２に表示される使用履歴情報の一例を示す。この使用回数グラフは、図３３に示した使用回数表をグラフ形式で表現したものである。このようにグラフ形式で表現することで、スコープ３０の使用状態の違いが一目で理解できるようになる。
【０１７６】
なお図３３、図３４においては、表示処理部１５０が、各スコープ３０についての医師ごとのスコープ使用回数を使用履歴情報として表示したが、たとえば医師ごとのスコープ使用時間を使用履歴情報として表示してもよい。また表示処理部１５０は、医師が使用したスコープ３０の使用回数や使用時間を、医師ごとに表示してもよい。
【０１７７】
＜実施例５＞
実施例５では、スコープ３０のスケジューリングに際して、あるスコープ３０が、できるだけ特定の検査準備者により洗浄されるように、検査準備者に対して洗浄業務を割り当てる処理を行う。スコープ３０の洗浄業務と、それを洗浄する検査準備者とをセットにすることで、たとえば長く良好な状態を維持しているスコープ３０については、洗浄頻度の高い担当者が上手に洗浄していることが分析でき、一方で、故障が生じやすいスコープ３０などは、洗浄工程において何かしらの問題があるなどの分析もできる。
【０１７８】
図３に戻って、割当担当者情報保持部２３０は、スコープ３０に対して、洗浄業務を優先的に割り当てる担当者に関する優先担当者情報を保持する。
図３５は、割当担当者情報保持部２３０に記憶された優先担当者テーブルを示す。優先担当者テーブルは、洗浄業務を割り当てる検査準備者（以下、「担当者」とも呼ぶ）の優先順位を定めた優先担当者情報を、スコープ３０ごとに記録している。つまり割当担当者情報保持部２３０は、１つのスコープ３０に対して、洗浄業務を割り当てる担当者の優先順位を保持している。図３５において、「優先担当者１」は、割当優先順位が１番の担当者であり、「優先担当者２」は、割当優先順位が２番の担当者である。
【０１７９】
たとえばスコープＧ−Ｒ−１は、技師Ａの割当優先順位が１番であり、技師Ｂの割当優先順位が２番に設定されている。この優先担当者情報は、あくまでも、優先担当者が洗浄業務に割当可能な場合に、優先的に割り当てることを指定する情報であり、必ず優先担当者として指定される検査準備者が、そのスコープの洗浄業務に割り当てられなければいけないわけではない。たとえば、スコープＧ−Ｒ−１を使用した検査が終了となり、そのスコープを洗浄する際に、技師Ａ、技師Ｂが他の業務を行っている場合には、担当者割当部１４９は、別の技師（たとえば技師Ｃ）を、その洗浄業務に割り当て、洗浄作業に遅延が生じないようにする。
【０１８０】
実施例５において、担当者割当部１４９は、割当担当者情報保持部２３０に保持された優先担当者情報と、検査スケジュール管理部１１０が管理するスコープ情報とにもとづいて、スコープの洗浄業務の担当者を決定する。
【０１８１】
図３６は、担当者割当処理のフローチャートを示す。なお図３６に示す担当者割当処理は、図１３に示す洗浄機割当処理において、Ｓ１１８とＳ１２０の間の処理として追加される。図１３に示すフローチャートにおいて、洗浄機割当部１４４が、使用済みスコープに対して洗浄機５０を割り当て（Ｓ１１４）、洗浄開始予定時刻および洗浄終了予定時刻を設定した後（Ｓ１１８）、担当者割当部１４９が、洗浄が予定されるスコープ３０にもとづいて、割当担当者情報保持部２３０に保持された優先担当者情報を取得する（Ｓ２００）。
【０１８２】
以下、実施例４において説明したスコープ割当処理により、検査Ｅ１、Ｅ２、Ｅ３、Ｅ４に対して、それぞれスコープＧ−Ｒ−３、Ｇ−Ｒ−１、Ｇ−Ｒ−５、Ｃ−Ｒ−３が割り当てられた例で説明する。
【０１８３】
図３７は、洗浄スケジュール管理部１３０により生成された洗浄スケジュールを示す。ここでは洗浄機割当部１４４による割当結果が洗浄スケジュールに反映されており、具体的には９：１０〜９：３０の間に、第１洗浄機５０ａでスコープＧ−Ｒ−３が洗浄されること、第２洗浄機５０ｂでスコープＧ−Ｒ−１が洗浄されること、第３洗浄機５０ｃでスコープＧ−Ｒ−５が洗浄されること、９：１５〜９：３５の間に第４洗浄機５０ｄでスコープＣ−Ｒ−３が洗浄されること、が登録されている。
【０１８４】
実施例５の洗浄スケジュール管理部１３０は、洗浄機５０と、洗浄開始予定時刻情報および洗浄終了予定時刻情報に加えて、洗浄業務を担当する洗浄担当者を含む複数のスコープの洗浄スケジュールを管理する。以下、洗浄スケジュールに、洗浄担当者を登録する手法について説明する。
【０１８５】
担当者割当部１４９は、検査Ｅ１、Ｅ２、Ｅ３、Ｅ４のそれぞれに割り当てられたスコープ情報にもとづいて、各スコープ３０について割当担当者情報保持部２３０から優先担当者情報を取得する（Ｓ２００）。
【０１８６】
図３５の優先担当者テーブルを参照して、スコープＧ−Ｒ−３の優先担当者１は技師Ｂであり、スコープＧ−Ｒ−１の優先担当者１は技師Ａであり、スコープＧ−Ｒ−５の優先担当者は技師Ｃであり、スコープＣ−Ｒ−３の優先担当者１は技師Ｃである。
【０１８７】
スコープＧ−Ｒ−３に関し、担当者割当部１４９は、優先担当者１である技師Ｂが、スコープＧ−Ｒ−３の洗浄業務を担当可能であるか判定する（Ｓ２０２）。実施例５において各技師には、担当者スケジュールが設定されており、担当者スケジュールにおいて、洗浄開始予定時刻および洗浄終了予定時刻に空きがあるか判定することで、担当者割当部１４９は、技師ＢがスコープＧ−Ｒ−３の洗浄業務を担当可能であるか判定する。スコープＧ−Ｒ−３の洗浄開始予定時刻と、洗浄終了予定時刻に、他の業務が入っていなければ、担当者割当部１４９は、技師Ｂに、スコープＧ−Ｒ−３の洗浄業務を割当可能であることを判定し（Ｓ２０２のＹ）、当該スコープの洗浄業務を技師Ｂに割り当てる（Ｓ２０６）。なお、担当者スケジュールにおいて、洗浄開始予定時刻および洗浄終了予定時刻のいずれかに他の業務が入っていれば、担当者割当部１４９は、技師Ｂに、スコープＧ−Ｒ−３の洗浄業務を割当不能であることを判定する（Ｓ２０２のＮ）。なお優先担当者２である技師Ｃに対しても割当不能であれば、担当者割当部１４９は、優先担当者以外の担当者で、当該時刻に空きがある担当者を特定して（Ｓ２０４）、洗浄業務に割り当てる（Ｓ２０６）。
【０１８８】
次にスコープＧ−Ｒ−１に関し、担当者割当部１４９は、優先担当者１である技師Ａが、スコープＧ−Ｒ−１の洗浄業務を担当可能であるか判定する（Ｓ２０２）。担当者割当部１４９は、技師ＡにスコープＧ−Ｒ−１の洗浄業務を割当可能である場合には（Ｓ２０２のＹ）、当該スコープＧ−Ｒ−１の洗浄業務を技師Ｂに割り当てる（Ｓ２０６）。なお、担当者スケジュールにおいて、洗浄開始予定時刻および洗浄終了予定時刻のいずれかに他の業務が入っていれば、担当者割当部１４９は、技師Ａに、スコープＧ−Ｒ−１の洗浄業務を割当不能であることを判定する（Ｓ２０２のＮ）。このとき優先担当者２である技師Ｂに対しても割当不能であれば、担当者割当部１４９は、優先担当者以外の担当者で、当該時刻に空きがある担当者を特定して（Ｓ２０４）、洗浄業務に割り当てる（Ｓ２０６）。
【０１８９】
次にスコープＧ−Ｒ−５に関し、担当者割当部１４９は、優先担当者１である技師Ｃが、スコープＧ−Ｒ−５の洗浄業務を担当可能であるか判定する（Ｓ２０２）。担当者割当部１４９は、技師ＣにスコープＧ−Ｒ−５の洗浄業務を割当可能である場合には（Ｓ２０２のＹ）、当該スコープＧ−Ｒ−５の洗浄業務を技師Ｃに割り当てる（Ｓ２０６）。なお、担当者スケジュールにおいて、洗浄開始予定時刻および洗浄終了予定時刻のいずれかに他の業務が入っていれば、担当者割当部１４９は、技師Ｃに、スコープＧ−Ｒ−５の洗浄業務を割当不能であることを判定する（Ｓ２０２のＮ）。このとき優先担当者２である技師Ｂに対しても割当不能であれば、担当者割当部１４９は、優先担当者以外の担当者で、当該時刻に空きがある担当者を特定して（Ｓ２０４）、洗浄業務に割り当てる（Ｓ２０６）。
【０１９０】
次にスコープＣ−Ｒ−３に関し、担当者割当部１４９は、優先担当者１である技師Ｃが、スコープＣ−Ｒ−３の洗浄業務を担当可能であるか判定する（Ｓ２０２）。担当者割当部１４９は、技師ＣにスコープＣ−Ｒ−３の洗浄業務を割当可能である場合には（Ｓ２０２のＹ）、当該スコープＣ−Ｒ−３の洗浄業務を技師Ｃに割り当てる（Ｓ２０６）。なお、担当者スケジュールにおいて、洗浄開始予定時刻および洗浄終了予定時刻のいずれかに他の業務が入っていれば、担当者割当部１４９は、技師Ｃに、スコープＣ−Ｒ−３の洗浄業務を割当不能であることを判定する（Ｓ２０２のＮ）。このとき優先担当者２である技師Ｂに対しても割当不能であれば、担当者割当部１４９は、優先担当者以外の担当者で、当該時刻に空きがある担当者を特定して（Ｓ２０４）、洗浄業務に割り当てる（Ｓ２０６）。
【０１９１】
ある洗浄業務に対して、優先担当者１と優先担当者２のいずれもが割当可能である場合には、担当者割当部１４９は、優先順位の高い担当者を洗浄業務に割り当てる。割り当てられた担当者情報は、洗浄スケジュール管理部１３０に通知される。
【０１９２】
図３８は、洗浄スケジュール管理部１３０により更新された洗浄スケジュールを示す。洗浄スケジュール管理部１３０は、担当者割当部１４９から割当結果を通知されると、該当する洗浄処理に、割り当てられた担当者を登録する。ここではスコープＧ−Ｒ−３の洗浄業務を技師Ｂが担当すること、スコープＧ−Ｒ−１の洗浄業務を技師Ａが担当すること、スコープＧ−Ｒ−５の洗浄業務を技師Ｃが担当すること、スコープＣ−Ｒ−３の洗浄業務を技師Ｃが担当すること、が登録されている。このように洗浄スケジュール管理部１３０は、洗浄業務を行う担当者も洗浄スケジュールに追加し、更新した洗浄スケジュールを、洗浄スケジュール保持部２０８に記録する。
【０１９３】
実施例５において担当者割当部１４９は、特定のスコープ３０の洗浄業務を、できるだけ特定の検査準備者が担当するように優先的に割り当てるため、当該スコープ３０の洗浄業務は、その担当者が行う機会が多くなる。
【０１９４】
使用状況監視部１６０は、実際に実施されたスコープ３０の洗浄処理状況を監視し、履歴記録部２３２に記録する。たとえば各洗浄機５０には、担当者ＩＤを読み取る読取手段が設けられており、担当者がＩＤカードなどを読取手段で読み取らせることによって、洗浄業務を行っている担当者が特定されるようになっている。使用状況監視部１６０は、この洗浄処理状況を監視して、履歴記録部２３２は、洗浄されたスコープ３０の洗浄履歴情報を記録する。履歴記録部２３２は、スコープ３０に関して、洗浄した洗浄機５０、洗浄した日時情報（洗浄開始時間、洗浄終了時間）、洗浄した担当者などを対応付けて記録する。なお履歴記録部２３２は、これらの情報をスコープ３０に関する洗浄履歴情報として記録する必要はなく、洗浄スケジュール管理部１３０が管理する洗浄を実施した洗浄機５０、洗浄した担当者および洗浄されたスコープ３０を対応付けた洗浄情報を記録してもよい。
【０１９５】
なお履歴記録部２３２は、スコープ３０の故障やメンテナンスに関する履歴も記録する。たとえば上記履歴は、故障やメンテナンスをしたときに作業をしていた担当者および日時情報を含んでもよい。
【０１９６】
表示処理部１５０は、履歴記録部２３２に記録された複数のスコープ３０の洗浄履歴情報を、比較可能な形式で表示する。なお、このとき表示内容導出部１５２は、履歴記録部２３２に記録された洗浄履歴情報にもとづいて、統計量を算出する。ここで統計量とは、スコープ３０に関して、担当者ごとに算出される洗浄回数、洗浄時間などであり、表示内容導出部１５２は、表示する内容に応じた統計量を導出する機能をもつ。表示処理部１５０は、表示内容導出部１５２が算出した統計量を表示する。
【０１９７】
期間指定部１５４は、洗浄履歴情報の期間を指定する。この期間は、端末装置１２の画面上に設けられた入力枠に、ユーザが入力することで特定される。期間指定部１５４が期間を指定すると、表示内容導出部１５２は、その期間の洗浄履歴情報を履歴記録部２３２から抽出して、表示するべき統計量を算出し、表示処理部１５０は、指定された期間の洗浄履歴情報、つまり表示内容導出部１５２より算出された統計量を端末装置１２のディスプレイに表示する。
【０１９８】
図３９は、端末装置１２に表示される洗浄履歴情報の一例を示す。表示期間として、ユーザが２０１３／１１／１〜２０１４／１０／３０までの期間を入力すると、期間指定部１５４が、この期間を指定し、表示内容導出部１５２は、この期間の洗浄履歴情報を履歴記録部２３２から抽出する。ここで表示内容導出部１５２は、各担当者ごとの上部ルーチン機の洗浄回数を算出して、洗浄回数表を作成し、表示処理部１５０が、端末装置１２のディスプレイに表示する。なお、表示内容導出部１５２は、この期間における故障履歴の一覧を作成して故障回数を算出し、表示処理部１５０が、あわせて故障回数や故障履歴を表示してもよい。
【０１９９】
この洗浄回数表により、ユーザは、どのスコープの故障が少なく、また、そのスコープの洗浄頻度の高い技師を特定できる。また逆に、ユーザは、どのスコープの故障が多く、そのスコープの洗浄頻度の高い技師を特定できる。このように担当者割当部１４９が、特定のスコープの洗浄業務を特定の担当者に優先的に割り当てることで、実際にスコープ３０が洗浄された履歴情報は、故障分析などを行う際に有用な情報となる。また表示処理部１５０が、複数のスコープ３０の洗浄履歴情報を、比較可能な形式で表示することで、ユーザは、一目でスコープ３０の使用状態の違いを認識できるようになる。
【０２００】
図４０は、端末装置１２に表示される洗浄履歴情報の一例を示す。この洗浄回数グラフは、図３９に示した洗浄回数表をグラフ形式で表現したものである。このようにグラフ形式で表現することで、スコープ３０の使用状態の違いが一目で理解できるようになる。
【０２０１】
なお図３９、図４０においては、表示処理部１５０が、各スコープ３０についての担当者ごとのスコープ洗浄回数を洗浄履歴情報として表示したが、たとえば担当者ごとのスコープ洗浄時間を洗浄履歴情報として表示してもよい。また表示処理部１５０は、担当者が洗浄したスコープ３０の洗浄回数や洗浄時間を、担当者ごとに表示してもよい。
【０２０２】
なお実施例４では、履歴記録部２３２は、スコープ３０に関して、スコープ使用情報として、スコープ３０が使用された検査室、使用した医師、検査開始時間、検査終了時間、使用した患者の識別情報、検査種別情報などを対応付けて記録することを説明した。また実施例５では、履歴記録部２３２が、スコープ３０に関して、スコープ洗浄情報として、洗浄した洗浄機５０、洗浄開始時間、洗浄終了時間、洗浄した担当者などを対応付けて記録することを説明した。履歴管理部１６２は、履歴記録部２３２に記録されたスコープ使用情報およびスコープ洗浄情報にもとづいて、スコープ３０の履歴を管理してよい。具体的に履歴管理部１６２は、スコープ使用情報に含まれるスコープ３０の検査終了時間と、スコープ洗浄情報に含まれる同一のスコープ３０の洗浄開始時間から、スコープ使用情報とスコープ洗浄情報とを関連づける。
【０２０３】
たとえばスコープＧ−Ｒ−１のスコープ使用情報として、検査終了時間が２０１４年１１月６日の９：１０であり、スコープ洗浄情報として、洗浄開始時間が２０１４年１１月６日の９：１２となっている場合、履歴管理部１６２は、かかるスコープ使用情報とスコープ洗浄情報とが、関連しているものとして管理する。また、このスコープ洗浄情報として、洗浄終了時間が２０１４年１１月１６日の９：３２であり、Ｇ−Ｒ−１の別のスコープ使用情報の検査開始時間が２０１４年１１月１６日の９：３４となっている場合、履歴管理部１６２は、かかるスコープ洗浄情報とスコープ使用情報とを関連づけて管理する。ここで関連づけて管理するとは、スコープ使用情報とスコープ洗浄情報との時間的な関係を定めることに相当する。このように管理することで、履歴管理部１６２は、医師ＣがスコープＧ−Ｒ−１を患者Ａに使用して、その後、技師Ａが第２洗浄機でスコープＧ−Ｒ−１を洗浄し、その後、医師ＢがスコープＧ−Ｒ−１を患者Ｂに使用した、というスコープＧ−Ｒ−１の履歴を管理できるようになる。
【０２０４】
＜再スケジューリング処理＞
実施形態および実施例１〜５に関して説明した処理により、１日の内視鏡検査業務の開始前に、検査スケジュールおよび洗浄スケジュールが生成される。医療施設においては、生成した検査スケジュールおよび洗浄スケジュールにしたがって検査業務が進行することが理想であるが、しかしながら現場においては、様々な要因により検査スケジュールおよび／または洗浄スケジュール通りに検査業務が進行しないことがある。
【０２０５】
代表的な要因の一つは、実際に検査を開始する時刻または終了する時刻が、スケジュールで設定された時刻よりも早まったり、または遅延することである。図５に示す検査種別マスタテーブル２１０において、たとえば検査種別番号１の「上部ルーチン検査」の検査予定時間は１０分と設定されており、したがって「上部ルーチン検査」は、検査開始から終了までの時間が１０分として検査スケジュールに組み込まれている。しかしながら実際の検査は予定時間である１０分よりも早まったり、または１０分を超過することがあり、特に予定時間を超過する場合には、以後のスケジュールを再設定する必要が生じる。
【０２０６】
図４１は、検査スケジュール管理部１１０により生成された検査スケジュールおよび洗浄スケジュール管理部１３０により生成された洗浄スケジュールの例を示す。図４１に示す検査スケジュールは、実施例１に関して説明したスコープ割当処理によりスコープ順位テーブルにしたがって各検査にスコープを割り当てて作成されている。また図４１に示す洗浄スケジュールは、実施形態に関して説明した洗浄機割当処理により作成されている。以下の実施例６〜８で説明する再スケジューリング処理においては、図４１に示す検査スケジュールおよび洗浄スケジュールに含まれる要素を再スケジューリング処理の対象とするが、これは一例であって、図２０に示す検査スケジュールおよび洗浄スケジュールを対象としてもよい。いずれにしても、再スケジューリング処理においては、予め検査スケジュールおよび洗浄スケジュールが生成されていることが前提となる。なお説明の便宜上、洗浄スケジュールにおいて、各スコープの洗浄処理に対して、Ｗ１〜Ｗ４１の洗浄識別情報（洗浄ＩＤ）を付している。
【０２０７】
また図４１においては、医療施設が５本の上部高画質機を所有していることを前提としている。
図４２は、所有スコープマスタテーブル２２２の一例を示す。図６に示す所有スコープマスタテーブル２２２と比較すると、医療施設が５本の上部高画質機を所有している点で相違している。つまり図４２に示す所有スコープマスタテーブル２２２においては、上部高画質機であるＧ−Ｈ−４、Ｇ−Ｈ−５の２本が追加されている点で図６に示す所有スコープマスタテーブル２２２と相違しており、図４１の検査スケジュールにおいて、検査Ｅ３６にスコープＧ−Ｈ−４が、検査Ｅ３７にスコープＧ−Ｈ−５がそれぞれ割り当てられている。
【０２０８】
図４３は、情報管理装置１０の構成のうち、再スケジューリング処理を実行する機能を備えた処理部１００の構成を示す。処理部１００は、検査スケジュール管理部１１０、第１割当処理部１２０、洗浄スケジュール管理部１３０、第２割当処理部１４０、表示処理部１５０、状況情報取得部１７０、再スケジュール処理部１７２、変更不可検査特定部１７４および入力受付部１７６を備える。なお図４３には示していないが、処理部１００は、図３に示すように表示内容導出部１５２、期間指定部１５４および使用状況監視部１６０も備えて構成されており、また第１割当処理部１２０は、検査抽出部１２２、スコープ特定部１２４、スコープ割当部１２６、スコープ割当可否確認部１２８および医師割当部１２９を有し、第２割当処理部１４０は、洗浄機特定部１４２、洗浄機割当部１４４、終了時刻判定部１４６、洗浄機割当可否確認部１４８および担当者割当部１４９を有して構成されている。
【０２０９】
処理部１００の各構成は、ハードウェア的には、任意のコンピュータのＣＰＵ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
以下に示す再スケジューリング処理は、内視鏡検査業務の開始後、実際の検査の状況に応じて実施される。
【０２１０】
＜実施例６＞
状況情報取得部１７０は、検査の状況に関する状況情報を取得する。状況情報取得部１７０は、内視鏡観察装置２２と通信を行う通信部を有し、内視鏡観察装置２２から送信される情報を取得する機能を有してよい。この点において状況情報取得部１７０は、図３に示した使用状況監視部１６０の機能を含むものであってよい。
【０２１１】
検査の開始前、スコープ３０は内視鏡観察装置２２に接続されるが、このときスコープ３０の識別情報（スコープＩＤ）が、内視鏡観察装置２２を識別する情報（観察装置ＩＤ）および検査を識別する情報（検査ＩＤ）とともに、ネットワーク２を介して情報管理装置１０に送信される。また検査を開始する際、内視鏡観察装置２２において検査の開始ボタンが操作されると、検査の開始通知が検査ＩＤおよび観察装置ＩＤとともに情報管理装置１０に送信される。また検査を終了する際、内視鏡観察装置２２において検査の終了ボタンが操作されると（またはスコープ３０が内視鏡観察装置２２から引き抜かれると）、検査の終了通知が検査ＩＤおよび観察装置ＩＤとともに情報管理装置１０に送信される。情報管理装置１０において、状況情報取得部１７０は、内視鏡観察装置２２から送信される情報を監視し、検査の実施状況に関する状況情報として、スコープＩＤに関する情報、検査開始通知情報および検査終了通知情報を取得する。状況情報取得部１７０は取得した状況情報を、取得した時刻情報とともに再スケジュール処理部１７２に即時に（リアルタイムで）提供する。なお状況情報取得部１７０は、取得した状況情報を、取得した時刻情報とともに再スケジュール処理部１７２に定期的に提供してもよい。
【０２１２】
なお検査開始通知情報および検査終了通知情報は、ユーザにより入力されて時刻情報とともに入力受付部１７６により受け付けられ、入力受付部１７６が、検査開始通知情報および検査終了通知情報を、状況情報として状況情報取得部１７０に受け渡してもよい。また検査開始通知情報および検査終了通知情報は、オーダリングシステム等の院内情報システムに入力されて、状況情報取得部１７０が、院内情報システムから、検査開始通知情報および検査終了通知情報を、状況情報として取得してもよい。このように状況情報取得部１７０は、実際の検査の実施状況を、何らかの手段によって取得できればよいが、効率的な再スケジューリング処理を実行するためには、状況情報をリアルタイムで取得して、取得した時刻情報とともに、再スケジュール処理部１７２に提供することが好ましい。
【０２１３】
再スケジュール処理部１７２は、状況情報にもとづいて、図４１に示す検査スケジュールおよび／または洗浄スケジュールに含まれる要素の変更が必要であるか否かを判定する。たとえば状況情報取得部１７０が検査終了通知情報を取得した時刻が、当該検査の検査終了予定時刻を超過している場合、再スケジュール処理部１７２は、検査スケジュールおよび／または洗浄スケジュールの変更が必要であることを判定する。
【０２１４】
なお検査スケジュールを変更するためには、状況情報取得部１７０が検査終了通知情報を取得した時刻を知る必要があるが、状況情報取得部１７０が検査終了予定時刻を超過した時点で検査終了通知情報を取得していなければ、再スケジュール処理部１７２は、少なくとも検査スケジュールを変更する必要があることを判定できる。そのために状況情報取得部１７０は、検査スケジュールを参照して、検査終了予定時刻を超過した時点で検査終了通知情報を取得していなければ、その旨を示す情報を再スケジュール処理部１７２に提供してもよい。
【０２１５】
再スケジュール処理部１７２は、状況情報にもとづいて検査スケジュールおよび／または洗浄スケジュールの変更が必要であることを判定すると、検査スケジュール管理部１１０または洗浄スケジュール管理部１３０の少なくとも１つに対して、検査スケジュールおよび／または洗浄スケジュールに含まれる要素の変更を指示する。ここで検査スケジュールに含まれる要素とは、検査ＩＤで特定される検査、検査に対して割り当てられている検査室、検査開始予定時刻情報、検査終了予定時刻情報、担当医師、スコープ３０であり、また洗浄スケジュールに含まれる要素とは、スコープ３０に対して割り当てられている洗浄機、洗浄開始予定時刻情報、洗浄終了予定時刻情報である。なお実施例５（図３８）に示すように、洗浄スケジュールにおいて、洗浄処理に担当者が割り当てられている場合には、洗浄スケジュールに含まれる要素に、担当者情報も含まれる。
【０２１６】
以下、図４４〜図４７を参照して、具体的な再スケジューリング処理について説明する。
図４４は、実際の検査が予定よりも遅延した例を示す。検査Ｅ２２の検査スケジュールは、検査開始予定時刻が１０：２５、検査終了予定時刻が１０：３５であったところ、実際には検査Ｅ２２が予定時間を２０分超過している。そのため状況情報取得部１７０は、１０：５５に、第１検査室２０ａの内視鏡観察装置２２ａから、検査終了通知情報を取得する。状況情報取得部１７０は、検査終了通知情報を取得すると、即時に再スケジュール処理部１７２に、検査Ｅ２２の検査終了通知情報を１０：５５に取得したことを通知する。
【０２１７】
再スケジュール処理部１７２は、状況情報取得部１７０からの通知を受けて、検査Ｅ２２の終了時刻が、予定時刻を超過しており、遅延が生じたことを検出すると、検査スケジュールおよび／または洗浄スケジュールの変更が必要なことを判定する。再スケジュール処理部１７２は、スケジュール変更が必要なことを判定すると、検査スケジュール管理部１１０または洗浄スケジュール管理部１３０の少なくとも１つに対して、スケジュールに含まれる要素の変更を指示する。この実施例６では再スケジュール処理部１７２は、検査スケジュール管理部１１０に対して、検査スケジュールに含まれる要素の変更を指示し、検査スケジュール管理部１１０は、検査スケジュールの要素として、検査開始予定時刻情報および検査終了予定時刻情報で指定される検査の時間枠を動かす処理を行う。
【０２１８】
このとき再スケジュール処理部１７２は、検査スケジュールに含まれる要素のうち、検査Ｅ２２の終了予定時刻情報を、変更するべき要素として特定して、検査スケジュール管理部１１０に、特定した要素の変更を指示してもよい。このように再スケジュール処理部１７２が、状況情報にもとづいて、変更するべき要素を特定してもよいが、検査スケジュール管理部１１０が、再スケジュール処理部１７２から、検査Ｅ２２の終了時刻を通知されることで、変更するべき要素を特定してもよい。
【０２１９】
なお状況情報取得部１７０が検査スケジュールを参照して、検査終了予定時刻を超過した時点で検査終了通知情報を取得していなければ、検査に遅延が生じている旨を示す情報を再スケジュール処理部１７２に提供してもよいことを説明したが、このとき再スケジュール処理部１７２は、検査Ｅ２２に遅延が生じていることを、検査スケジュール管理部１１０に通知してもよい。これにより検査スケジュール管理部１１０は、検査Ｅ２２の後に予定されている同一検査室の検査Ｅ２６、Ｅ３０、Ｅ３３、Ｅ３５、Ｅ３８の検査開始予定時刻情報および検査終了予定時刻情報を、再設定が必要な要素として認識しておき、検査Ｅ２２の終了時刻が分かった時点で、これらの検査の時間枠を動かす処理を行ってもよい。
【０２２０】
なお検査スケジュール管理部１１０は、再スケジュール処理部１７２から検査Ｅ２２に遅延が生じていることを通知されなくても、管理している検査スケジュールを参照して、検査Ｅ２２に遅延が生じていることを自身で判断できる。そのため検査スケジュール管理部１１０は、検査Ｅ２２の終了予定時刻を超過した時点で、検査Ｅ２２の後に予定されている検査Ｅ２６、Ｅ３０、Ｅ３３、Ｅ３５、Ｅ３８の検査開始予定時刻情報および検査終了予定時刻情報を、再設定が必要な要素として認識することも可能である。
【０２２１】
医師等は、１日の検査業務開始前にスケジュール情報を確認し、どの時間にどの検査室でどのような検査を行うかを頭に入れていることが多い。そのため実施例６では、業務開始前に予め設定されたスケジュールを大きく変更することなく、基本的に引き継ぐような形での再スケジューリング処理を実行する。
【０２２２】
このようなポリシーのもと、検査スケジュール管理部１１０は、再スケジュール処理部１７２から提供されるスケジュール要素の変更指示にもとづいて、検査スケジュールの変更が必要となる検査室を特定し、特定した検査室における内視鏡検査の検査開始予定時刻情報および検査終了予定時刻情報を変更する。具体的に、スケジュール要素の変更指示には、検査Ｅ２２の検査終了時刻が含まれており、この変更指示を受けて検査スケジュール管理部１１０は、検査Ｅ２２が実施された第１検査室２０ａを特定し、第１検査室２０ａにおいて検査Ｅ２２の後に予定されている検査Ｅ２６、Ｅ３０、Ｅ３３、Ｅ３５、Ｅ３８の検査開始予定時刻情報および検査終了予定時刻情報のそれぞれを、検査Ｅ２２の遅延時間分、この例では予定時刻の２０分後に再設定する。
【０２２３】
図４５は、検査Ｅ２６、Ｅ３０、Ｅ３３、Ｅ３５、Ｅ３８の検査開始予定時刻および検査終了予定時刻を２０分ずつ遅らせた状態を示す。
なお時間的に前後するが、検査スケジュールにおいて、検査Ｅ２７は、検査開始予定時刻が１０：４５に設定されている。検査Ｅ２７の担当医師は医師Ｃであるが、１０：４５の時点において、医師Ｃはまだ検査Ｅ２２を実施しており、したがって検査Ｅ２７は、予定時刻である１０：４５に開始されていない。状況情報取得部１７０が１０：４５に、第４検査室２０ｄの内視鏡観察装置２２ｄから、検査Ｅ２７の検査開始通知情報を取得していなければ、再スケジュール処理部１７２は、検査Ｅ２７が予定通りに開始されていないことを認識して、検査スケジュール管理部１１０に、検査Ｅ２７が開始されていないことを通知する。これにより検査スケジュール管理部１１０は、第４検査室２０ｄにおける検査Ｅ２７、Ｅ３４、Ｅ４１の検査開始予定時刻情報および検査終了予定時刻情報を、再設定が必要な要素として認識しておく。
【０２２４】
このように検査Ｅ２２の終了が予定よりも遅延している場合、検査Ｅ２２と同一の検査室だけでなく、他の検査室においても、検査Ｅ２２の検査終了予定時刻（１０：３５）以後の検査スケジュールおよび／または洗浄スケジュールに影響がでる可能性がある。この例では、医師Ｃのスケジュールに影響がでているケースを示しているが、他にもスコープ３０の使用予定や、洗浄機５０の使用予定に影響がでることがある。そこで実施例６では検査の時間枠に着目して、まず検査スケジュール管理部１１０が、検査Ｅ２２の検査終了予定時刻以後を開始予定時刻とする時間枠に割り当てられた要素である医師情報およびスコープ３０に矛盾が生じるか否かを調査する。ここで矛盾が生じる場合とは、医師情報に関して言えば、同一の医師が時間的に重複する複数の検査に割り当てられている場合であり、またスコープ３０に関して言えば、１つのスコープ３０が、時間的に重複する複数の検査に割り当てられており、または同一時刻に検査と洗浄に割り当てられている場合である。
【０２２５】
具体的に、検査スケジュール管理部１１０は、検査Ｅ２２の検査終了通知情報を受け付けた１０：５５の時点で、図４５に示すように第１検査室２０ａにおける検査Ｅ２６以降の検査の時間枠を２０分ずつ遅らせた結果、医師およびスコープ３０が時間的に重複している検査の時間枠が存在するか否かを調査する。ここで検査スケジュール管理部１１０は、既に１０：４５の時点で検査Ｅ２７の検査開始予定時刻情報および検査終了予定時刻情報を、再設定が必要な要素として認識しており、医師Ｃが１０：５５の時点で検査Ｅ２７を実施可能となったことで、検査Ｅ２７の検査開始予定時刻情報を、１０：５５以降に再設定する。このとき第４検査室２０ｄにおける検査Ｅ２７より後の検査も、同様に遅らせるようにし、すなわち検査スケジュール管理部１１０は、遅延させるべき第４検査室２０ｄを特定し、検査Ｅ２７、Ｅ３４、Ｅ４１の検査開始予定時刻情報および検査終了予定時刻情報のそれぞれを再設定する。
【０２２６】
図４６は、検査Ｅ２７、Ｅ３４、Ｅ４１の検査開始予定時刻および検査終了予定時刻を１０分ずつ遅らせた状態を示す。なお、この例では、医師Ｃが、検査Ｅ２２の終了直後（１０：５５）に検査Ｅ２７を開始するように、検査Ｅ２７の検査開始予定時刻が再設定されているが、５分間のインターバル後、すなわち１１：００に検査Ｅ２７の検査開始予定時刻が再設定されてもよい。
【０２２７】
具体的に検査スケジュール管理部１１０は、検査の時間枠の再設定にあたり、スケジュール通りに実施されている検査の時間枠については、調査の対象から除外する。検査Ｅ２２の検査終了通知情報を受け付けた時点（１０：５５）で、既に、第２検査室２０ｂにおける検査Ｅ２８の検査開始通知情報と、第４検査室２０ｄにおける検査Ｅ２９の検査開始通知情報が、１０：５０の時点で状況情報取得部１７０から再スケジュール処理部１７２を介して提供されており、したがって、第２検査室２０ｂと第３検査室２０ｃとでは、予定通り検査が実施されていることが分かっている。そこで検査スケジュール管理部１１０は、検査Ｅ２２の検査終了予定時刻（１０：３５）以降を検査開始予定時刻とし、且つまだ検査が開始されていない各検査室の検査Ｅ２６、Ｅ３１、Ｅ３２、Ｅ２７に関して、担当医師およびスコープが時間的に重複しているものがあるか調査する。その結果、第４検査室２０ｄにおける検査Ｅ２７の開始予定時刻を、１０：５５に再設定し、図４６に示される検査スケジュールに修正される。
【０２２８】
次に、洗浄スケジュール管理部１３０が、検査Ｅ２２の検査終了予定時刻（１０：３５）以降を洗浄開始予定時刻とするスコープの洗浄スケジュールに矛盾が生じるか否かを調査する。ここで矛盾が生じる場合とは、ある時点でスコープ３０が検査で使用中であるにも関わらず、洗浄が開始されることになっているケースである。ここで検査Ｅ２２の検査終了予定時刻（１０：３５）以降を洗浄開始予定時刻とするスコープの洗浄スケジュールとして、洗浄Ｗ２０〜Ｗ２７を抽出する。
【０２２９】
なお検査スケジュール管理部１１０と同様に、洗浄スケジュール管理部１３０は、検査Ｅ２２が実際に終了した時刻（１０：５５）までに、洗浄スケジュール通りに洗浄が行われているか監視している。たとえば状況情報取得部１７０は、洗浄機５０と通信を行う通信部を有し、洗浄機５０から送信される情報を取得する機能を有してよい。洗浄機５０には、洗浄するスコープ３０のスコープＩＤを読み取る手段が設けられており、洗浄の担当者は、洗浄開始前に、スコープ３０のスコープＩＤを読取手段により読み取らせる。洗浄機５０は、洗浄開始ボタンが操作されると、洗浄開始通知情報を、スコープＩＤおよび洗浄機５０を識別する情報（洗浄機ＩＤ）とともに、ネットワーク２を介して情報管理装置１０に送信する。また洗浄が終了すると、洗浄機５０は、洗浄終了通知情報を、スコープＩＤおよび洗浄機ＩＤとともに、ネットワーク２を介して情報管理装置１０に送信する。状況情報取得部１７０は、洗浄機５０から送信される情報を監視し、洗浄の実施状況に関する状況情報として、洗浄開始通知情報および洗浄終了通知情報を取得する。状況情報取得部１７０は取得した状況情報を、取得した時刻情報とともに再スケジュール処理部１７２に即時に（リアルタイムで）提供し、再スケジュール処理部１７２は、状況情報を、時刻情報とともに洗浄スケジュール管理部１３０に通知する。
【０２３０】
したがって洗浄スケジュール管理部１３０は、検査Ｅ２２の終了予定時刻（１０：３５）から、実際の終了時刻（１０：５５）までの間にスケジュール通りに洗浄が行えていない洗浄があれば、１０：５５の時点で、再設定が必要な要素として認識している。この例では、洗浄Ｗ２０〜Ｗ２３が１０：３５〜１０：５５までの間の時刻を開始予定とする洗浄であるが、ここで洗浄Ｗ２２におけるスコープＧ−Ｒ−２は、洗浄開始予定時刻である１０：５０の時点では、まだ検査Ｅ２２にて実際に使用されている。したがって、１０：５０の時点で、洗浄スケジュール管理部１３０は、洗浄Ｗ２２の要素である洗浄開始予定時刻情報および洗浄終了予定時刻情報を、再設定が必要な要素として認識しておく。
【０２３１】
１０：５５の時点で、再スケジュール処理部１７２は、洗浄スケジュール管理部１３０に対して洗浄スケジュールの要素の変更指示を発行すると、洗浄スケジュール管理部１３０は、洗浄Ｗ２２の洗浄開始予定時刻および洗浄終了予定時刻を再設定する。なお、この洗浄スケジュールの再設定処理は、検査スケジュール管理部１１０による上記した検査スケジュールの再設定処理が行われた後に実行される。洗浄スケジュール管理部１３０は、第２割当処理部１４０に洗浄Ｗ２２におけるスコープＧ−Ｒ−２の洗浄機再割当処理を指示し、これを受けて第２割当処理部１４０の洗浄機割当部１４４は、Ｗ２２の開始予定時刻を５分後ろにずらすように変更して、スコープＧ−Ｒ−２に第２洗浄機５０ｂを割り当てる。
【０２３２】
この後、洗浄スケジュール管理部１３０は、１０：５５以降を開始予定とする洗浄Ｗ２４〜Ｗ２７に矛盾が生じるか否かを調査する。ここで洗浄Ｗ２７におけるスコープＣ−Ｚ−１は、検査Ｅ２７の開始遅延にともなって、洗浄開始予定時刻である１１：１０の時点では、検査Ｅ２７において使用中のステータスをとっている。そのため洗浄スケジュール管理部１３０は、洗浄Ｗ２７の洗浄開始予定時刻を、検査Ｅ２７の終了予定時刻（１１：２０）となるように再設定し、すなわち開始予定時刻を１０分遅らせて、洗浄スケジュールを再スケジューリングする。
【０２３３】
図４７は、洗浄Ｗ２２の洗浄開始予定時刻および洗浄終了予定時刻を５分遅らせ、洗浄Ｗ２７の洗浄開始予定時刻および洗浄終了予定時刻を１０分遅らせた状態を示す。なお洗浄Ｗ２２と同一洗浄機における以降の洗浄Ｗ２６、Ｗ３０、Ｗ３４、Ｗ３８も、同様に５分ずつ遅らせ、洗浄Ｗ２７と同一洗浄機における以降の洗浄Ｗ３１、Ｗ３５、Ｗ３９も、同様に１０分ずつ遅らせる。
【０２３４】
次に検査スケジュール管理部１１０は、まだ調査していない各検査室の検査Ｅ３０、Ｅ３６、Ｅ３７、Ｅ３４に関して、担当医師およびスコープが時間的に重複しているものがあるか調査する。ここで重複しているものがあれば、当該検査の開始予定時刻を遅らせるが、この例では、時間的に重複していないため、予定を確定する。同様に、洗浄スケジュール管理部１３０は、まだ調査していない各洗浄機の洗浄Ｗ２８〜Ｗ３１に関して、矛盾が生じているか否かを調査し、時間的に重複しているスコープがあれば、当該洗浄の開始予定時刻を遅らせる。この例では、時間的に重複していないため、これらの洗浄の予定を確定する。以上を繰り返し、検査スケジュールおよび洗浄スケジュールが再設定される。なお、この繰り返し工程については、実施形態で説明した工程にしたがってよい。
【０２３５】
以上のように検査スケジュール管理部１１０および洗浄スケジュール管理部１３０が、再スケジュール処理部１７２からのスケジュール要素の変更指示に基づいて、実際の検査状況に応じて、予め生成した検査スケジュールおよび洗浄スケジュールをリアルタイムで再スケジューリングする。実施例６においては、検査および洗浄の時間枠のみを変更し、検査および洗浄の順序や、使用する検査室および洗浄機については変更していない。このように検査業務開始前のスケジュール情報を引き継いだ形で再スケジューリング処理を実行して、検査順序や検査室などのスケジュール要素を変更しないことで、医師等は、時間の前後はあるものの、基本的には検査業務の開始前に確認したスケジュール情報にしたがって検査室の移動などを行えばよく、業務の効率化を図ることが可能となる。
【０２３６】
実施例６においては、検査Ｅ２２が予定よりも長くかかり、終了時刻が予定時刻よりも遅くなった例を示した。たとえば検査準備に手間取り、検査開始が予定時刻よりも遅延するようなケースにおいても、実施例６で説明した再スケジューリング処理を適用できる。また予定時刻よりも検査開始時刻や検査終了時刻が早まった場合であっても、実施例６で説明した再スケジューリング処理を適用して、検査の効率化を図ることも可能である。また、たとえば検査室２０における内視鏡観察装置２２の故障等により、検査室２０が利用できなくなった場合や、洗浄機５０が利用できなくなった場合などにおいても、実施例６で説明した再スケジューリング処理を適用することで、効率的に検査スケジュールおよび洗浄スケジュールを再構成することが可能である。
【０２３７】
＜実施例７＞
実施例６では、実際の検査の開始時刻または終了時刻が、スケジュールで予定された時刻よりも早まったり、または遅延することで、再スケジューリング処理が必要となったケースを説明した。実施例７では、たとえば外来患者の医療施設への到着が遅れ、予定していた検査時間を変更するようなケースを想定する。
【０２３８】
外来患者の到着が遅れたことで、検査開始予定時刻までに前処置が間に合わないような場合であっても、当該患者も前日から絶食して検査のための準備をしているため、時間を調整して当日中に検査を行うことが好ましい。そのためには当該患者の検査を、スケジュール中に割り込ませることになるが、一方で、他の患者からすれば、検査の割込により予定時刻よりも検査開始が遅れることになる。そのため、できるだけ予定時刻に近い時刻で、言い換えれば、開始遅延をできるだけ抑えた時刻で検査が開始されるような再スケジューリング処理が行われることが好ましい。
【０２３９】
また検査スケジュールにおいて、割り当てられた要素を変更できない検査も存在する。たとえば患者や医師の都合により、ある時間帯でしか検査できない事情があれば、その検査の検査開始予定時刻を動かすことはできない。また特殊な技能を要する検査であれば、その技能をもつ医師しか検査を担当することができないため、少なくとも当該検査の担当医師を変更することはできない。また同一タイプのスコープ３０であっても、最新式から旧式のものまで様々なものが存在するが、たとえば特殊な検査では、最新式のスコープ３０しか使用できないこともある。
【０２４０】
そこで実施例７においては、変更不可検査特定部１７４が、検査スケジュールにおいて内視鏡検査に対して予め割り当てられた複数の要素のうち、少なくとも一つの要素の変更を不可とする内視鏡検査を特定する。端末装置１２には、キーボードやマウスなどの入力インタフェースが接続されており、入力受付部１７６は、端末装置１２を介してユーザからの入力操作を受け付ける。たとえば検査スケジュールが生成されたときに、ユーザが、要素の変更を不可とする検査を指定すると、入力受付部１７６が、ユーザからの指定操作を受け付け、変更不可検査特定部１７４が、要素変更を不可とする内視鏡検査を特定する。なおユーザは、内視鏡検査のスケジュールを構成する複数の要素の中から、変更を不可とする要素を指定できるようにされてもよい。
【０２４１】
ここで検査スケジュールを構成する要素は、割り当てられている検査室、検査開始予定時刻情報、検査終了予定時刻情報、担当医師、スコープＩＤを少なくとも含む。たとえばユーザは、これらの要素のうち、担当医師、検査開始予定時刻の変更を禁止することを指定できる。このような指定を行った場合、検査室、使用するスコープに関しては変更可能であり、変更不可検査特定部１７４は、変更不可とされる検査要素を特定して、再スケジューリング処理に際して、かかる検査要素が変更されないようにする。
【０２４２】
以下においては、図４１に示す検査Ｅ１７のスケジュール要素の全て、つまり使用する第１検査室２０ａ、担当医師Ｃ、使用するスコープＧ−Ｈ−２、検査開始予定時刻および検査終了予定時刻が、変更不可として指定された場合について説明する。また実施例７では、検査Ｅ１５の患者の到着が遅れたために、開始予定時刻である９：５０から検査を開始できなくなったケースを示す。
【０２４３】
医療施設におけるユーザは、検査Ｅ１５を開始予定時刻に開始できないことを事前に知ると、入力インタフェースを操作して、検査Ｅ１５の予約の変更操作を行う。たとえば表示処理部１５０は、検査スケジュール保持部２０６から検査スケジュール情報を読み出して、図４１に示す検査スケジュール表を端末装置１２のディスプレイに表示する。検査スケジュール表はユーザにより操作可能なＧＵＩとして表示され、ユーザは、予約を変更する検査を、検査スケジュール表上で指定できるようにされている。
【０２４４】
入力受付部１７６が、検査Ｅ１５の予約の変更操作を受け付けると、状況情報取得部１７０が、入力受付部１７６から、予約の変更情報を、検査の状況に関する状況情報として取得して、再スケジュール処理部１７２に提供する。再スケジュール処理部１７２は、状況情報にもとづいて、検査スケジュールおよび／または洗浄スケジュールの変更が必要であることを判定し、検査スケジュール管理部１１０または洗浄スケジュール管理部１３０の少なくとも１つに対して、検査スケジュールおよび／または洗浄スケジュールに含まれる要素の変更を指示する。この変更指示は、検査Ｅ１５の開始予定時刻の変更指示であり、この変更指示を受けて、検査スケジュール管理部１１０が、検査Ｅ１５のスケジュール情報を、検査スケジュールから一旦削除する。
【０２４５】
図４８は、ディスプレイに表示される検査スケジュール表および洗浄スケジュール表を示す。なお表示処理部１５０は、変更不可検査特定部１７４により特定される変更を禁止された検査Ｅ１７の時間枠を、ユーザが認識できるように表示してもよい。図４８では、検査Ｅ１７の時間枠が太枠で表示されて、ユーザが、変更不可であることを認識できるようにされている。また検査スケジュール表において、検査Ｅ１５に関するスケジュール情報が、一旦削除されている様子が示される。
【０２４６】
ユーザは、検査Ｅ１５を１０：０５から開始できることが分かると、この患者をできるだけ早く検査するように、検査Ｅ１５の検査開始予定時刻を設定する。たとえば検査Ｅ１５の患者に対して看護師が前処置を行っている場合に、この看護師から前処置の完了が１０：００であることの報告を受けることで、ユーザは、検査Ｅ１５を、１０：０５から開始できることを知り、検査開始予定時刻を設定できる。
【０２４７】
図４９は、ユーザが検査Ｅ１５を、第２検査室２０ｂの１０：０５が検査開始予定時刻となるように指定した状態を示す。入力受付部１７６が、検査Ｅ１５の検査開始予定時刻の指定情報を受け付けると、状況情報取得部１７０が、入力受付部１７６が受け付けた情報を、検査Ｅ１５の状況に関する状況情報として取得して再スケジュール処理部１７２に提供する。再スケジュール処理部１７２は、この状況情報にもとづいて、検査スケジュール管理部１１０に、検査Ｅ１５の検査開始予定時刻情報を通知し、少なくとも検査Ｅ１５の要素の変更を指示する。
【０２４８】
この変更指示を受けて、検査スケジュール管理部１１０が、検査Ｅ１５の検査開始予定時刻を１０：０５に再設定する。このとき検査スケジュール管理部１１０は、スケジュール要素の変更指示にもとづいて、検査スケジュールの変更が必要となる検査室を特定し、特定した検査室における検査の検査開始予定時刻情報および検査終了予定時刻情報を変更する。スケジュール要素の変更指示には、検査Ｅ１５を第２検査室２０ｂで１０：０５から開始するべきことが含まれており、したがって検査スケジュール管理部１１０は、検査スケジュールの変更が必要となる第２検査室２０ｂを特定して、検査Ｅ１５を１０：０５から開始することで、スケジュール変更が必要となる検査を特定する。図４８の検査スケジュールを参照して、ここでは第２検査室２０ｂで予定されていた検査Ｅ１８、Ｅ２１、Ｅ２４、Ｅ２８、Ｅ３１、Ｅ３６、Ｅ３９のスケジュールを変更する必要があることが特定され、したがって検査スケジュール管理部１１０は図４９に示すように、検査Ｅ１８、Ｅ２１、Ｅ２４、Ｅ２８、Ｅ３１、Ｅ３６、Ｅ３９の時間枠を、時間的に後ろにずらすように調整する。それとともに検査スケジュール管理部１１０は、検査Ｅ１５の検査開始予定時刻（１０：０５）以後に検査開始を予定されている検査を、再割当対象の検査として抽出して、スコープの割当を解除（クリア）する。図４９において、枠３００で囲んでいる検査が、スコープの再割当対象となる検査である。
【０２４９】
このとき変更不可検査特定部１７４は、検査に対して予め割り当てられた要素のうち、少なくとも一つの変更を不可とする検査を特定する。ここで変更不可検査特定部１７４は、検査Ｅ１７に割り当てられた全ての要素が変更不可に指定されていることを認識し、スケジュール情報の要素変更が禁止されている検査Ｅ１７を特定する。再スケジュール処理部１７２は、変更不可検査特定部１７４により特定される検査Ｅ１７の変更を不可とされた要素を検査スケジュール管理部１１０に通知して、当該要素の変更を禁止させる。この例では、検査Ｅ１７の全ての要素の変更が禁止されているため、再スケジュール処理部１７２は、検査Ｅ１７の全ての要素の変更が禁止されていることを検査スケジュール管理部１１０に通知し、この通知を受けて再スケジュール処理部１７２は、スコープ割当の解除に際し、検査Ｅ１７のスコープ割当は解除せず、検査Ｅ１７以外のスコープ割当を解除する。
【０２５０】
また洗浄スケジュール管理部１３０は、再割当前の検査スケジュールにおける検査Ｅ１５で使用予定であったスコープＧ−Ｒ−４の洗浄Ｗ１５を、洗浄スケジュールから削除する。また洗浄スケジュール管理部１３０は、再割当後の検査Ｅ１５の検査開始予定時刻（１０：０５）以後に洗浄開始を予定されている洗浄Ｗ１３、Ｗ１４、Ｗ１６〜Ｗ４１を、検査スケジュールから削除する。以上により、図４９に示す検査スケジュールおよび洗浄スケジュールが生成される。
【０２５１】
以後は、実施形態等に関して説明したように、処理部１００が、図４９に示す検査スケジュールおよび洗浄スケジュールから、スコープ３０を各検査に割り当て、また検査で使用したスコープ３０に洗浄機５０を割り当てる処理を繰り返し行い、検査スケジュールおよび洗浄スケジュールを再構成する。具体的には、第１割当処理部１２０におけるスコープ割当部１２６が、検査開始予定時刻情報および検査終了予定時刻情報を変更された検査に対してスコープ３０を割り当て、第２割当処理部１４０における洗浄機割当部１４４が、検査に対して割り当てられたスコープ３０の検査終了予定時刻以後の時刻が洗浄開始予定時刻となるように、当該スコープ３０を洗浄するための洗浄機５０を割り当てる。またスコープ割当部１２６は、洗浄機割当部１４４により当該スコープ３０に対して割り当てられた洗浄機５０による洗浄終了予定時刻以後の時刻が検査開始予定時刻となるように、後の検査に対して当該スコープ３０を割り当てる。実施形態等に関して説明したように、第１割当処理部１２０および第２割当処理部１４０が、この処理を繰り返し行うことで、検査スケジュールおよび洗浄スケジュールが構成される。
【０２５２】
図５０は、再スケジューリング処理を施した検査スケジュールおよび洗浄スケジュールを示す。なお上記したように、検査Ｅ１７のスケジュール要素に関しては、その変更が禁止されており、第１割当処理部１２０は、スケジュール情報の要素を変更していない。以上のように、実施例７においては、スケジュール要素の変更が禁止された検査については、そのスケジュール要素を固定しつつ、それ以外の検査のスケジュール要素を変更している。なお、図５０に示す例では、スコープ３０の割当が変更されており、担当医師の割当に変更はないが、検査スケジュール管理部１１０が検査の時間枠を変更したことにより、１人の医師が時間的に重複する複数の検査に割り当てられているような場合には、第１割当処理部１２０の医師割当部１２９が、担当医師を再割当する必要がある。
【０２５３】
また実施例７において、検査スケジュール中の任意の位置に検査Ｅ１５を割り込ませる場合においても、検査スケジュール管理部１１０は、割り込ませた後の検査の順序や検査室などを変更しない。これにより、検査を割り込ませた検査室においては、その後の検査の開始時刻が遅れるものの、検査順序は変更しないために、開始予定時刻も最低限の遅れですむようになる。なお、ここでは検査スケジュール中の任意の位置に検査Ｅ１５を割り込ませることとしていたが、たとえば他の検査の時間枠に、検査Ｅ１５を当てはめるように調整してもよい。
【０２５４】
なお担当医師のスケジュールに矛盾が生じるような場合、上記したように医師割当部１２９が担当医師を再割当してもよいが、実施例６で説明したように、検査の時間枠を調整することで、担当医師の割当を固定することも可能である。この場合、医師は、時間の前後はあるものの、基本的には検査業務の開始前に確認したスケジュール情報にしたがって検査室の移動などを行えばよく、業務の効率化を図ることが可能となる。
【０２５５】
実施例７では、ある患者の検査を遅らせる場合について説明したが、急患等の検査を割り込ませる場合にも実施例７で説明した再スケジューリング処理を適用できる。また実施例７で説明した再スケジューリング処理を利用して、同一検査室における２人の患者の検査の順序を入れ替えたり、また異なる検査室における２人の患者の検査を入れ替えたりすることも可能となる。また図４１においては、検査を密に割り当てた検査スケジュールを示しているが、たとえば検査室２０に十分な空き時間があるような場合には、その空き時間に検査を割り込ませて、スコープの再割当処理を実施することも可能である。
【０２５６】
実施例７においては、要素の変更を不可とする検査を特定する変更不可検査特定部１７４について説明したが、この変更不可検査特定部１７４とは逆の考え方で、要素の変更を可能とする検査を特定する変更可能検査特定部を設けてもよい。この場合、ユーザは、要素変更を可能とする検査を入力インタフェースを操作して指定し、第１割当処理部１２０は、変更可能検査特定部により特定された検査に関して、スコープや担当医師などの要素を変更してもよい。
【０２５７】
また変更不可検査特定部１７４によりスケジュール要素の変更を不可とする検査を特定し、再スケジュール処理部１７２が、変更を不可とされたスケジュール要素を検査スケジュール管理部１１０に通知することを説明したが、これにより検査スケジュール管理部１１０が、変更を不可とされていない検査スケジュールの要素を変更する際に、割り当てるスコープ３０が不足して、スケジュールが大幅に遅延するなどの事態が生じる可能性がある。
【０２５８】
そこで検査スケジュール管理部１１０は、再スケジューリングに関する所定の再スケジュール条件を保持し、この再スケジュール条件が満たされない場合には、ユーザに、検査スケジュールの変更ができないことを通知する。再スケジュール条件は、検査開始の遅延が所定時間（たとえば１時間）内に収まることに設定されていてよい。変更不可検査特定部１７４により変更を不可とされたスケジュール要素が存在する場合に、第１割当処理部１２０は、スコープ３０の割当や医師の割当に際して、変更を禁止されるスケジュール要素が存在することで、その割当自由度にも制限がかかる。そのため検査スケジュール管理部１１０が、第１割当処理部１２０にスケジュール要素の再割当処理を行わせて、検査スケジュールの要素を変更する際に、所定の再スケジュール条件が満たされない場合には、ユーザに、検査スケジュールの変更ができないことを通知することが好ましい。
【０２５９】
なお再スケジュール条件を満たし、検査スケジュールを変更できる場合であっても、検査スケジュール管理部１１０は、検査の時間枠を調整した場合には、ユーザに、その旨を通知することが好ましい。これにより医師等のユーザは、検査終了が予定よりも遅れることを認識し、検査終了後の自身の予定を見直すなどの対応をとることが可能となる。
【０２６０】
また実施例７においては、再スケジューリング処理により、図５０に示す検査スケジュールおよび洗浄スケジュールが再構成されている。この再構成結果は一例であり、たとえば実施形態および実施例１〜６に関して説明したように、本願で提案する様々なスケジューリングアルゴリズムにより、検査スケジュールおよび洗浄スケジュールを、複数種類作成することも可能である。そのため表示処理部１５０は、作成した複数種類の検査スケジュールおよび洗浄スケジュールを、端末装置１２のディスプレイに表示して、いずれを採用するかをユーザが選択できるようにしてもよい。
【０２６１】
＜実施例８＞
実施例６、７では、検査をスケジュール通りに実施できず、検査の時間枠を調整するケースについて説明したが、実施例８では、検査がキャンセルされたために、他の検査を予定よりも早めるように検査スケジュールを再構成するケースを想定する。
【０２６２】
検査のキャンセルが発生した場合、キャンセルされた検査で使用予定であった検査室２０、スコープ３０および医師などのリソースを有効利用することが好ましい。そのため実施例８では、検査のキャンセルが発生したときに、再スケジューリング処理を実行することで、リソースの有効利用および患者の検査待ち時間の短縮を実現することを目的とする。実施例６、７と同様に、実施例８においても、検査業務の開始前に、図４１に示す検査スケジュールおよび洗浄スケジュールが予め生成されていることを前提とする。
【０２６３】
図４１を参照して、検査Ｅ２２の検査開始予定時刻（１０：２５）前に、情報管理装置１０に対して検査Ｅ２２のキャンセルが通知された場合を想定する。ユーザが、端末装置１２に接続された入力インタフェースから、検査Ｅ２２のキャンセル操作を入力すると、入力受付部１７６が、検査Ｅ２２のキャンセル操作を受け付ける。状況情報取得部１７０は、入力受付部１７６から、検査Ｅ２２の予約のキャンセル情報を、検査の状況に関する状況情報として取得して、再スケジュール処理部１７２に提供する。
【０２６４】
再スケジュール処理部１７２は、状況情報にもとづいて、検査スケジュールおよび／または洗浄スケジュールの変更が必要であることを判定し、検査スケジュール管理部１１０または洗浄スケジュール管理部１３０の少なくとも１つに対して、検査スケジュールおよび／または洗浄スケジュールに含まれる要素の変更を指示する。実施例８においては、この変更指示を受けて、検査スケジュール管理部１１０が、検査Ｅ２２のスケジュール情報を、検査スケジュールから削除する。
【０２６５】
図５１は、検査スケジュールから検査Ｅ２２を削除した状態を示す。
実施例８においては、検査スケジュールからキャンセルされた検査のリソースを有効利用するべく、キャンセルされた検査の開始予定時刻より後の時刻を開始予定時刻とする検査を前倒しで実施できるようにする再スケジューリング処理を提案する。
【０２６６】
図５２は、実施例８における予約繰上げ処理のフローチャートを示す。検査スケジュール管理部１１０は、キャンセルされた検査の時間枠を、空き時間枠として特定し（Ｓ３００）、空き時間枠に移動させる検査の候補を抽出する処理を行う（Ｓ３０２）。候補検査の抽出処理により、空き時間枠に移動可能な検査が１つ以上抽出されれば（Ｓ３０４のＹ）、検査スケジュール管理部１１０は、移動する検査を特定する処理を行う（Ｓ３０６）。移動する検査が特定されると、特定した検査を空き時間枠に移動する（Ｓ３０８）。この移動処理により、キャンセルされた検査の時間枠のリソースを、別の検査に利用できるようになる。この予約繰上げ処理においては、さらに移動した検査の時間枠を空き時間枠として特定し（Ｓ３００）、その空き時間枠に、別の検査を割り当てる処理を繰り返す。なお候補検査の抽出処理により、空き時間枠に移動可能な検査が抽出できなければ（Ｓ３０４のＮ）、予約繰上げ処理は終了する。
【０２６７】
図５３は、Ｓ３０２に示す候補検査抽出処理の詳細フローチャートを示す。検査スケジュール管理部１１０が、検査スケジュールにおける各検査室２０の検査のなかから、Ｓ３００で特定された空き時間枠の開始時刻の後に検査開始を予定されている検査を特定する（Ｓ３２０）。検査予約を繰り上げるに際して、たとえば２時間後に予定されている検査を前倒しで行うことは、前処置が間に合わないこともあり現実的でないことが多い。そこで、検査スケジュール管理部１１０は、各検査室２０の検査のうち、空き時間枠の開始時刻の後に最も早く検査開始を予定されている検査を特定する。
【０２６８】
続いて検査スケジュール管理部１１０は、「Ｎ＝１」をセットして（Ｓ３２２）、第Ｎ検査室において特定した検査が、所定の繰上げ条件を満たすか判定する（Ｓ３２４）。ここで繰上げ条件の１つは、空き時間枠に予定されていた検査の検査種別と、第Ｎ検査室において特定した検査の検査種別とが一致することに設定される。検査種別が一致すれば（Ｓ３２４のＹ）、検査予定時間も等しく、また使用するスコープ３０の機種も同じであるため、空き時間枠に設定されていたスコープ３０等のスケジュール要素を変更することなく、第Ｎ検査室において特定した検査を空き時間枠に移動することが可能となる。なお別の繰上げ条件として、医師の技能に関する条件が設定されてもよい。たとえば、空き時間枠に移動させようとする検査が特殊な技能を要する場合、経験の浅い若手医師では対応できないこともある。そこで、空き時間枠に設定されている担当医師の技能と、移動させようとする検査に要する技能とを比較して、担当医師の技能で十分対応できる場合には（Ｓ３２４のＹ）、当該検査を空き時間枠に移動可能なことが判定される。なお以上の繰上げ条件が満たされない場合（Ｓ３２４のＮ）は、Ｓ３２８に進む。
【０２６９】
所定の繰上げ条件が満たされれば（Ｓ３２４のＹ）、検査スケジュール管理部１１０は、当該検査を、空き時間枠に移動可能な候補検査として抽出する（Ｓ３２６）。続いて、Ｎが検査室総数（この例では、検査室総数＝４）と同じか判定され（Ｓ３２８）、Ｎが検査室総数に達していなければ（Ｓ３２８のＮ）、Ｎを１インクリメントして（Ｓ３３０）、Ｓ３２４に戻る。
【０２７０】
以上のように、Ｓ３０２の候補検査抽出処理は、Ｎが検査室総数に達するまで（Ｓ３２８のＹ）実施され、すなわち各検査室２０から抽出した全ての検査に関して実行される。
【０２７１】
図５２に戻り、検査スケジュール管理部１１０は、抽出した候補検査が存在するか否かを判定する（Ｓ３０４）。ここで候補検査が抽出されていなければ（Ｓ３０４のＮ）、予約繰上げ処理は終了する。一方で、候補検査が１つ以上抽出されていれば（Ｓ３０４のＹ）、検査スケジュール管理部１１０は、空き時間枠に移動する検査を特定する処理を行う（Ｓ３０６）。
【０２７２】
図５４は、Ｓ３０６に示す繰上げ検査特定処理の詳細フローチャートを示す。Ｓ３０４において抽出した検査が１つの場合（Ｓ３４０のＹ）、検査スケジュール管理部１１０は、当該１つの検査を、空き時間枠に移動させる検査として特定する（Ｓ３４６）。またＳ３０４において抽出した検査が複数あり（Ｓ３４０のＮ）、そのうち最も開始予定時刻の早い検査が１つある場合には（Ｓ３４２のＹ）、検査スケジュール管理部１１０は、最も早い開始予定時刻の検査を、空き時間枠に移動させる検査として特定する（Ｓ３４６）。最も開始予定時刻の早い検査が複数あり（Ｓ３４２のＮ）、そのなかで空き時間枠の検査室と同じ検査室で予定されている検査があれば（Ｓ３４４のＹ）、検査スケジュール管理部１１０は、同じ検査室で予定されている検査を、空き時間枠に移動させる検査として特定する（Ｓ３４６）。なお同じ検査室で予定されている検査がなければ（Ｓ３４４のＮ）、たとえば検査スケジュール管理部１１０は、より小さい検査室番号の検査を、空き時間枠に移動させる検査として特定してよい（Ｓ３４６）。
【０２７３】
図５２に戻り、検査スケジュール管理部１１０は、Ｓ３０６で特定した検査を、空き時間枠に移動する（Ｓ３０８）。フローはＳ３００に戻り、検査スケジュール管理部１１０は、移動した検査の時間枠を、空き時間枠として特定して（Ｓ３００）、Ｓ３０２〜Ｓ３０８の処理を繰り返す。この処理は、Ｓ３０２において、候補検査が抽出されなくなるまで繰り返される。
【０２７４】
以下、検査Ｅ２２がキャンセルされた場合の具体的な処理を説明する。
入力受付部１７６が、検査Ｅ２２のキャンセル操作を受け付けると、状況情報取得部１７０は、入力受付部１７６から、検査Ｅ２２の予約のキャンセル情報を、検査の状況に関する状況情報として取得して、再スケジュール処理部１７２に提供する。
【０２７５】
再スケジュール処理部１７２は、状況情報にもとづいて、検査スケジュールおよび／または洗浄スケジュールの変更が必要であることを判定し、検査スケジュール管理部１１０または洗浄スケジュール管理部１３０の少なくとも１つに対して、検査スケジュールおよび／または洗浄スケジュールに含まれる要素の変更を指示する。実施例８においては、この変更指示を受けて、検査スケジュール管理部１１０が、検査Ｅ２２を、検査スケジュールから削除する。なお検査スケジュール管理部１１０は、検査Ｅ２２の検査ＩＤを検査スケジュールから削除し、他のスケジュール情報、すなわち検査Ｅ２２に割り当てられていた担当医師、スコープＩＤ、検査開始予定時刻情報、検査終了予定時刻情報を残す。これにより検査Ｅ２２が割り当てられていた時間枠は空き、検査スケジュール管理部１１０は、第１検査室２０ａにおける１０：２５〜１０：３５までの時間枠を、空き時間枠として特定する（Ｓ３００）。
【０２７６】
続いて検査スケジュール管理部１１０は、空き時間枠に移動する検査の候補を抽出する（Ｓ３０２）。図５３を参照して、検査スケジュール管理部１１０は、空き時間枠の開始時刻の後に検査開始を予定されている検査を、各検査室ごとに特定する（Ｓ３２０）。ここで特定される検査は、検査Ｅ２６、Ｅ２４、Ｅ２５、Ｅ２７となる。
【０２７７】
以下、Ｓ３２４で使用する繰上げ条件が、検査種別に関し、すなわち空き時間枠に設定されていた検査の検査種別と同じであることを条件とするものとする。
まず第１検査室２０ａの検査Ｅ２６であるが、キャンセルされた検査Ｅ２２（上部ルーチン検査）と検査種別が同一であり（Ｓ３２４のＹ）、したがって検査スケジュール管理部１１０は、検査Ｅ２６を候補検査として抽出する（Ｓ３２６）。第２検査室２０ｂの検査Ｅ２４、第３検査室２０ｃの検査Ｅ２５についても同様に、検査Ｅ２２と検査種別が同一であり（Ｓ３２４のＹ）、したがって検査スケジュール管理部１１０は、検査Ｅ２４、Ｅ２５も候補検査として抽出する（Ｓ３２６）。一方で、第４検査室２０ｄの検査Ｅ２７については、検査Ｅ２２と検査種別が異なるため（Ｓ３２４のＮ）、検査Ｅ２７は、候補検査として抽出しない。以上により、候補検査が、検査Ｅ２６、Ｅ２４、Ｅ２５として抽出される。
【０２７８】
図５２に戻り、抽出した候補検査の数が３つであるため（Ｓ３０４のＹ）、検査スケジュール管理部１１０は、図５４に示す繰上げ検査特定処理を実行する。
ここで抽出数は３つであり（Ｓ３４０のＮ）、検査Ｅ２６、Ｅ２４、Ｅ２５の開始予定時刻は、検査Ｅ２６が１０：４０、検査Ｅ２４、検査Ｅ２５が、それぞれ１０：３５である。したがって最も早い開始予定時刻の検査が、検査Ｅ２４、Ｅ２５の２つ存在している（Ｓ３４２のＮ）。検査Ｅ２４、Ｅ２５は、空き時間枠と同一検査室（すなわち第１検査室２０ａ）とは異なる検査室で行われるものであるため（Ｓ３４４のＮ）、検査スケジュール管理部１１０は、検査室番号の小さい検査Ｅ２４を、移動させる検査として特定する（Ｓ３４６）。図５２に戻り、検査スケジュール管理部１１０が、特定した検査Ｅ２４を、空き時間枠に移動させる（Ｓ３０８）。なお具体的には、検査スケジュール管理部１１０は、検査Ｅ２４を空き時間枠に実施することを決定し、これにより検査Ｅ２４のスケジュール情報として、第１検査室２０ａで１０：２５〜１０：３５の間に担当医師ＣがスコープＧ−Ｒ−２を用いることが定められる。
【０２７９】
図５５は、検査Ｅ２４を、空き時間枠に移動した状態を示す。
続いて検査スケジュール管理部１１０は、移動する前の検査Ｅ２４に割り当てられていた第２検査室２０ｂの１０：３５〜１０：４５の時間枠を、空き時間枠として特定し（Ｓ３００）、空き時間枠に移動する検査の候補を抽出する（Ｓ３０２）。図５３を参照して、検査スケジュール管理部１１０は、空き時間枠の開始時刻の後に検査開始を予定されている検査を、各検査室ごとに特定する（Ｓ３２０）。ここで特定される検査は、検査Ｅ２６、Ｅ２８、Ｅ２９、Ｅ２７となる。
【０２８０】
このうち検査Ｅ２７は、繰上げ条件を満たさない（Ｓ３２４のＮ）が、検査Ｅ２６、Ｅ２８、Ｅ２９は、繰上げ条件を満たしているため（Ｓ３２４のＹ）、検査スケジュール管理部１１０は、検査Ｅ２６、Ｅ２８、Ｅ２９を候補検査として抽出する（Ｓ３２６）。
【０２８１】
ここで図５４を参照して、抽出した候補検査の数は３つであり（Ｓ３４０のＮ）、検査Ｅ２６、Ｅ２８、Ｅ２９の開始予定時刻は、検査Ｅ２６が１０：４０、検査Ｅ２８、検査Ｅ２９が、それぞれ１０：５０である。この場合、最も早い開始予定時刻の検査が、検査Ｅ２６の１つであるため（Ｓ３４２のＹ）、検査スケジュール管理部１１０は、検査Ｅ２６を、移動させる検査として特定する（Ｓ３４６）。これにより図５２を参照して、検査スケジュール管理部１１０は、特定した検査Ｅ２６を、空き時間枠に移動させる（Ｓ３０８）。
【０２８２】
図５６は、検査Ｅ２６を、空き時間枠に移動した状態を示す。
続いて検査スケジュール管理部１１０は、移動する前の検査Ｅ２６に割り当てられていた第１検査室２０ａの１０：４０〜１０：５０の時間枠を、空き時間枠として特定し（Ｓ３００）、空き時間枠に移動する検査の候補を抽出する（Ｓ３０２）。図５３を参照して、検査スケジュール管理部１１０は、空き時間枠の開始時刻の後に検査開始を予定されている検査を、各検査室ごとに特定する（Ｓ３２０）。ここで特定される検査は、検査Ｅ３０、Ｅ２８、Ｅ２９、Ｅ２７となる。
【０２８３】
このうち検査Ｅ２７は、繰上げ条件を満たさない（Ｓ３２４のＮ）が、検査Ｅ３０、Ｅ２８、Ｅ２９は、繰上げ条件を満たしているため（Ｓ３２４のＹ）、検査スケジュール管理部１１０は、検査Ｅ３０、Ｅ２８、Ｅ２９を候補検査として抽出する。
【０２８４】
ここで図５４を参照して、抽出した候補検査の数は３つであり（Ｓ３４０のＮ）、検査Ｅ３０、Ｅ２８、Ｅ２９の開始予定時刻は、検査Ｅ３０が１０：５５、検査Ｅ２８、検査Ｅ２９が、それぞれ１０：５０である。この場合、最も早い開始予定時刻の検査が、検査Ｅ２８、Ｅ２９の２つであり（Ｓ３４２のＮ）、検査Ｅ２８、Ｅ２９は、空き時間枠と同一検査室（すなわち第１検査室２０ａ）とは異なる検査室で行われるものであるため（Ｓ３４４のＮ）、検査スケジュール管理部１１０は、検査室番号の小さい検査Ｅ２８を、移動させる検査として特定する（Ｓ３４６）。図５２に戻り、検査スケジュール管理部１１０が、特定した検査Ｅ２８を、空き時間枠に移動させる（Ｓ３０８）。
【０２８５】
図５７は、検査Ｅ２８を、空き時間枠に移動した状態を示す。
以上の処理を繰り返すことで、検査予約の繰上げ処理が完了する。
図５８は、再構成した検査スケジュールを示す。実施例８に示すように、検査予約のキャンセルが発生した場合には、キャンセルされた検査よりも後に予定されている同種の検査を繰り上げることで、効率的な検査スケジュールを再構成することが可能となる。なお同種の検査を繰り上げることで、割当済みのスコープ３０等のリソースに変更を加える必要なく、そのまま利用することが可能となり、したがって担当医師からすれば、検査（患者）に変更があるものの、医師のスケジュール自体にはほぼ変更がなく、検査業務を進行させられるようになる。
【０２８６】
なお洗浄スケジュール管理部１３０は、もとの検査スケジュールの検査Ｅ３８で使用予定であったスコープＧ−Ｒ−４の使用予定がなくなったことを受けて、洗浄Ｗ３８におけるスコープＧ−Ｒ−４の洗浄予定をキャンセルする。このキャンセルにより、洗浄スケジュール管理部１３０は、洗浄Ｗ４１で予定されているスコープＣ−Ｚ−１を、洗浄Ｗ３８の時間枠に繰上げ可能となったことを判定し、洗浄スケジュールを変更する。
図５９は、再構成した洗浄スケジュールを示す。
【０２８７】
以上、本発明の再スケジューリング処理を実施例６〜８をもとに説明した。この実施例は例示であり、それらの各構成要素や各処理プロセスの組合せにいろいろな変形例が可能なこと、またそうした変形例も本発明の範囲にあることは当業者に理解されるところである。
【０２８８】
実施例６〜８においては、再スケジューリング処理により検査スケジュールおよび洗浄スケジュールを再構成することを説明した。本願発明においては、提案する様々な再スケジューリングアルゴリズムにより、検査スケジュールおよび洗浄スケジュールの候補を、複数種類作成することも可能である。そのため表示処理部１５０は、変更した検査スケジュールおよび／または洗浄スケジュールを端末装置１２のディスプレイに表示する機能を有し、検査スケジュールおよび／または洗浄スケジュールの候補が複数存在する場合には、各候補をディスプレイに表示して、ユーザがいずれかの候補を選択できるようにしてもよい。ユーザが、いずれかの候補を選択すると、検査スケジュール管理部１１０および洗浄スケジュール管理部１３０が、選択された検査スケジュールおよび／または洗浄スケジュールの変更を確定する。
【０２８９】
＜実施例９＞
実施例６〜８では、検査スケジュールおよび／または洗浄スケジュールを再構成する手法について説明した。実施例９では、再構成した検査スケジュールおよび／または洗浄スケジュールにおいて、元の検査スケジュールおよび／または元の洗浄スケジュールから変更が生じた内容を、変更により影響を受ける医師や看護師などの医療従事者に通知する仕組みを提供する。
【０２９０】
図６０は、内視鏡検査が実施される医療施設のレイアウト例を示す。たとえば医療施設に設けられる内視鏡センターが、このようなレイアウトで構成される。内視鏡センター入口には受付が設けられ、患者は検査受付をすませ、待合室で順番を待っている。担当看護師は、次に実施する検査の開始予定時刻が近づくと、患者を前処置室に連れて行き、前処置を開始する。また担当看護師は担当の検査室の準備を行い、前処置の済んだ患者を検査室に誘導する。
【０２９１】
バックヤードには、医師、看護師、技師などの医療従事者が待機している。検査開始予定時刻が近づくと、担当医師は、予定されている検査室に入室して、検査開始予定時刻になると検査を開始する。また検査終了予定時刻になると、洗浄の担当技師は検査室にいき、使用済みスコープを検査室内でベッドサイド洗浄してから洗浄室に持ち運び、洗浄開始予定時刻になると、使用済みスコープを洗浄機５０で機械洗浄する。洗浄室４０には、洗浄スケジュールや、各検査室の検査終了予定時刻を表示するためのディスプレイ装置７１が設けられる。
【０２９２】
バックヤードには、ディスプレイ装置７０が設けられ、ディスプレイ装置７０には、検査スケジュールおよび洗浄スケジュールが表示される。ここで検査スケジュールおよび／または洗浄スケジュールに変更があった場合には、変更があったことが分かるように、変更のあったスケジュール情報が強調表示されてもよい。ディスプレイ装置７０は大型のディスプレイ装置であって、全てのスケジュール情報を表示する必要はないが、少なくとも現在時刻の前後数時間分のスケジュール情報を表示することが好ましい。
【０２９３】
このように内視鏡検査業務に携わる医師、看護師、技師を含む医療従事者は、検査スケジュールおよび／または洗浄スケジュールにしたがって、それぞれの担当業務を実施している。特に医師や、検査室の担当看護師は、１日の業務開始前にスケジュール情報を確認し、どの時間にどの検査室でどのような検査を行うかを大体頭に入れたうえで、それぞれの担当行為を実施する。そのためスケジュール情報の内容に変更があった場合には、変更内容の影響を受ける医療従事者に、確実に変更内容を伝えることが好ましい。
【０２９４】
図６１は、情報管理装置１０の構成のうち、医療従事者に、スケジュールの変更内容を通知する機能を実現するための構成を示す。処理部１００は、検査スケジュール管理部１１０および洗浄スケジュール管理部１３０に加え、実施例９では、さらに検査スケジュールおよび／または洗浄スケジュールが再構成された場合に、変更があった内容を、関係する医療従事者に通知する通知制御部１８０を備える。通知制御部１８０は、変更内容取得部１８２、通知内容生成部１８４、通知先特定部１８６、通知タイミング決定部１８８、通知処理部１９０および確認受付部１９２を有する。また記憶部２００は、検査スケジュール保持部２０６、洗浄スケジュール保持部２０８、検査変更履歴保持部２４０、洗浄変更履歴保持部２４２および担当者テーブル２４４を備える。
【０２９５】
処理部１００の各構成は、ハードウェア的には、任意のコンピュータのＣＰＵ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【０２９６】
検査スケジュール保持部２０６は、複数の内視鏡検査の検査スケジュール情報であって、検査室と、患者識別情報（患者ＩＤ）と、担当医師識別情報（医師ＩＤ）と、検査開始予定時刻情報と、検査終了予定時刻情報と、検査種別情報とを要素とする検査スケジュール情報を保持する。実施例９では、１つの内視鏡検査における検査室と、患者識別情報と、担当医師識別情報と、検査開始予定時刻情報と、検査終了予定時刻情報と、検査種別情報との組合せを、検査スケジュール情報と呼び、検査スケジュール情報を構成する各情報を、検査スケジュール情報の要素と呼ぶ。なお検査スケジュール情報は、使用するスコープに関する情報を含んでよい。検査スケジュールは、複数の検査スケジュール情報により構成される。検査スケジュール保持部２０６は、最新の検査スケジュール情報を保持する。なお最新の検査スケジュール情報とは、再スケジューリング処理が実施された場合に、再構成された後の検査スケジュール情報を意味する。
【０２９７】
検査スケジュール管理部１１０は、検査スケジュール情報を管理する。検査スケジュールが再スケジューリング処理により変更された場合、検査スケジュール管理部１１０は、変更後の最新の検査スケジュール情報を検査スケジュール保持部２０６に記録し、変更履歴を検査変更履歴保持部２４０に記録する。この変更履歴は、変更があった検査スケジュール情報に関するものであり、変更前の検査スケジュール情報と、変更後の検査スケジュール情報とが対応付けられて検査変更履歴保持部２４０に記録される。なお検査変更履歴保持部２４０には、少なくとも変更前の検査スケジュール情報の要素と、変更後の検査スケジュール情報の要素とが対応付けられて記録されていればよい。たとえば、検査の医師のみに変更があった場合、検査変更履歴保持部２４０には、検査ＩＤと、変更前の担当医師ＩＤ、変更後の担当医師ＩＤとが対応付けられて記録される。
【０２９８】
洗浄スケジュール保持部２０８は、複数のスコープの洗浄スケジュール情報であって、洗浄機と、洗浄開始予定時刻情報と、洗浄終了予定時刻情報とを要素とする洗浄スケジュール情報を保持する。実施例９では、１つの洗浄処理における洗浄機と、洗浄開始予定時刻情報と、洗浄終了予定時刻情報との組合せを、洗浄スケジュール情報と呼び、洗浄スケジュール情報を構成する各情報を、洗浄スケジュール情報の要素と呼ぶ。なお洗浄スケジュール情報は、洗浄するスコープに関する情報を含んでよく、また実施例５に関して説明したように、洗浄を実施する洗浄担当者識別情報を含んでよい。洗浄スケジュールは、複数の洗浄スケジュール情報により構成される。洗浄スケジュール保持部２０８は、最新の洗浄スケジュール情報を保持する。なお最新の洗浄スケジュール情報とは、再スケジューリング処理が実施された場合に、再構成された後の洗浄スケジュール情報を意味する。
【０２９９】
洗浄スケジュール管理部１３０は、洗浄スケジュール情報を管理する。洗浄スケジュールが再スケジューリング処理により変更された場合、洗浄スケジュール管理部１３０は、変更後の最新の洗浄スケジュール情報を洗浄スケジュール保持部２０８に記録し、変更履歴を洗浄変更履歴保持部２４２に記録する。この変更履歴は、変更があった洗浄スケジュール情報に関するものであり、変更前の洗浄スケジュール情報と、変更後の洗浄スケジュール情報とが対応付けられて洗浄変更履歴保持部２４２に記録される。なお洗浄変更履歴保持部２４２には、少なくとも変更前の洗浄スケジュール情報の要素と、変更後の洗浄スケジュール情報の要素とが対応付けられて記録されていればよい。たとえば、洗浄するスコープのみに変更があった場合、洗浄変更履歴保持部２４２には、洗浄ＩＤと、変更前のスコープＩＤ、変更後のスコープＩＤとが対応付けられて記録される。
【０３００】
実施例６〜８で説明したような再スケジューリング処理が終了すると、再スケジューリング処理を終了したことが通知制御部１８０に通知される。たとえばこの終了通知は、検査スケジュール管理部１１０または洗浄スケジュール管理部１３０から通知制御部１８０に供給される。この終了通知を受けて、通知制御部１８０は、再スケジューリング処理が終了したことを認識し、医療従事者への通知制御を実行する。
【０３０１】
＜検査スケジュールの変更通知＞
再スケジューリング処理により検査スケジュール情報が変更された場合に、変更内容取得部１８２は、検査スケジュール情報の変更内容を取得する。具体的に変更内容取得部１８２は、検査変更履歴保持部２４０から、検査スケジュール情報の変更履歴を取得する。
【０３０２】
以下、実施例６で説明した再スケジューリング処理を例にとり、具体的な通知制御について説明する。実施例６では、図４１が、変更前のスケジュールを示し、図４７が、再スケジューリング処理による変更後のスケジュールを示す。実施例６では、検査Ｅ２２の検査開始予定時刻が１０：２５、検査終了予定時刻が１０：３５であったところ、図４７に示すように、検査Ｅ２２が予定時間を２０分超過して１０：５５に終了し、再スケジューリング処理を行ったケースを示している。図４７に示す変更後のスケジュールは、１０：５５の時点で（厳密に言えば、１０：５５から再スケジューリング処理にかかる演算時間の後に）再構成されている。
【０３０３】
変更前と変更後のスケジュールを比較すると、以下の検査スケジュール情報に変更が生じている。
＜変更された検査＞
Ｅ２６、Ｅ２７、Ｅ３０、Ｅ３３、Ｅ３４、Ｅ３５、Ｅ３８、Ｅ４１
【０３０４】
図６２は、検査変更履歴保持部２４０に保持された検査スケジュール情報の変更履歴を示す。検査変更履歴保持部２４０には、変更履歴として、検査Ｅ２６、Ｅ２７、Ｅ３０、Ｅ３３、Ｅ３４、Ｅ３５、Ｅ３８、Ｅ４１のそれぞれの変更要素の、変更前の情報と変更後の情報とが記録されている。なお実施例６では、検査スケジュール情報の要素のうち、検査開始予定時刻情報と検査終了予定時刻情報を変更しており、そのため検査変更履歴保持部２４０には、かかる情報要素の変更履歴が記録されている。たとえば担当医師や検査室に変更があった場合には、担当医師や検査室の変更履歴も含まれることになる。
【０３０５】
変更内容取得部１８２は、検査変更履歴保持部２４０から、検査スケジュール情報の変更履歴を取得する。通知内容生成部１８４は、変更内容取得部１８２が取得した変更履歴から、通知する変更内容を生成する。検査スケジュール情報に変更があった場合、変更内容は、検査を実施する担当医師と、検査の準備を行う担当従事者に通知される必要がある。
【０３０６】
通知内容生成部１８４は、変更内容を通知するためのテンプレートを有している。通知内容生成部１８４は、変更後の検査開始予定時刻情報および検査終了予定時刻情報を、担当医師に通知するために、以下のテンプレート１を有している。
【０３０７】
＜テンプレート１＞
［検査室］    （検査室情報）
［検査開始］  （変更後の検査開始予定時刻情報）←（変更前の検査開始予定時刻情報）
［検査終了］  （変更後の検査終了予定時刻情報）←（変更前の検査終了予定時刻情報）
［検査種別］  （検査種別情報）
テンプレート１は医師用であるために、医師にとって必要な情報を含んでいればよく、この例では検査室と、検査開始予定時刻、検査終了予定時刻、および検査種別に関する情報が含まれる。通知内容生成部１８４は、テンプレートの（カッコ）内に、検査スケジュール情報の要素および検査変更履歴の要素を入力する。
【０３０８】
通知内容生成部１８４は、検査Ｅ２６のスケジュール情報要素および検査変更履歴から、テンプレート１を用いて、通知する変更内容を以下のように生成する。
［検査室］    第１検査室
［検査開始］  １１：００←１０：４０
［検査終了］  １１：１０←１０：５０
［検査種別］  上部ルーチン検査
通知内容生成部１８４は、生成した変更内容を、通知処理部１９０に提供する。
【０３０９】
また通知内容生成部１８４は、変更後の検査開始予定時刻情報および検査終了予定時刻情報を、担当従事者に通知するために、以下のテンプレート２を有している。
【０３１０】
＜テンプレート２＞
［検査室］    （検査室情報）
［検査開始］  （変更後の検査開始予定時刻情報）←（変更前の検査開始予定時刻情報）
［検査終了］  （変更後の検査終了予定時刻情報）←（変更前の検査終了予定時刻情報）
［患者］      （患者ＩＤ）
［担当医師］  （担当医師ＩＤ）
［スコープ］  （スコープＩＤ）
テンプレート２は担当従事者（看護師）用であるために、看護師にとって必要な情報を含んでいればよく、この例では検査室と、検査開始予定時刻、検査終了予定時刻、患者、担当医師、スコープに関する情報が含まれる。看護師は、検査準備を行う必要があるため、テンプレート１と比較すると、テンプレート２は、より多くの情報を含んでいる。通知内容生成部１８４は、テンプレートの（カッコ）内に、検査スケジュール情報の要素および検査変更履歴の要素を入力する。
【０３１１】
通知内容生成部１８４は、検査Ｅ２６のスケジュール情報要素および検査変更履歴から、テンプレート２を用いて、通知する変更内容を以下のように生成する。
［検査室］    第１検査室
［検査開始］  １１：００←１０：４０
［検査終了］  １１：１０←１０：５０
［患者］      患者Ｘ
［担当医師］  医師Ａ
［スコープ］  Ｇ−Ｒ−５
通知内容生成部１８４は、生成した変更内容を、通知処理部１９０に提供する。
【０３１２】
なお、ここでは変更後の検査開始予定時刻情報および検査終了予定時刻情報を通知するための２種類のテンプレートを示したが、これらのテンプレートは共通化されてもよい。つまり担当医師および担当従事者に対して、共通のテンプレートを用いた変更内容が生成されてもよい。
【０３１３】
なお以上は通知内容生成部１８４が、検査Ｅ２６のスケジュール情報要素および検査変更履歴から、テンプレートを用いて通知する変更内容を生成することを説明したが、他の検査、すなわち検査Ｅ２７、Ｅ３０、Ｅ３３、Ｅ３４、Ｅ３５、Ｅ３８、Ｅ４１についても同時に、通知する変更内容を生成する。通知内容生成部１８４は、各検査に関して生成した変更内容を、通知処理部１９０に提供する。
【０３１４】
通知先特定部１８６は、変更内容取得部１８２が取得した変更内容にもとづいて、変更内容の通知先を特定する。具体的に通知先特定部１８６は、検査スケジュール情報の変更内容の影響を受ける医療従事者を特定することで、変更内容の通知先を特定する。なお内視鏡検査業務支援システム１において、各医療従事者は、携帯端末６０を有しており、通知先特定部１８６は、医療従事者が有している携帯端末６０のアドレスを管理している。そのため通知先特定部１８６は、変更内容を通知するべき医療従事者を特定することで、その医療従事者のもつ携帯端末６０を、通知先として特定できる。
【０３１５】
以下、スケジュール変更があった検査の担当医師を示す。通知先特定部１８６は、各検査の担当医師を、検査スケジュール保持部２０６に保持されている検査スケジュール情報および検査変更履歴保持部２４０に保持されている検査変更履歴を参照して特定する。
【０３１６】
以下、スケジュール変更があった各検査の担当医師を示す。
Ｅ２６  ：  医師Ａ
Ｅ２７  ：  医師Ｃ
Ｅ３０  ：  医師Ａ
Ｅ３３  ：  医師Ａ
Ｅ３４  ：  医師Ｅ
Ｅ３５  ：  医師Ｃ
Ｅ３８  ：  医師Ｅ
Ｅ４１  ：  医師Ａ
【０３１７】
次に、通知先特定部１８６は、スケジュール変更があった各検査の担当従事者を特定する。
図６３は、担当者テーブル２４４を示す。担当者テーブル２４４は、検査業務および洗浄業務における担当範囲と担当従事者との関係を記憶する。担当者テーブル２４４は、日々更新されてよく、また１日の中で、時間帯によって変更されてもよい。ここでは第１検査室２０ａの担当従事者が看護師Ａ、第２検査室２０ｂの担当従事者が看護師Ｂ、第３検査室２０ｃの担当従事者が看護師Ｃ、第４検査室２０ｄの担当従事者が看護師Ｄ、洗浄の担当従事者が、技師Ａ、Ｂ、Ｃであることが示されている。洗浄に関しては、実施例５で説明したように、各洗浄処理に対して、技師Ａ〜Ｃの特定のいずれかが割り当てられてもよいが、実施例９では、技師Ａ〜Ｃの全てが洗浄担当（洗浄スタッフ）として設定されている。なお、ここでは担当者テーブル２４４が担当範囲と担当従事者とを対応付けているが、担当範囲と、担当従事者の携帯端末６０とを対応付けてもよい。
【０３１８】
なお処置系の検査では、看護師が検査介助を行うこともある。そのため担当者テーブル２４４は、検査介助と担当従事者との関係をさらに記憶してもよい。なお検査介助に必要な人数は検査種別によって異なり、また専門性も高いため、担当者テーブル２４４は、検査種別ごとに、検査介助と担当従事者との関係を保持してもよい。
【０３１９】
通知先特定部１８６は、各検査の検査室を、検査スケジュール保持部２０６に保持されている検査スケジュール情報および検査変更履歴保持部２４０に保持されている検査変更履歴を参照して特定する。
以下、スケジュール変更があった各検査の検査室を示す。
Ｅ２６  ：  第１検査室
Ｅ２７  ：  第４検査室
Ｅ３０  ：  第１検査室
Ｅ３３  ：  第１検査室
Ｅ３４  ：  第４検査室
Ｅ３５  ：  第１検査室
Ｅ３８  ：  第１検査室
Ｅ４１  ：  第４検査室
【０３２０】
通知先特定部１８６は、各検査室の担当従事者を、担当者テーブル２４４を参照して特定する。
以下、スケジュール変更があった各検査の担当従事者を示す。
Ｅ２６  ：  看護師Ａ
Ｅ２７  ：  看護師Ｄ
Ｅ３０  ：  看護師Ａ
Ｅ３３  ：  看護師Ａ
Ｅ３４  ：  看護師Ｄ
Ｅ３５  ：  看護師Ａ
Ｅ３８  ：  看護師Ａ
Ｅ４１  ：  看護師Ｄ
【０３２１】
以上のようにして、通知先特定部１８６は、スケジュール情報の変更内容の影響を受ける医療従事者を特定する。影響を受ける担当医師および担当従事者をまとめると、以下のようになる。
Ｅ２６  ：  医師Ａ  看護師Ａ
Ｅ２７  ：  医師Ｃ  看護師Ｄ
Ｅ３０  ：  医師Ａ  看護師Ａ
Ｅ３３  ：  医師Ａ  看護師Ａ
Ｅ３４  ：  医師Ｅ  看護師Ｄ
Ｅ３５  ：  医師Ｃ  看護師Ａ
Ｅ３８  ：  医師Ｅ  看護師Ａ
Ｅ４１  ：  医師Ａ  看護師Ｄ
通知先特定部１８６は、各検査の変更内容の通知先を特定すると、通知処理部１９０に提供する。
【０３２２】
通知タイミング決定部１８８は、特定した通知先にもとづいて、変更内容を通知するタイミングを決定する。ここで担当医師への通知について考えると、検査中に担当医師の携帯端末６０に通知しても、担当医師は、検査に集中しているため携帯端末６０を確認する余裕はない。そのため検査中に担当医師に通知することは好ましくなく、検査終了後に通知することが好ましい。そこで通知タイミング決定部１８８は、変更内容が確定したタイミング（１０：５５）で、担当医師が検査を実施していれば、当該検査が終了した後のタイミングを、通知タイミングとして決定する。
【０３２３】
検査Ｅ２６、Ｅ２７、Ｅ３０、Ｅ３３、Ｅ３４、Ｅ３５、Ｅ３８、Ｅ４１の担当医師は、医師Ａ、医師Ｃ、医師Ｅであり、変更内容が確定した時点の前後における各医師の変更後のスケジュール（図４７参照）について考察する。
【０３２４】
図６４は、医師の検査スケジュールを示す。医師Ａ、医師Ｃは、変更内容が確定した時点（１０：５５）で、検査を実施していない。なお、医師Ｃについては再スケジューリングにより１０：５５から検査が開始されることが予定されているが、これは遅延が生じた検査Ｅ２２の医師Ｃの次の検査Ｅ２７を、インターバル時間を挟むことなく１０：５５スタートと再スケジューリングしていることが理由であり、医師Ｃが検査Ｅ２２を終了した時点で、検査Ｅ２７は、まだ開始していない。
【０３２５】
検査室において、内視鏡観察装置２２の検査開始ボタンが操作されると、検査の開始通知情報が検査ＩＤおよび観察装置ＩＤとともに情報管理装置１０に送信される。そのため開始通知情報が情報管理装置１０に送信されていなければ、情報管理装置１０は、まだ検査が開始されていないことを認識する。通知タイミング決定部１８８は、検査の開始通知情報の到来を監視し、第４検査室２０ｄにおける検査Ｅ２７の開始通知情報が送信されていなければ、医師Ｃが、まだ検査Ｅ２７を開始していないことを認識する。したがってスケジュールの変更内容が確定した時点（１０：５５）で、通知タイミング決定部１８８は、医師Ａ、医師Ｃに、変更内容を通知してよいことを判定し、その時点を、通知タイミングとして決定する。通知タイミング決定部１８８は、決定した通知タイミングを、通知処理部１９０に提供する。
【０３２６】
一方、医師Ｅは、変更内容が確定した時点で、検査Ｅ２８を実施している。通知タイミング決定部１８８は、検査Ｅ２８の終了通知情報を監視して、終了通知情報が情報管理装置１０に送信されていなければ、通知タイミング決定部１８８は、１０：５５に、変更内容を通知するべきでないことを判定する。通知タイミング決定部１８８は、検査Ｅ２８の終了通知情報の到来を監視して、終了通知情報が情報管理装置１０に送信された時点を、通知タイミングとして決定する。通知タイミング決定部１８８は、決定した通知タイミングを、通知処理部１９０に提供する。
【０３２７】
このように通知タイミング決定部１８８は、通知先となる医療従事者、この場合は担当医師の状況にもとづいて、スケジュールの変更内容を通知するタイミングを決定する。
【０３２８】
通知処理部１９０は、通知内容生成部１８４から、通知する変更内容を取得し、通知先特定部１８６から、変更内容の通知先を取得し、通知タイミング決定部１８８から、変更内容を通知するタイミングを取得する。通知処理部１９０は、通知タイミング決定部１８８が決定したタイミングで、通知先特定部１８６が特定した通知先に、通知内容生成部１８４が生成した変更内容を通知する。
【０３２９】
図６５は、医師Ａの携帯端末６０に表示される表示内容を示す。携帯端末６０は、タッチパネルを有し、医師Ａは、表示されるＯＫボタンを操作することで、了解の意思を示す。確認受付部１９２は、医師Ａから確認通知を受け付け、通知した変更内容が医師Ａに伝わったことを認識する。
【０３３０】
このように実施例９によれば、変更内容の影響を受ける医療従事者にのみ変更内容を個別通知し、変更内容の影響を受けない医療従事者には個別通知をしないことで、変更内容に関係のない医療従事者が変更内容を受け取って、変更内容を誤解する可能性をなくすことができる。また通知タイミング決定部１８８が、医療従事者の状況に応じて、通知する適切なタイミングを定めることで、医療従事者が、適切なタイミングで変更内容を確認できるようになる。
【０３３１】
なお携帯端末６０がタッチパネルを有し、タッチパネルの操作により確認した旨を情報管理装置１０に送信することを説明したが、携帯端末６０には、確認したことを示すための機械式ボタンが設けられていてもよい。また通知処理部１９０が、変更内容を通知する際には、携帯端末６０において受信音がなるように設定されていてもよく、これにより医療従事者は、通知があったことを知ることができる。なお携帯端末６０は、受信音の出力とともに、バイブレータ機能を作動させてもよい。
【０３３２】
通知処理部１９０による通知後、確認受付部１９２が、医療従事者から所定時間以内に確認通知を受け付けなければ、通知処理部１９０は、変更内容を再度通知する。たとえば、この所定時間は、３０秒に設定されてよい。このとき通知処理部１９０は、再通知するとともに、他の医療従事者にも通知してよい。たとえば確認受付部１９２は、担当医師から確認通知を受け付けなければ、通知処理部１９０は、検査が実施される検査室２０の看護師に通知する。これにより担当看護師が、担当医師に口頭で知らせることができるようになる。
【０３３３】
上記したように通知タイミング決定部１８８は、変更内容が確定した時点に最も近い検査の変更内容については、可能な限り迅速に通知するべく、通知タイミングを決定する。医師Ａに対して変更された検査は、検査Ｅ２６、Ｅ３０、Ｅ３３、Ｅ４１の４つあるが、通知タイミング決定部１８８は、直近の検査Ｅ２６の変更内容を通知するタイミングと同じタイミングで、他の３つの検査の変更内容を通知することを決定してもよい。
【０３３４】
しかしながら直近の検査Ｅ２６の変更内容は、すみやかに通知する必要があるものの、その後に予定されている検査Ｅ３０、Ｅ３３、Ｅ４１の変更内容については、必ずしも検査Ｅ２６と同じタイミングで通知する必要はない。また医師Ａは、検査Ｅ２６の変更内容の通知を受けると、その後に予定されている他の検査についても変更があったことを推測できる。その場合、医師Ａは、あらためて変更後の検査スケジュール表をみて、今後のスケジュールを確認できる。そこで通知タイミング決定部１８８は、検査Ｅ３０、Ｅ３３、Ｅ４１の変更内容については、通知しないことを決定して、通知タイミングを定めなくてもよい。つまり通知タイミング決定部１８８は、直近の検査Ｅ２６の変更内容の通知タイミングのみを定めるようにしてもよい。
【０３３５】
なお、この例では、医師Ａ、医師Ｃ、医師Ｅに関して、最後の検査の終了予定時刻が、当初の予定よりも遅くなっている。医師Ａに関して言えば、最後の検査Ｅ４１の終了予定時刻が、１２：０５から１２：１５となっている（図６２参照）。医師は、検査業務の終了後に、別の予定を入れていることがあるため、検査の最終時刻は、医師にとっても重要な情報である。そこで通知タイミング決定部１８８は、各医師の最後の検査の変更内容を、直近の検査の変更内容と同じタイミングで通知することを決定してもよい。これにより医師は、直近の検査の変更内容と、最後の検査の変更内容とを同時に知ることができる。
【０３３６】
次に、検査準備の担当従事者への通知タイミングについて考察する。担当従事者は、検査中、検査室内で検査の補助を行っていることがある。そのため担当医師と同じく、検査中に担当従事者にスケジュールの変更内容を通知することは好ましくなく、検査終了後に通知することが好ましい。そこで通知タイミング決定部１８８は、変更内容が確定したタイミング（１０：５５）で、担当従事者が担当する検査が実施されていれば、当該検査が終了した後のタイミングを、通知タイミングとして決定する。
【０３３７】
ここでスケジュールに変更があった検査室は、第１検査室２０ａと第４検査室２０ｄであり、通知タイミング決定部１８８は、各検査室の状況を確認する。１０：５５の時点で第１検査室２０ａ、第４検査室２０ｄともに検査は実施されておらず、したがって通知タイミング決定部１８８は、看護師Ａ、看護師Ｄに１０：５５の時点で変更内容を通知してよいことを判定し、その時点を、通知タイミングとして決定する。通知タイミング決定部１８８は、決定した通知タイミングを、通知処理部１９０に提供する。
【０３３８】
なお、この例では、担当医師への通知と同様、検査中に担当従事者への通知を行わないこととしているが、担当従事者は検査を補助しながら、携帯端末６０を確認する余裕があることが多い。そのため通知タイミング決定部１８８は、担当従事者の状況に関係なく、変更内容が確定した時点を、通知タイミングとして決定してもよい。通知タイミング決定部１８８は、決定した通知タイミングを、通知処理部１９０に提供する。
【０３３９】
通知処理部１９０は、通知タイミング決定部１８８が決定したタイミングで、通知先特定部１８６が特定した通知先に、通知内容生成部１８４が生成した変更内容を通知する。
【０３４０】
図６６は、看護師Ａの携帯端末６０に表示される表示内容を示す。看護師Ａは、表示されるＯＫボタンを操作することで、了解の意思を示す。確認受付部１９２は、看護師Ａから確認通知を受け付け、通知した変更内容が看護師Ａに伝わったことを認識する。
【０３４１】
このように担当従事者の携帯端末６０に変更内容を通知することで、担当従事者は、変更内容を確認できる。実施例９によると、変更内容の影響を受ける担当従事者にのみ変更内容を個別通知し、影響を受けない医療従事者には個別通知をしないことで、関係のない医療従事者が変更内容を受け取って、変更内容を誤解する可能性をなくすことができる。また通知タイミング決定部１８８が、通知する医療従事者ごとに、通知するタイミングを定めることで、関係する医療従事者のそれぞれが、適切なタイミングで変更内容を確認できるようになる。
【０３４２】
通知処理部１９０による通知後、確認受付部１９２が、看護師Ａから所定時間以内に確認通知を受け付けなければ、通知処理部１９０は、変更内容を再度通知する。たとえば、この所定時間は、３０秒に設定されてよい。このとき通知処理部１９０は、再通知するとともに、他の看護師にも通知してよい。
【０３４３】
通知タイミング決定部１８８は、変更内容が確定した時点に最も近い検査の変更内容については、可能な限り迅速に通知するべく、通知タイミングを決定する。たとえば看護師Ａに対して変更された検査は、検査Ｅ２６、Ｅ３０、Ｅ３３、Ｅ３５、Ｅ３８の５つあるが、通知タイミング決定部１８８は、直近の検査Ｅ２６の変更内容を通知するタイミングと同じタイミングで、他の４つの検査の変更内容を通知することを決定してもよい。
【０３４４】
しかしながら直近の検査Ｅ２６の変更内容は、すみやかに通知する必要があるものの、その後に予定されている検査Ｅ３０、Ｅ３３、Ｅ３５、Ｅ３８の変更内容については、必ずしも検査Ｅ２６と同じタイミングで通知する必要はない。また看護師Ａは、検査Ｅ２６の変更内容の通知を受けると、その後に予定されている他の検査についても変更があったことを推測できる。その場合、看護師Ａは、あらためて変更後の検査スケジュール表をみて、今後のスケジュールを確認できる。そこで通知タイミング決定部１８８は、検査Ｅ３０、Ｅ３３、Ｅ３５、Ｅ３８の変更内容については、通知しないことを決定して、通知タイミングを定めなくてもよい。つまり通知タイミング決定部１８８は、直近の検査Ｅ２６の変更内容の通知タイミングのみを定めるようにしてもよい。
【０３４５】
なお通知処理部１９０は、通知タイミング決定部１８８が決定する個別通知のタイミングとは別に、バックヤード（図６０参照）に設置したディスプレイ装置７０に、検査スケジュールの変更内容を表示する。このとき担当従事者を表示して、誰宛の変更内容の表示であるかを明示することが好ましい。なおディスプレイ装置７０は、タッチパネルで構成されており、医療従事者が、変更内容の表示箇所をタッチすると、タッチ操作が医療従事者の了解を示す確認通知として、情報管理装置１０に送信される。確認受付部１９２は、医療従事者から確認通知を受け付け、通知した変更内容が担当従事者に伝わったことを認識する。
【０３４６】
ディスプレイ装置７０には、通知処理部１９０が通知した変更内容の一覧が表示されてよい。このとき確認受付部１９２が確認通知を受け付けた変更内容と、まだ確認通知を受け付けいない変更内容とが、区別して表示されることが好ましい。これによりバックヤードにいる医療従事者が、直近の検査の変更内容がまだ担当医師や担当従事者によって確認されていないことを知ると、当該担当者に口頭で伝えるなどの対応をとることができる。
【０３４７】
＜洗浄スケジュールの変更通知＞
再スケジューリング処理により洗浄スケジュール情報が変更された場合に、変更内容取得部１８２は、洗浄スケジュール情報の変更内容を取得する。具体的に変更内容取得部１８２は、洗浄変更履歴保持部２４２から、洗浄スケジュール情報の変更履歴を取得する。
【０３４８】
変更前と変更後のスケジュールを比較すると、以下の洗浄スケジュール情報に変更が生じている。
＜変更された洗浄＞
Ｗ２２、Ｗ２６、Ｗ２７、Ｗ３０、Ｗ３１、Ｗ３４、Ｗ３５、Ｗ３８、Ｗ３９
【０３４９】
図６７は、洗浄変更履歴保持部２４２に保持された洗浄スケジュール情報の変更履歴を示す。洗浄変更履歴保持部２４２には、変更履歴として、洗浄Ｗ２２、Ｗ２６、Ｗ２７、Ｗ３０、Ｗ３１、Ｗ３４、Ｗ３５、Ｗ３８、Ｗ３９のそれぞれの変更要素の、変更前の情報と変更後の情報とが記録されている。なお実施例６では、洗浄スケジュール情報の要素のうち、洗浄開始予定時刻情報と洗浄終了予定時刻情報を変更しており、そのため洗浄変更履歴保持部２４２には、かかる情報要素の変更履歴が記録されている。たとえば洗浄予定のスコープに変更があった場合には、スコープの変更履歴も含まれることになる。
【０３５０】
変更内容取得部１８２は、洗浄変更履歴保持部２４２から、洗浄スケジュール情報の変更履歴を取得する。通知内容生成部１８４は、変更内容取得部１８２が取得した変更履歴から、通知する変更内容を生成する。洗浄スケジュール情報に変更があった場合、変更内容は、洗浄処理を実施する担当従事者（洗浄スタッフ）に通知される必要がある。
【０３５１】
通知内容生成部１８４は、変更内容を通知するためのテンプレートを有している。通知内容生成部１８４は、変更後の洗浄開始予定時刻情報および洗浄終了予定時刻情報を、担当従事者に通知するために、以下のテンプレート３を有している。
【０３５２】
＜テンプレート３＞
［洗浄開始］  （変更後の洗浄開始予定時刻情報）←（変更前の洗浄開始予定時刻情報）
［洗浄終了］  （変更後の洗浄終了予定時刻情報）←（変更前の洗浄終了予定時刻情報）
［スコープ］  （スコープＩＤ）
通知内容生成部１８４は、テンプレートの（カッコ）内に、検査スケジュール情報の要素および洗浄変更履歴の要素を入力する。
【０３５３】
通知内容生成部１８４は、たとえば洗浄Ｗ２２のスケジュール情報要素および洗浄変更履歴から、テンプレート３を用いて、通知する変更内容を以下のように生成する。
［洗浄開始］  １０：５５←１０：５０
［洗浄終了］  １１：１５←１１：１０
［スコープ］  Ｇ−Ｒ−２
通知内容生成部１８４は、生成した変更内容を、通知処理部１９０に提供する。
【０３５４】
なお以上は、通知内容生成部１８４が、洗浄Ｗ２２のスケジュール情報要素および洗浄変更履歴から、テンプレートを用いて通知する変更内容を生成することを説明したが、他の洗浄処理、すなわち洗浄Ｗ２６、Ｗ２７、Ｗ３０、Ｗ３１、Ｗ３４、Ｗ３５、Ｗ３８、Ｗ３９についても同時に、通知する変更内容を生成する。通知内容生成部１８４は、各洗浄処理に関して生成した変更内容を、通知処理部１９０に提供する。
【０３５５】
通知先特定部１８６は、変更内容取得部１８２が取得した変更内容にもとづいて、変更内容の通知先を特定する。具体的に通知先特定部１８６は、洗浄スケジュール情報の変更内容の影響を受ける医療従事者を特定することで、変更内容の通知先を特定する。
【０３５６】
通知先特定部１８６は、洗浄処理の担当従事者を、図６３に示す担当者テーブル２４４を参照して特定する。ここで洗浄処理の担当従事者（洗浄スタッフ）は、技師Ａ、技師Ｂ、技師Ｃと設定されている。通知先特定部１８６は、各洗浄処理の変更内容の通知先を、技師Ａ、技師Ｂ、技師Ｃとして特定し、通知処理部１９０に提供する。
【０３５７】
通知タイミング決定部１８８は、特定した通知先にもとづいて、変更内容を通知するタイミングを決定する。ここで洗浄スタッフへの通知について考えると、洗浄スタッフは、スコープの持ち運びや、洗浄機５０による機械洗浄を担当するものであり、洗浄スケジュール情報に変更があれば、すみやかに通知することが好ましい。したがって通知タイミング決定部１８８は、変更内容が確定した時点で、変更内容を通知することを決定してよい。
【０３５８】
通知処理部１９０は、通知内容生成部１８４から、通知する変更内容を取得し、通知先特定部１８６から、変更内容の通知先を取得し、通知タイミング決定部１８８から、変更内容を通知するタイミングを取得する。通知処理部１９０は、通知タイミング決定部１８８が決定したタイミングで、通知先特定部１８６が特定した通知先に、通知内容生成部１８４が生成した変更内容を通知する。
【０３５９】
図６８は、洗浄スタッフの携帯端末６０に表示される表示内容を示す。携帯端末６０は、タッチパネルを有し、洗浄スタッフは、表示されるＯＫボタンを操作することで、了解の意思を示す。確認受付部１９２は、洗浄スタッフから確認通知を受け付け、通知した変更内容が洗浄スタッフに伝わったことを認識する。なお、この変更通知は、技師Ａ〜Ｃの全てに送信されており、確認受付部１９２は、いずれの技師から確認通知を受け付けてもよい。
【０３６０】
このように洗浄スタッフの携帯端末６０に変更内容を通知することで、洗浄スタッフは、変更内容を、スケジュールの変更後、すみやかに知ることができる。実施例９によると、変更内容の影響を受ける洗浄スタッフにのみ変更内容を個別通知することで、変更内容の影響を受けない洗浄スタッフが変更内容を受け取って誤解する可能性をなくすことができる。
【０３６１】
通知処理部１９０による通知後、確認受付部１９２が、洗浄スタッフから所定時間以内に確認通知を受け付けなければ、通知処理部１９０は、変更内容を再度通知する。たとえば、この所定時間は、３０秒に設定されてよい。なお変更内容を再度通知する際、通知処理部１９０は、他の技師（たとえば技師Ｄ）にも、変更内容を通知してよい。
【０３６２】
通知タイミング決定部１８８は、変更内容が確定した時点に最も近い洗浄処理の変更内容については、可能な限り迅速に通知するべく、通知タイミングを決定する。変更された洗浄処理は、洗浄Ｗ２２、Ｗ２６、Ｗ２７、Ｗ３０、Ｗ３１、Ｗ３４、Ｗ３５、Ｗ３８、Ｗ３９の９つあるが、通知タイミング決定部１８８は、直近の洗浄Ｗ２２の変更内容を通知するタイミングと同じタイミングで、他の８つの洗浄の変更内容を通知することを決定してもよい。
【０３６３】
なお直近の洗浄Ｗ２２の変更内容は、すみやかに通知する必要があるものの、その後に予定されている洗浄処理の変更内容については、必ずしも洗浄Ｗ２２と同じタイミングで通知する必要はない。洗浄スタッフは、洗浄Ｗ２２の変更内容の通知を受けると、その後に予定されている他の洗浄処理についても変更があったことを推測できる。その場合、洗浄スタッフは、あらためて変更後の洗浄スケジュール表をみて、今後のスケジュールを確認できる。そこで通知タイミング決定部１８８は、洗浄Ｗ２６、Ｗ２７、Ｗ３０、Ｗ３１、Ｗ３４、Ｗ３５、Ｗ３８、Ｗ３９の変更内容については、通知しないことを決定して、通知タイミングを定めなくてもよい。つまり通知タイミング決定部１８８は、直近の洗浄Ｗ２２の変更内容の通知タイミングのみを定めるようにしてもよい。
【０３６４】
また通知処理部１９０は、通知タイミング決定部１８８が決定する個別通知のタイミングとは別に、洗浄室（図６０参照）に設置したディスプレイ装置７１に、変更内容を表示する。ディスプレイ装置７１は、タッチパネルで構成されており、洗浄スタッフが、変更内容の表示箇所をタッチすると、タッチ操作が洗浄スタッフの了解を示す確認通知として、情報管理装置１０に送信される。確認受付部１９２は、洗浄スタッフから確認通知を受け付け、通知した変更内容が洗浄スタッフに伝わったことを認識する。
【０３６５】
ディスプレイ装置７１には、通知処理部１９０が通知した変更内容の一覧が表示されてよい。このとき確認受付部１９２が確認通知を受け付けた変更内容と、まだ確認通知を受け付けいない変更内容とが、区別して表示されることが好ましい。これにより洗浄スタッフは、未確認となっている変更内容の表示箇所をタッチして、確認済みとすることができる。
【０３６６】
上記した例では、状況情報取得部１７０が、洗浄開始予定時刻および洗浄終了予定時刻の変更内容を通知することを説明したが、洗浄スタッフは、機械洗浄以外にも、検査終了予定時刻になると検査室にいって、使用済みスコープを回収するという行為を実施する。そのため通知処理部１９０は、洗浄スタッフに対して、検査終了予定時刻情報に変更があった検査の変更内容を通知してもよい。
【０３６７】
実施例９では、検査が予定よりも遅延したケースについて説明したが、実施例８に示すように、再スケジューリング処理は、検査がキャンセルされたために、他の検査を予定よりも早めるように検査スケジュールを再構成するケースも含んでいる。この場合であっても、通知制御部１８０は、スケジュール情報の変更内容の影響を受ける医療従事者を特定し、すみやかに変更内容を個別通知することで、スムーズな検査進行を実現できる。
【０３６８】
以上、本発明を実施形態および実施例をもとに説明した。この実施形態および実施例は例示であり、それらの各構成要素や各処理プロセスの組合せにいろいろな変形例が可能なこと、またそうした変形例も本発明の範囲にあることは当業者に理解されるところである。たとえば情報管理装置１０はクラウド上に構築され、医療施設内の携帯端末６０および端末装置１２と通信することで、内視鏡検査業務支援システム１を実現してもよい。また実施形態および実施例を実現するために、情報管理装置１０が時刻同期を行うことは当業者に理解されるところである。
【０３６９】
実施例９では、通知先特定部１８６が、スケジュール情報の変更内容の影響を受ける医療従事者を特定し、特定した医療従事者の携帯端末６０を通知先として特定したが、携帯端末６０に限らず、医療従事者の端末装置１２を通知先として特定してもよい。
【０３７０】
また実施例９では、検査の遅延またはキャンセルにより、検査スケジュールおよび／または洗浄スケジュールが変更された場合を示したが、使用予定であったスコープが故障したり、また洗浄機５０が故障したような場合にも検査スケジュールおよび／または洗浄スケジュールが変更される。実施例９の通知制御部１８０は、再スケジューリング処理の理由を問わず、検査スケジュールおよび／または洗浄スケジュールが変更された場合に、適切なタイミングで関係する担当者に変更内容を通知することで、円滑な検査進行を実現する。
【符号の説明】
【０３７１】
１・・・内視鏡検査業務支援システム、１０・・・情報管理装置、１２・・・端末装置、６０・・・携帯端末、７０，７１・・・ディスプレイ装置、１００・・・処理部、１１０・・・検査スケジュール管理部、１３０・・・洗浄スケジュール管理部、１８０・・・通知制御部、１８２・・・変更内容取得部、１８４・・・通知内容生成部、１８６・・・通知先特定部、１８８・・・通知タイミング決定部、１９０・・・通知処理部、１９２・・・確認受付部、２００・・・記憶部、２０６・・・検査スケジュール保持部、２０８・・・洗浄スケジュール保持部、２４０・・・検査変更履歴保持部、２４２・・・洗浄変更履歴保持部、２４４・・・担当者テーブル。
【図１】
0006719204.tif 000002
【図２】
0006719204.tif 000003
【図３】
0006719204.tif 000004
【図４】
0006719204.tif 000005
【図５】
0006719204.tif 000006
【図６】
0006719204.tif 000007
【図７】
0006719204.tif 000008
【図８】
0006719204.tif 000009
【図９】
0006719204.tif 000010
【図１０】
0006719204.tif 000011
【図１１】
0006719204.tif 000012
【図１２】
0006719204.tif 000013
【図１３】
0006719204.tif 000014
【図１４】
0006719204.tif 000015
【図１５】
0006719204.tif 000016
【図１６】
0006719204.tif 000017
【図１７】
0006719204.tif 000018
【図１８】
0006719204.tif 000019
【図１９】
0006719204.tif 000020
【図２０】
0006719204.tif 000021
【図２１】
0006719204.tif 000022
【図２２】
0006719204.tif 000023
【図２３】
0006719204.tif 000024
【図２４】
0006719204.tif 000025
【図２５】
0006719204.tif 000026
【図２６】
0006719204.tif 000027
【図２７】
0006719204.tif 000028
【図２８】
0006719204.tif 000029
【図２９】
0006719204.tif 000030
【図３０】
0006719204.tif 000031
【図３１】
0006719204.tif 000032
【図３２】
0006719204.tif 000033
【図３３】
0006719204.tif 000034
【図３４】
0006719204.tif 000035
【図３５】
0006719204.tif 000036
【図３６】
0006719204.tif 000037
【図３７】
0006719204.tif 000038
【図３８】
0006719204.tif 000039
【図３９】
0006719204.tif 000040
【図４０】
0006719204.tif 000041
【図４１】
0006719204.tif 000042
【図４２】
0006719204.tif 000043
【図４３】
0006719204.tif 000044
【図４４】
0006719204.tif 000045
【図４５】
0006719204.tif 000046
【図４６】
0006719204.tif 000047
【図４７】
0006719204.tif 000048
【図４８】
0006719204.tif 000049
【図４９】
0006719204.tif 000050
【図５０】
0006719204.tif 000051
【図５１】
0006719204.tif 000052
【図５２】
0006719204.tif 000053
【図５３】
0006719204.tif 000054
【図５４】
0006719204.tif 000055
【図５５】
0006719204.tif 000056
【図５６】
0006719204.tif 000057
【図５７】
0006719204.tif 000058
【図５８】
0006719204.tif 000059
【図５９】
0006719204.tif 000060
【図６０】
0006719204.tif 000061
【図６１】
0006719204.tif 000062
【図６２】
0006719204.tif 000063
【図６３】
0006719204.tif 000064
【図６４】
0006719204.tif 000065
【図６５】
0006719204.tif 000066
【図６６】
0006719204.tif 000067
【図６７】
0006719204.tif 000068
【図６８】
0006719204.tif 000069